(57)【要約】【課題】無線ドアホンとコードレス電話が接続された無線通信システムは、ドアホン着信をコードレス電話側で応答可能だが、外線着信をドアホン側で応答できない等、システム間のサービスの共有が不十分であった。【解決手段】時分割通信方式を用いて通信を行う無線通信システム１において、制御局として動作するドアホン親機２ｂは、他の無線通信システムの制御局として動作するコードレス電話親機３の従属局として動作させ、無線通信システム間の通信を行うことにより、それぞれの無線通信システムで発生した外線着信、ドアホン着信、内線発信等のイベントを通知し、サービスの共有を図る。【選択図】図１
2007142510.tif 000002
【特許請求の範囲】
【請求項１】
複数の制御局と従属局とで構成された無線通信システムであって、前記制御局は、無線信号の送信を行う送信部と、無線信号の受信を行う受信部と、自局又は他の制御局又は従属局での呼び出し報知を開始すべきイベントを検知し呼び出し動作を開始するように制御を行う制御部を備え、前記制御局は、他の制御局での呼び出し報知を開始すべきイベントを検知した場合、前記他の制御局と無線リンクを確立し、呼び出し報知を開始すべきイベント発生を通知し、前記他の制御局は、呼び出し報知を開始すべきイベント発生が通知されると呼び出し動作を開始するように動作する無線通信システム。
【請求項２】
あらかじめ決められた時間を複数のスロットに分割して各々のスロットで無線通信を行う時分割多重通信を行い、時分割多重通信の通信タイミングの基準となる１つの主制御局と主制御局の時分割多重通信の通信タイミングに同期して動作する１つ以上の副制御局と前記主制御局または前記副制御局の時分割多重通信の通信タイミングに同期して動作する１つ以上の従属局とで構成された無線通信システムであって、前記主制御局は、時分割多重通信を行うためのフレーム処理部を備え、前記副制御局は、前記主制御局に同期して時分割多重通信を行うためのフレーム処理部を備え、前記主制御局は少なくとも１つのスロットで時分割多重通信の通信タイミングの基準となる制御信号を送信し、前記副制御局は前記制御信号を受信し、前期主制御局のスロットタイミングに同期して通信を行うよう動作する請求項１の無線通信システム。
【請求項３】
前記主制御局は、呼び出し報知を開始すべきイベントを検知した場合、前記制御信号にて呼び出し報知を開始すべきイベント発生を報知し、前記副制御局は、前記主制御局の制御信号にて自局での呼び出し開始を必要とするイベントの報知を受信すると、呼び出し動作を開始するように動作する請求項２の無線通信システム。
【請求項４】
前記副制御局は、呼び出し報知を開始すべきイベントを検知した場合、前記主制御局が送信する制御信号の受信タイミングを元に決定した前記主制御局の待ち受けスロットを用いて前記主制御局との通信リンクを起動し、呼び出し報知を開始すべきイベント発生を通知し、前記主制御局は、前記副制御局より呼び出し開始を必要とする必要とするイベントを通知されると、呼び出し動作を開始するように動作する請求項２〜３の無線通信システム。
【請求項５】
前記主制御局は、前記副制御局より通知された呼び出し報知を開始すべきイベントが、他の副制御局への報知が必要であった場合、制御信号にて呼び出し報知を開始すべきイベント発生を報知する請求項４の無線通信システム。
【請求項６】
前記制御局または前記従属局より、他の制御局及び前記他の制御局の従属局を呼び出す場合、他の制御局を特定するための制御局識別情報を指定することにより、前記制御局または前記従属局より他の制御局及び前記他の制御局の従属局を一斉に呼び出すように動作する請求項１から５いずれか１項に記載の無線通信システム。
【請求項７】
使用者が制御局のサービス情報を入力又は選択することによりサービス情報に対応した制御局識別情報が指定される請求項６の無線通信システム。
【請求項８】
前記制御局または前記従属局より、他の制御局を呼び出す場合、前記制御局または前記従属局は他の制御局を特定するための制御局識別情報と個別呼び出しであることを指定することにより、前記制御局または前記従属局より他の制御局を呼び出すように動作する請求項１から７いずれか１項に記載の無線通信システム。
【請求項９】
前記制御局または前記従属局より、他の制御局の従属局を呼び出す場合、前記制御局または前記従属局は他の制御局を特定するための制御局識別情報と前記他の制御局に属する従属局を特定するための従属局識別情報とを指定することにより、前記制御局または前記従属局より他の制御局の従属局を呼び出すように動作する請求項１〜８の無線通信システム。
【請求項１０】
前記従属局識別情報は、前記従属局が属する制御局下で有効な内線番号である請求項９の無線通信システム。
【請求項１１】
制御局と従属局があらかじめ決められた時間を複数のスロットに分割して各々のスロットで無線通信を行う時分割多重通信を行い、制御局が送信する制御信号に元に従属局が時分割多重通信の通信タイミングに同期して無線通信を行う無線通信装置であって、前記無線通信装置は、無線信号の送信を行う送信部と、無線信号の受信を行う受信部と、他の制御局に同期して時分割多重通信を行うためのフレーム処理部と、制御局として従属局との通信を行うための制御と、前記フレーム処理部で同期している制御局の従属局として前記他の制御局と通信を行うための制御と、呼び出し開始のイベントを検知し呼び出し動作を開始するように制御を行う制御部を備え、前記制御部は、呼び出し開始のイベントを検知し場合、従属局への呼び出しを開始すると共に、前記他の制御局との無線リンクを確立し、前記他の制御局に呼び出し開始のイベントを通知するように動作する無線通信装置。
【請求項１２】
制御局と従属局があらかじめ決められた時間を複数のスロットに分割して各々のスロットで無線通信を行う時分割多重通信を行い、制御局が送信する制御信号に元に従属局が時分割多重通信の通信タイミングに同期して無線通信を行う無線通信装置であって、前記無線通信装置は、無線信号の送信を行う送信部と、無線信号の受信を行う受信部と、他の制御局に同期して時分割多重通信を行うためのフレーム処理部と、制御局として従属局との通信を行うための制御と、前記フレーム処理部で同期している制御局の従属局として前記他の制御局と通信を行うための制御と、呼び出し開始のイベントを検知し呼び出し動作を開始するように制御を行う制御部を備え、前記制御部は、前記他の制御局が送信する呼び出し信号を含む制御信号を受信し、前記他の制御局に同期して動作するように制御を行うとともに、前記制御局より呼び出し信号の報知を受信すると、従属局への呼び出しを開始し、呼び出しに対する応答操作が行われると、前記他の制御局の従属局として前記他の制御局との無線リンクを確立し、前記他の制御局に呼び出し応答を通知し、無線通信を行うように動作する無線通信装置。
【請求項１３】
複数の制御局と従属局との間での無線通信方法あって、前記制御局は、他の制御局での呼び出し報知を開始すべきイベントを検知した場合、前記他の制御局と無線リンクを確立し、呼び出し報知を開始すべきイベント発生を前記他の制御局へ通知し、前記他の制御局は、呼び出し報知を開始すべきイベント発生が前記制御局から通知されると呼び出し動作を開始するように動作する無線通信方法。
【発明の詳細な説明】
【技術分野】
【０００１】
本発明は、制御局間での無線通信可能な制御局と従属局で構成された無線通信システム、無線通信装置及び無線通信方法に関するものである。
【背景技術】
【０００２】
近年、ほとんどの家庭で、電話やドアホン等の通信機器が利用されており、設置の容易さや持ち運びが可能となる利便性の向上等の理由で、コードレス電話や無線ドアホン等の無線通信を利用した通信機器が普及している。
【０００３】
コードレス電話は、無線通信制御の制御局として動作する１台のコードレス電話親機と従属局として動作する１台以上のコードレス電話子機とでコードレス電話として動作する１つの無線通信システム構成がされている。コードレス電話子機は、無線通信よってコードレス電話親機と通信を行い、外線に接続されたコードレス電話親機を介して、外線との通話を行い、又、コードレス電話親機を介してコードレス電話子機間での内線通話を行う。又、複数の親機を１つの外線に接続し、１つの外線を複数のコードレス電話システムで共用することも可能である。最近のコードレス電話親機の多くは、外線接続（入力）のためのモジュラジャックと外線出力のためのモジュラジャックを備えており、外線出力のためのモジュラジャックと次のコードレス電話親機の外線接続（入力）のためのモジュラジャックを有線ケーブルで接続することにより、１つの外線を複数のコードレス電話システムで共用した無線通信システムを簡単に構成することが可能である。このようにして、１つの外線に複数のコードレス電話親機を接続した場合、外線着信があると、すべてのコードレス電話親機より、外線着信の報知が開始され、それぞれのコードレス電話親機に属するコードレス電話子機で、着信動作が開始され、いずれかのコードレス電話親機又はコードレス電話子機で応答操作が行われると、発信者との通話が開始されると同時に、他のコードレス電話親機やコードレス電話子機の着信動作が停止される。
【０００４】
又、近年実用化されている無線ドアホンは、呼び出しボタンや通話用のマイク、スピーカー、来訪者の画像撮影用のカメラ等が設けられた玄関子機と接続された無線通信制御の制御局として動作する１台の室内親機と従属局として動作する１台以上のドアホン子機とで多局のドアホンとして動作する１つの無線通信システム構成がされている。ドアホン子機は、無線通信よって室内親機と通信を行い、室内親機を介して、玄関子機と接続され、ドアホン子機の使用者は、玄関子機の呼び出しボタンを押した来訪者の映像の確認や来訪者との通話を行うことができる。
【０００５】
又、従来より、コードレス電話とドアホンを接続し、ドアホンからの呼び出しをコードレス電話で対応可能な、複合システムが実用化されている。更に、本システムでは、コードレス電話親機とドアホン間に無線通信用のドアホン接続ターミナルボックスを接続し、ワイヤレスでコードレス電話とドアホンの複合システムを構築する技術が特許文献１で開示されている。
【特許文献１】特開平６−３３８９２８号公報
【発明の開示】
【発明が解決しようとする課題】
【０００６】
上述のごとく、各種通信機器が一般に利用されるようになり、利便性の向上から、無線技術を利用した通信機器が普及しているが、それぞれのシステムを複合したシステムを構築する場合、それぞれのシステムを有線で接続していたため、拡張性を損なうという課題があった。
【０００７】
又、特許文献１では、システム間の接続を無線通信で行う技術が開示されているが、接続用の専用の無線機器が必要になるという課題があった。
【０００８】
更に、従来の複数のコードレス電話の外線入出力を接続したシステムや、コードレス電話とドアホンを接続したシステムでは、外線着信をすべてのコードレス電話親機、子機で応答可能になる、あるいは、ドアホン呼び出しをコードレス電話で応答可能になる等の利便性の向上が図られているものの、相互のシステムが持つ機能の一部のみが共用されているにとどまり、異なるコードレス親機に属するコードレス子機間での内線通話ができない、ドアホンで電話の着信応答ができない等、システム間を接続したにもかかわらず、それぞれの機能を相互利用する上での制限が大きかった。
【０００９】
更に、無線通信を行うシステムを相互に接続したシステムでも、相互の無線通信に関する制御は行われておらず、それぞれのシステム間での無線干渉の危険があった。
【００１０】
本発明は、上記課題をかえりみて、複数の無線通信システムを無線通信によって接続し、相互のサービスを利用可能にした利便性の高い無線通信システム、無線通信装置及び無線通信方法を提供することを目的とする。
【００１１】
又、本発明は、複数の無線通信システムを無線通信によって接続する場合、相互の無線通信の無線干渉の発生を抑えた無線通信システム、無線通信装置及び無線通信方法を提供することを目的とする。
【００１２】
又、本発明は、無線通信システムを拡張する場合、従来の無線通信システムへの変更を必要としない拡張性に富む無線通信システム、無線通信装置及び無線通信方法を提供することを目的とする。
【課題を解決するための手段】
【００１３】
本発明は、複数の制御局と従属局とで構成された無線通信システムにおいて、制御局間での無線通信によって、相互に発生した呼び出し報知を開始すべきイベントを通知、あるいは、検知することにより、呼び出し報知を開始すべきイベントが発生した場合、システム全体でイベントに対する制御を可能にしたことを主要な特徴とする。
【発明の効果】
【００１４】
本発明の無線通信システム、無線通信装置及び無線通信方法は、１つの制御局が呼び出し報知を開始すべきイベントを検知した場合、他の制御局と無線リンクを確立し、呼び出し報知を開始すべきイベント発生を通知し、他の制御局は、呼び出し報知を開始すべきイベント発生が通知されると呼び出し動作を開始するように動作することにより、１つの制御局と１つ以上の従属局からなる複数の無線通信システムをワイヤレスで接続可能となり、各々のシステムで発生したイベントをシステム全体で認識し、サービスの提供が可能となる効果を有する。
【００１５】
又、本発明の無線通信システム、無線通信装置及び無線通信方法は、制御局が呼び出しを開始すべきイベントを検知し報知を開始し、他の制御局は、その報知を受信すると呼び出し動作を開始するように動作することにより、１つの制御局と１つ以上の従属局からなる複数の無線通信システムをワイヤレスで接続可能となり、各々のシステムで発生したイベントをシステム全体で認識し、サービスの提供が可能となる効果を有する。
【００１６】
又、本発明の無線通信システム、無線通信装置及び無線通信方法は、１つの制御局と１つ以上の従属局からなる複数の無線通信システムで構成された無線通信システムにおいて
、すべての制御局及び従属局は時分割多重通信を用いて通信を行い、１つの制御局が主制御局として時分割多重の通信タイミングの基準として動作し、他の制御局が主制御局に時分割多重の通信タイミングの同期を取り、又、それぞれの従属局は制御局に時分割多重の通信タイミングの同期を取って無線通信を行うことにより、システム内での無線干渉の発生を低減する効果を有する。
【００１７】
又、本発明の無線通信システム、無線通信装置及び無線通信方法は、従来の制御局と従属局とで構成された無線通信システムに新たな無線通信システムを接続する場合、接続側の制御局に従来の無線通信システムの従属局として動作する機能を設けることにより、従来の無線通信システムに変更を加えることなく、無線通信システムの拡張が可能となり、拡張性が向上する効果を有する。
【発明を実施するための最良の形態】
【００１８】
本発明は、複数の無線通信システムを無線通信によって接続し、相互のサービスを利用可能にした利便性の高い無線通信システム、無線通信装置及び無線通信方法を提供するという目的を、１つの制御局が呼び出し報知を開始すべきイベントを検知した場合、他の制御局と無線リンクを確立し、呼び出し報知を開始すべきイベント発生を通知し、他の制御局は、呼び出し報知を開始すべきイベント発生が通知されると呼び出し動作を開始するように動作すること、又、制御局が呼び出しを開始すべきイベントを検知し報知を開始し、他の制御局は、その報知を受信すると呼び出し動作を開始するように動作することにより実現した。
【００１９】
又、本発明は、複数の無線通信システムを無線通信によって接続する場合、相互の無線通信の無線干渉の発生を抑えた無線通信システム、無線通信装置及び無線通信方法を提供するという目的を、１つの制御局と１つ以上の従属局からなる複数の無線通信システムで構成された無線通信システムにおいて、すべての制御局及び従属局は時分割多重通信を用いて通信を行い、１つの制御局が主制御局として時分割多重の通信タイミングの基準として動作し、他の制御局が主制御局に時分割多重の通信タイミングの同期を取り、又、それぞれの従属局は制御局に時分割多重の通信タイミングの同期を取って無線通信を行うことにより実現した。
【００２０】
又、無線通信システムを拡張する場合、従来の無線通信システムへの変更を必要としない拡張性に富む無線通信システム、無線通信装置及び無線通信方法を提供するという目的を、従来の制御局と従属局とで構成された無線通信システムに新たな無線通信システムを接続する場合、接続側の制御局に従来の無線通信システムの従属局として動作する機能を設けることにより実現した。
【００２１】
上記課題を解決するためになされた第１の発明は、複数の制御局と従属局とで構成された無線通信システムであって、制御局は、無線信号の送信を行う送信部と、無線信号の受信を行う受信部と、自局又は他の制御局又は従属局での呼び出し報知を開始すべきイベントを検知し呼び出し動作を開始するように制御を行う制御部を備え、制御局は、他の制御局での呼び出し報知を開始すべきイベントを検知した場合、他の制御局と無線リンクを確立し、呼び出し報知を開始すべきイベント発生を通知し、他の制御局は、呼び出し報知を開始すべきイベント発生が通知されると呼び出し動作を開始するように動作することを特徴としたものである。
【００２２】
制御局は、他の制御局での呼び出し報知を開始すべきイベントを検知した場合、他の制御局と無線リンクを確立し、呼び出し報知を開始すべきイベント発生を通知し、他の制御局は、呼び出し報知を開始すべきイベント発生が通知されると呼び出し動作を開始するように動作することにより、システム内で呼び出しを必要とするイベントが発生した場合、
イベントの発生もとの制御局より他の制御局に無線通信でイベント発生が通知されるので、例えば、コードレス電話同士が接続されたシステムでは、ある従属局より要求された内線呼び出しが、他のコードレス電話親機に接続された従属局でも報知される、又、コードレス電話と無線ドアホンが接続されたシステムでは電話の外線着信が無線ドアホン側に、あるいは、ドアホン着信がコードレス電話側で報知されるといったように、１つの呼び出しイベント発生をシステム内で共有可能となり、相互のサービスを利用可能になるという効果を有する。
【００２３】
上記課題を解決するためになされた第２の発明は、あらかじめ決められた時間を複数のスロットに分割して各々のスロットで無線通信を行う時分割多重通信を行い、時分割多重通信の通信タイミングの基準となる１つの主制御局と主制御局の時分割多重通信の通信タイミングに同期して動作する１つ以上の副制御局と主制御局または副制御局の時分割多重通信の通信タイミングに同期して動作する１つ以上の従属局とで構成された無線通信システムであって、主制御局は、時分割多重通信を行うためのフレーム処理部を備え、副制御局は、主制御局に同期して時分割多重通信を行うためのフレーム処理部を備え、主制御局は少なくとも１つのスロットで時分割多重通信の通信タイミングの基準となる制御信号を送信し、副制御局は制御信号を受信し、前期主制御局のスロットタイミングに同期して通信を行うよう動作することを特徴としたものである。
【００２４】
１つの制御局と１つ以上の従属局からなる複数の無線通信システムで構成された無線通信システムにおいて、すべての制御局及び従属局は時分割多重通信を用いて通信を行い、１つの制御局が主制御局として時分割多重の通信タイミングの基準として動作し、他の制御局が主制御局に時分割多重の通信タイミングの同期を取り、又、それぞれの従属局は制御局に時分割多重の通信タイミングの同期を取って無線通信を行い、システム内の制御局間の通信、及び、制御局と従属局との通信がシステム内の１つの制御局（主制御局）のスロットタイミングに同期して通信を行うよう動作するので、システム内の制御局間の通信、及び、制御局と従属局との通信に使用するスロットが他のシステム内の通信の２つのスロットにまたがることが無く、各通信で使用される通信スロットが有効に配置されるので、相互の干渉が発生する危険を低減することが可能となる。
【００２５】
上記課題を解決するためになされた第３の発明は、主制御局は、呼び出し報知を開始すべきイベントを検知した場合、制御信号にて呼び出し報知を開始すべきイベント発生を報知し、副制御局は、主制御局の制御信号にて自局での呼び出し開始を必要とするイベントの報知を受信すると、呼び出し動作を開始するように動作することを特徴としたものである。
【００２６】
主制御局の動作は、呼び出し報知を開始すべきイベントを検知した場合、制御信号にて呼び出し報知を開始すべきイベント発生を報知する動作、即ち、従来の無線通信システムの制御局と同じ動作とし、主制御局を有する無線通信システムに接続する無線通信システムの制御局を、従来の制御局と同じ動作をする主制御局が送信する呼び出し報知を開始すべきイベントを報知する制御信号を受信して自システム内で従来の無線通信システムで発生したイベントを報知するようにしたので、従来の無線通信システムに接続して無線通信システムを拡張することが可能となり、拡張性が向上することが可能となる。
【００２７】
上記課題を解決するためになされた第４の発明は、副制御局は、呼び出し報知を開始すべきイベントを検知した場合、主制御局が送信する制御信号の受信タイミングを元に決定した主制御局の待ち受けスロットを用いて主制御局との通信リンクを起動し、呼び出し報知を開始すべきイベント発生を通知し、主制御局は、副制御局より呼び出し開始を必要とする必要とするイベントを通知されると、呼び出し動作を開始するように動作することを特徴としたしたものである。
【００２８】
副制御局は、主制御局に通知するイベントの発生時のみ主制御局との通信を開始する、即ち、副制御局下の従属局より内線の一斉呼び出しのイベントが発生した場合は、主制御局に通知し、副制御局下の従属局より同一の副制御局下の従属局あての個別の内線呼び出しのイベントが発生した場合は、主制御局に通知行わないといったような、イベントの種別に応じて副制御局は、主制御局にイベントの発生を通知するか否かを決定し動作するので、副制御局でイベントが発生するごとに主制御局との通信が開始されず、無駄な通信をなくすことができ、無線リソースの低下を防ぎ、又、無駄な通信による無線干渉の発生を抑えることが可能となる。
【００２９】
上記課題を解決するためになされた第５の発明は、主制御局は、副制御局より通知された呼び出し報知を開始すべきイベントが、他の副制御局への報知が必要であった場合、制御信号にて呼び出し報知を開始すべきイベント発生を報知することを特徴したものである。
【００３０】
主制御局が、副制御局より通知された呼び出し報知を開始すべきイベントが、他の副制御局への報知が必要であった場合、制御信号にて呼び出し報知を開始すべきイベント発生を報知するようにしたことにより、副制御局で発生したイベントを主制御局を介して他の制御局に通知することができ、１つの制御局と複数の副制御局で構成された無線システムの構成において、いずれかの制御局で発生したイベントを他の全制御局に通知するこが可能となり、システムの拡張性を向上することが可能となる。
【００３１】
上記課題を解決するためになされた第６の発明は、制御局または従属局より、他の制御局及び他の制御局の従属局を呼び出す場合、他の制御局を特定するための制御局識別情報を指定することにより、制御局または従属局より他の制御局及び他の制御局の従属局を一斉に呼び出すように動作することを特徴としたものである。
【００３２】
制御局を特定するための制御局識別情報を指定し、他の制御局及び他の制御局の従属局を呼び出すようにしたことにより、特定の制御局及びその従属局のみを呼び出すグループ発信が可能となり、利便性が向上する。
【００３３】
上記課題を解決するためになされた第７の発明は、使用者が制御局のサービス情報を入力又は選択することによりサービス情報に対応した制御局識別情報が指定されることを特徴としたものである。
【００３４】
使用者が制御局を指定し、その制御局または制御局の従属局に発信する場合、例えば、その発信先のシステムがドアホンであった場合、制御局の制御局識別情報を入力する代わりに、ドアホン内線発信のメニューを選択し発信が可能となるように、制御局の制御局識別情報によって発信先を選択する場合に比べ、発信者は発信先の選択がより容易に行え利便性が向上する。
【００３５】
上記課題を解決するためになされた第８の発明は、制御局または従属局より、他の制御局を呼び出す場合、制御局または従属局は他の制御局を特定するための制御局識別情報と個別呼び出しであることを指定することにより、制御局または従属局より他の制御局を呼び出すように動作することを特徴としたものである。
【００３６】
制御局を特定するための制御局識別情報と個別呼び出しであることを指定し、他の制御局を呼び出すようにしたことにより、特定の制御局のみの呼び出しを行う個別発信が可能となり、利便性が向上する。
【００３７】
上記課題を解決するためになされた第９の発明は、制御局または従属局より、他の制御局の従属局を呼び出す場合、制御局または従属局は他の制御局を特定するための制御局識別情報と他の制御局に属する従属局を特定するための従属局識別情報とを指定することにより、制御局または従属局より他の制御局の従属局を呼び出すように動作することを特徴としたものである。
【００３８】
他の制御局の従属局を呼び出す場合、他の制御局を特定するための制御局識別情報と他の制御局に属する従属局を特定するための従属局識別情報を指定し、他の制御局の従属局を呼び出すようにしたことにより、無線通信システム内の特定の従属局のみの呼び出しを行う個別発信が可能となり、利便性が向上する。
【００３９】
上記課題を解決するためになされた第１０の発明は、従属局識別情報は、従属局が属する制御局下で有効な内線番号であることを特徴としたものである。
【００４０】
従属局識別情報を従属局が属する制御局下で有効な内線番号としたことにより、制御局が異なる従属局の内線番号を同一にすることが可能となり、内線番号の複雑化を避け、又、内線番号付与の自由度が向上する効果を有する。
【００４１】
上記課題を解決するためになされた第１１の発明は、制御局と従属局があらかじめ決められた時間を複数のスロットに分割して各々のスロットで無線通信を行う時分割多重通信を行い、制御局が送信する制御信号に元に従属局が時分割多重通信の通信タイミングに同期して無線通信を行う無線通信装置であって、無線通信装置は、無線信号の送信を行う送信部と、無線信号の受信を行う受信部と、他の制御局に同期して時分割多重通信を行うためのフレーム処理部と制御局として従属局との通信を行うための制御と、フレーム処理部で同期している制御局の従属局として他の制御局と通信を行うための制御と、呼び出し開始のイベントを検知し呼び出し動作を開始するように制御を行う制御部を備え、制御部は、呼び出し開始のイベントを検知し場合、従属局への呼び出しを開始すると共に、他の制御局との無線リンクを確立し、他の制御局に呼び出し開始のイベントを通知するように動作することを特徴としたものである。
【００４２】
フレーム処理部で、制御局に同期して時分割多重通信を行い、制御局として従属局と通信を行い、従属局としてフレーム処理部で同期している制御局と通信を行うことにより、呼び出し開始のイベントが発生した場合、従属局としての動作し、フレーム処理部で同期している制御局と通信し、呼び出し開始のイベントが発生を通知することが可能となり、フレーム処理部で同期している制御局が従来の制御局であっても、イベント発生を通知でき、システム拡張が可能となる効果を有する。又、他の制御局に同期しながら、制御局として従属局と通信を行うことにより、相互の無線干渉の発生を低減できる効果を有する。
【００４３】
上記課題を解決するためになされた第１２の発明は、制御局と従属局があらかじめ決められた時間を複数のスロットに分割して各々のスロットで無線通信を行う時分割多重通信を行い、制御局が送信する制御信号に元に従属局が時分割多重通信の通信タイミングに同期して無線通信を行う無線通信装置であって、無線通信装置は、無線信号の送信を行う送信部と、無線信号の受信を行う受信部と、他の制御局に同期して時分割多重通信を行うためのフレーム処理部と制御局として従属局との通信を行うための制御と、フレーム処理部で同期している制御局の従属局として他の制御局と通信を行うための制御と、呼び出し開始のイベントを検知し呼び出し動作を開始するように制御を行う制御部を備え、制御部は、他の制御局が送信する呼び出し信号を含む制御信号を受信し、他の制御局に同期して動作するように制御を行うとともに、制御局より呼び出し信号の報知を受信すると、従属局への呼び出しを開始し、呼び出しに対する応答操作が行われると、他の制御局の従属局として他の制御局との無線リンクを確立し、他の制御局に呼び出し応答を通知し、無線通信
を行うように動作することを特徴としたものである。
【００４４】
制御局に同期し、制御局が送信する制御信号を受信し、制御局の制御信号で呼び出し信号の報知を受信すると、呼び出し動作を開始し、応答操作が行われると、同期している制御局、即ち、呼び出し中の制御局の従属局として該当制御局と無線リンクを確立し制御局との通信を開始し、呼び出し応答を行うようにしたことにより、フレーム処理部で同期している制御局が従来の制御局であっても、相互の通信が可能となり、システム拡張が可能となる効果を有する。又、他の制御局に同期しながら、制御局として従属局と通信を行うことにより、相互の無線干渉の発生を低減できる効果を有する。
【００４５】
（実施の形態１）
本発明の実施の形態１に係る無線通信システムの構成を図１から図５に基づいて説明する。図１は、本発明の実施の形態１に係る無線通信システムの構成を説明する図である。図２は、本発明の実施の形態１に係るドアホン装置の構成を説明する図である。図３は、本発明の実施の形態１に係るコードレス電話装置のコードレス電話親機の構成を説明する図である。図４は、本発明の実施の形態１に係るコードレス電話子機の構成を説明する図である。図５は、本発明の実施の形態１に係るドアホン子機の構成を説明する図である。
【００４６】
図１に示すように、本発明の実施の形態に係る無線通信システム１は、ドアホン親機２ｂと玄関子機２ａで構成された副制御局として動作するドアホン装置２と、主制御局として動作する電話回線６に接続されたコードレス電話親機３と、ドアホン親機２ｂの従属局として動作するドアホン子機４と、コードレス電話親機３の従属局として動作するコードレス電話子機５を備えている。図１では、ドアホン子機４及びコードレス電話子機５は１台しか図示していないが複数でもよい。
【００４７】
次に、図１を用いて、本発明の実施の形態１における無線通信システムの動作概要について説明を行う。無線通信システム１のドアホン親機２ｂ、コードレス電話親機３、ドアホン子機４、コードレス電話子機５は時分割多重通信によって通信を行う。
【００４８】
主制御局として動作するコードレス電話親機３は、自己のタイミングで時分割多重通信のフレーム、スロットのタイミングを生成し、特定のスロットで、フレーム内のどのスロットで本信号を送信しているかを示す送信スロット情報、コードレス電話親機を識別するための自己の制御局識別情報であるＩＤコード、外線着信や内線呼び出し等の呼び出し報知等を行う制御信号を送信する。以後、このコードレス電話親機３が送信する制御信号を主制御信号、又、主制御信号を送信するスロットを主制御スロットと呼ぶ。
【００４９】
副制御局として動作するドアホン親機２ｂは、主制御局であるコードレス電話親機３が送信する主制御信号を受信し、時分割多重通信の同期を確立し、受信したコードレス電話親機３の送信情報を元に、コードレス電話親機３のフレーム、スロットのタイミングと同じになるよう時分割多重通信のフレーム、スロットのタイミングを生成し、動作中、主制御信号の受信を継続しながら、特定のスロットで、フレーム内のどのスロットで本信号を送信しているかを示す送信スロット情報、ドアホン親機を識別するための自己の制御局識別情報であるＩＤコード、玄関子機からの着信や内線呼び出し等の呼び出し報知等を行う制御信号を送信する。以後、このドアホン親機２ｂが送信する制御信号を副制御信号、又、副制御信号を送信するスロットを副制御スロットと呼ぶ。
【００５０】
ドアホン親機２ｂの従属局として動作するドアホン子機４は、副制御局であるドアホン親機２ｂが送信する副制御信号を受信し、時分割多重通信の同期を確立し、受信したドアホン親機２ｂの送信情報を元に、ドアホン親機２ｂのフレーム、スロットのタイミングと同じになるよう時分割多重通信のフレーム、スロットのタイミングを生成し、待機中、ド
アホン親機２ｂの副制御信号の受信を継続する。
【００５１】
コードレス電話親機３の従属局として動作するコードレス電話子機５は、主制御局であるコードレス電話親機３が送信する主制御信号を受信し、時分割多重通信の同期を確立し、受信したコードレス電話親機３の送信情報を元に、コードレス電話親機３のフレーム、スロットのタイミングと同じになるよう時分割多重通信のフレーム、スロットのタイミングを生成し、待機中、コードレス電話親機３の主制御信号の受信を継続する。
【００５２】
上記のごとくして、本発明の実施の形態１の無線通信システムは、主制御局であるコードレス電話親機３のフレーム、スロットのタイミングに同期してシステム内のすべての無線通信装置が動作を行う。
【００５３】
次に、呼び出し報知を開始すべきイベントが発生した場合の動作について説明を行う。
【００５４】
先ず、外線着信時の動作について説明を行う。電話回線６より、外線着信が伝えられると、コードレス電話親機３は、リンガーを鳴らすなどして外線着信の発生を使用者に知らせるとともに、主制御信号にて外線着信による呼び出しの報知を開始する。コードレス電話子機５は、コードレス電話親機３が送信する主制御信号にて外線着信による呼び出しの報知を受信すると、リンガーを鳴らすなどして外線着信の発生を使用者に知らせる。又、ドアホン親機２ｂは、コードレス電話親機３が送信する主制御信号にて外線着信による呼び出しの報知を受信すると、リンガーを鳴らすなどして外線着信の発生を使用者に知らせるとともに、副制御信号にて外線着信による呼び出しの報知を開始する。そして、ドアホン子機４は、ドアホン親機２ｂが送信する副制御信号にて外線着信による呼び出しの報知を受信すると、リンガーを鳴らすなどして外線着信の発生を使用者に知らせる。
【００５５】
上記のようにして外線着信が発生すると、システム内のすべての無線通信装置で使用者に外線着信を知らせる動作を開始し、いずれかの無線通信装置で応答操作が行われると、応答した無線通信装置と外線通話を開始し、他の無線通信装置へ外線着信の呼び出し報知と同様に外線着信停止を報知する動作を行い、他の無線通信装置での外線着信の発生を知らせる動作が停止される。
【００５６】
引き続き、外線着信にそれぞれの無線通信装置で応答した場合の詳細な動作について説明を行う。
【００５７】
外線着信中、コードレス電話子機５で応答した場合、コードレス電話親機３とコードレス電話子機５は、制御局と従属局間で外線着信応答時に必要なネゴシエーションを行い外線通話に移行する。即ち、コードレス電話子機５は、コードレス電話親機３が従属局からの無線リンクの確立要求を待ち受けるスロットにて、コードレス電話親機３へ無線リンクの確立要求を送信し、コードレス電話親機３との無線リンクを確立する。そして、自己の従属局識別情報の送信、外線着信への応答メッセージ等をコードレス電話親機３に通知し、コードレス電話親機３では、受信した従属局識別情報を基に、自分に登録された正規の従属局からの接続要求かを判定し、正規の従属局からの外線応答の要求であれば、外線との音声パスを従属局に接続するように動作し、コードレス電話子機５と外線が接続される。
【００５８】
又、外線着信中、ドアホン親機２ｂで応答した場合、コードレス電話親機３とドアホン親機２ｂは、上記と同様に制御局と従属局間で外線着信応答時に必要なネゴシエーションを行い外線通話に移行する。即ち、ドアホン親機２ｂは、コードレス電話親機３と接続のために従属局としての動作を行い、コードレス電話親機３が従属局からの無線リンクの確立要求を待ち受けるスロットにて、コードレス電話親機３へ無線リンクの確立要求を送信
し、コードレス電話親機３との無線リンクを確立する。そして、ドアホン親機２ｂがコードレス電話親機３に従属局として登録した際の自己の従属局識別情報の送信、外線着信への応答メッセージ等をコードレス電話親機３に通知し、コードレス電話親機３では、受信した従属局識別情報を基に、自分に登録された正規の従属局からの接続要求かを判定し、正規の従属局からの外線応答の要求であれば、外線との音声パスを従属局に接続するように動作し、ドアホン親機２ｂと外線が接続される。尚、このとき、ドアホン親機２ｂがコードレス電話親機３に送信する従属局識別情報は、ドアホン親機２ｂをコードレス電話親機３に、コードレス電話親機３に登録する際に用いた識別情報であれば、ドアホン親機２ｂが副制御信号で送信する制御局識別情報と同じであっても、異なっていてもよい。
【００５９】
又、外線着信中、ドアホン子機４で応答した場合、上記コードレス電話子機５で応答したときと同様に、ドアホン子機４は、ドアホン親機２ｂとの間で、無線リンクを確立し、制御局と従属局間で外線着信応答時に必要なネゴシエーションを行い、外線着信への応答メッセージをドアホン親機２ｂに送信する。ドアホン子機４から外線着信への応答メッセージを受信したドアホン親機２ｂは、上記ドアホン親機２ｂで外線応答を行ったときと同様にして、コードレス電話親機３と無線リンクを確立し、コードレス電話親機３と外線着信応答時に必要なネゴシエーションを行い、ドアホン子機４は、外線通話に移行する。即ち、ドアホン子機４は、ドアホン親機２ｂが従属局からの無線リンクの確立要求を待ち受けるスロットにて、ドアホン親機２ｂへ無線リンクの確立要求を送信し、ドアホン親機２ｂとの無線リンクを確立する。そして、自己の従属局識別情報の送信、外線着信への応答メッセージ等をドアホン親機２ｂに通知し、ドアホン親機２ｂでは、受信した従属局識別情報を基に、自分に登録された正規の従属局からの接続要求かを判定し、正規の従属局からの外線応答の要求であれば、コードレス電話親機３との接続動作を開始する。そして、ドアホン親機２ｂは制御局として従属局のドアホン子機４との無線通信を維持しながら、コードレス電話親機３の従属局としての動作を行い、コードレス電話親機３が従属局からの無線リンクの確立要求を待ち受けるスロットにて、コードレス電話親機３へ無線リンクの確立要求を送信し、コードレス電話親機３との無線リンクを確立する。そして、ドアホン親機２ｂがコードレス電話親機３に従属局として登録した際の自己の従属局識別情報の送信、外線着信への応答メッセージ等をコードレス電話親機３に通知し、コードレス電話親機３では、受信した従属局識別情報を基に、自分に登録された正規の従属局からの接続要求かを判定し、正規の従属局からの外線応答の要求であれば、外線との音声パスを従属局（ここでは、ドアホン親機２ｂ）に接続するように動作し、ドアホン親機２ｂと外線が接続される。そして、ドアホン親機２ｂは、外線との接続が完了すると、その音声パスをドアホン子機４に接続し、外線とドアホン子機４が接続される。
【００６０】
上述のごとく、外線着信にドアホン親機２ｂ又はドアホン子機４で応答した場合、コードレス電話親機３は、ドアホン親機２ｂと無線リンクを確立するが、その接続シーケンスは、コードレス電話親機３とコードレス電話子機５との接続シーケンスと同じであり、コードレス電話親機３から見た場合、ドアホン親機２ｂからの外線着信応答は、コードレス電話子機５からの応答とまったく等価である。これは、ドアホン親機２ｂに、コードレス電話親機３の従属局としての制御を組み込むことにより、コードレス電話親機３になんら変更を加えることなく、本発明の無線通信システムとして動作が可能であることを意味する。即ち、従来のコードレス電話と副制御局として動作するドアホン親機の組み合わせで、本発明の無線通信システムが構築可能であることを意味し、拡張性の高さを示している。
【００６１】
次に、玄関子機２ａより、呼び出しが発生した場合の動作について説明を行う。
【００６２】
来訪者が玄関子機２ａの呼び出しボタンを押して、ドアホン親機２ｂが玄関子機２ａからの呼び出しを検知すると、ドアホン親機２ｂは、ピーンポーンというような報知音を鳴
らし、玄関子機２ａのカメラで撮影された画像をモニタに表示し、来客を使用者に知らせるとともに、副制御信号にて玄関子機２ａからの呼び出しの報知（以下来客報知と記す）と玄関子機２ａのカメラで撮影された画像の送信を開始する。ドアホン子機４は、ドアホン親機２ｂが送信する副制御信号にて来客報知を受信すると、ピーンポーンというような報知音を鳴らすなどして来客を使用者に知らせるとともに受信した画像をモニタに表示する。又、ドアホン親機２ｂは、コードレス電話親機３と無線リンクを確立し、来客の発生の通知を行い、カメラで撮影された画像を送信する。そして、コードレス電話親機３は、来客発生を通知する報知音を鳴らし、受信した映像をモニタ等の表示部に表示するとともに、主制御信号にてドアホン親機２ｂからの来客報知と玄関子機２ａのカメラで撮影された画像の送信を開始する。そして、コードレス電話子機５は、主制御信号にてドアホン親機２ｂからの来客報知と玄関子機２ａのカメラで撮影された画像を受信すると、来客発生を通知する報知音を鳴らし、受信した映像をモニタ等の表示部に表示し、来客発生を使用者に知らせる。
【００６３】
上記のようにして来訪者が玄関子機２ａの呼び出しボタンを押すと、システム内のすべての無線通信装置で使用者に来客を知らせる動作を開始し、いずれかの無線通信装置で応答操作が行われると、応答した無線通信装置と玄関子機２ａとの音声パスが接続され、来訪者との会話が可能になる。そして、他の無線通信装置へ来客報知と同様に来客報知停止を報知する動作を行い、他の無線通信装置での来客発生を知らせる動作が停止される。
【００６４】
引き続き、来客報知にそれぞれの無線通信装置で応答した場合の詳細な動作について説明を行う。
【００６５】
来客報知中、ドアホン子機４で応答した場合、ドアホン親機２ｂとドアホン子機４は、制御局と従属局間で来客報知応答時に必要なネゴシエーションを行い玄関子機２ａとの通話に移行する。即ち、ドアホン子機４は、ドアホン親機２ｂが従属局からの無線リンクの確立要求を待ち受けるスロットにて、ドアホン親機２ｂへ無線リンクの確立要求を送信し、ドアホン親機２ｂとの無線リンクを確立する。そして、自己の従属局識別情報の送信、来客報知への応答メッセージ等をドアホン親機２ｂに通知し、ドアホン親機２ｂでは、受信した従属局識別情報を基に、自分に登録された正規の従属局からの接続要求かを判定し、正規の従属局からの応答の要求であれば、玄関子機２ａとの音声パスを従属局に接続するように動作し、ドアホン子機４と玄関子機２ａが接続される。
【００６６】
又、来客報知中、コードレス電話親機３で応答した場合、ドアホン親機２ｂとコードレス電話親機３は、来客報知応答時に必要なネゴシエーションを行い玄関子機２ａとの通話に移行する。即ち、ドアホン電話親機２は、来客報知の動作を開始すると、コードレス電話親機３に対し、従属局としての動作を行い、コードレス電話親機３が従属局からの無線リンクの確立要求を待ち受けるスロットにて、コードレス電話親機３へ無線リンクの確立要求を送信し、コードレス電話親機３との無線リンクを確立する。そして、ドアホン親機２ｂがコードレス電話親機３に従属局として登録した際の自己の従属局識別情報の送信、来客報知の発生のメッセージ等をコードレス電話親機３に通知するとともに玄関子機２ａで撮影された画像を送信し、コードレス電話親機３では、受信した従属局識別情報を基に、自分に登録された正規の従属局からの接続要求かを判定し、正規の従属局からの来客報知の発生の通知であれば、リンガーを鳴らし、画像をモニタ等の表示部に表示して来客報知を使用者に知らせ、主制御信号にて来客報知の発生を報知し、受信した画像を送信する。そして、コードレス電話親機３にて応答操作が行われると、来客報知を通知するためにすでに起動されていたドアホン親機２ｂとの無線リンクを用いて応答メッセージを送信し、音声パスをその無線リンクと接続するよう制御を行う。コードレス電話親機３からの  
応答メッセージを受信したドアホン親機２ｂは、玄関子機２ａとの音声パスをコードレス電話親機３と接続している無線リンクに接続するように制御を行い、玄関子機２ａとコ
ードレス電話親機３との音声パスが接続される。
【００６７】
又、来客報知中、コードレス電話子機５で応答した場合、コードレス電話子機５は、コードレス電話親機３との間で無線リンクを確立し、上記ドアホン子機４で応答したときと同様に制御局と従属局間で来客報知応答時に必要なネゴシエーションを行い、来客報知への応答メッセージ等を送信する。コードレス電話子機５から来客報知への応答メッセージを受信したコードレス電話親機３は、上記コードレス電話親機３で来客報知への応答を行ったときと同様にしてドアホン親機２ｂと来客報知応答時に必要なネゴシエーションを行い玄関子機２ａとの通話パスを確立し、コードレス電話子機５は、玄関子機２ａとの通話に移行する。即ち、コードレス電話子機５は、コードレス電話親機３が従属局からの無線リンクの確立要求を待ち受けるスロットにて、コードレス電話親機３へ無線リンクの確立要求を送信し、コードレス電話親機３との無線リンクを確立する。そして、自己の従属局識別情報の送信、来客報知への応答メッセージ等をコードレス電話親機３に通知し、コードレス電話親機３では、受信した従属局識別情報を基に、自分に登録された正規の従属局からの接続要求かを判定し、正規の従属局からの玄関子機２ａ応答の要求であれば、ドアホン親機２ｂとの接続動作を開始する。そして、コードレス電話親機３は制御局として従属局のコードレス電話子機５との無線通信を維持しながら、来客報知開始時に確立されたドアホン親機２ｂとの無線リンク上で、応答メッセージを送信し、その無線リンクとコードレス電話子機５との無線リンクと接続するよう制御を行う。そして、ドアホン親機２ｂでは、玄関子機２ａとの音声パスをコードレス電話親機３との無線リンクに接続するように動作し、玄関子機２ａとコードレス電話子機５が接続される。
【００６８】
尚、上述の説明では、来客報知の発生をドアホン親機２ｂからコードレス電話親機に通知する場合、来客報知の発生のメッセージを通知することによって行う例を示したが、来客報知の発生のメッセージを通知する代わりに、コードレス電話親子機間での内線発信のシーケンスを用いて、来客報知のメッセージを通知する方法も可能である。
【００６９】
次に、玄関子機２ａより、呼び出しが発生した場合、内線通話の制御を利用してコードレス電話親機３、コードレス電話子機５で応答する動作について説明を行う。
【００７０】
コードレス電話子機５より一斉内線発信を行った場合、コードレス電話子機５よりコードレス電話親機３に対し、無線リンクの確立要求を行い、確立した無線リンク上で、従属局識別情報と内線呼び出しのメッセージを送信し、コードレス電話親機３では、発信もとのコードレス電話子機５の内線番号を表示し、リンガーを鳴らすなどして内線着信を使用者に通知するとともに、コードレス電話親機３より制御信号上で内線呼び出しと呼び出しもとのコードレス電話子機３の内線番号を報知し、制御信号を受信したコードレス電話子機５では、コードレス電話親機３と同様に発信もとのコードレス電話子機５の内線番号を表示し、リンガーを鳴らすなどして内線着信を使用者に通知する。ドアホン親機２ｂより来客報知を、内線発信としてコードレス電話側に通知する場合、上述のコードレス電話子機が一斉内線発信を行う場合と同様に、ドアホン親機２ｂは、コードレス電話親機に対し、無線リンクの確立要求を行い、確立した無線リンク上で、従属局識別情報と内線呼び出しのメッセージを送信する。コードレス電話親機は、コードレス電話子機より一斉内線発信の要求が行われた場合と同じ動作で、ドアホン側で発生した来客報知のイベントを一斉内線発信のイベントとして処理し、発信もとのドアホン親機をコードレス電話親機の従属局として登録した際に付与した内線番号を表示し、リンガーを鳴らすなどして内線着信を使用者に通知し、制御信号で内線一斉着信の発生を報知し、コードレス子機でもドアホン親機に対応した内線番号を表示し、リンガーを鳴らすなどして内線着信を使用者に通知する。即ち、コードレス電話の使用者は、内線着信時に表示される内線番号によりドアホン側からの着信、つまり、来訪者が玄関子機の呼び出し操作を行ったことを知ることができる。又、コードレス電話の機能で、内線着信時、発信元に応じてリンガーの呼び出し音を
変える機能を有している場合、ドアホン側からの内線呼び出し音をコードレス電話親機又はコードレス電話子機からの内線呼び出し音と別の音にすることによって、リンガー音によってドアホンから呼び出しであることを認識でき、利便性が向上する。又、コードレス電話親機又はコードレス電話子機でドアホン親機からの一斉内線発信に応答した場合、コードレス電話子機からの一斉内線発信に応答した場合と同様に、応答した無線通信装置とコードレス電話親機間の音声パスが接続され、応答した無線通信装置と玄関子機との音声パスが接続され、コードレス電話親機又はコードレス電話子機で来訪者との通話が可能になる。尚、このように、ドアホンの来客報知をコードレス電話の内線発信と同じ制御で通知する場合、ドアホンに画像撮影、表示機能があっても、通常、コードレス電話側は、画像の表示機能が無いので、上述のように内線通話の制御を利用して音声パスの接続のみが行われる。
【００７１】
上述のごとく、来客報知、応答の制御をコードレス電話の内線発信、応答の制御と同じ制御で実施する場合、ドアホン親機２ｂは、コードレス電話親機３と無線リンクを確立するが、その接続シーケンスは、ドアホン親機２ｂとドアホン子機４との内線発信、応答時の接続シーケンスと同じであり、コードレス電話親機３から見た場合、ドアホン親機２ｂとの制御シーケンスは、ドアホン子機４との間で内線発信、応答する場合とまったく等価である。これは、ドアホン親機２ｂに、コードレス電話親機３の従属局としての制御を組み込むことにより、コードレス電話親機３になんら変更を加えることなく、本発明の無線通信システムとして動作が可能であることを意味する。即ち、従来のコードレス電話と副制御局として動作するドアホン親機の組み合わせで、本発明の無線通信システムが構築可能であることを意味し、拡張性の高さを示している。
【００７２】
次に、ドアホンとコードレス電話間での内線通話の動作について説明を行う。
【００７３】
先ず、コードレス電話子機５からの内線呼び出しの動作について説明する。
【００７４】
主制御局として動作するコードレス電話親機３の従属局であるコードレス電話子機５より、内線呼び出しを行う場合、コードレス電話子機５は、コードレス電話親機３が従属局からの無線リンクの確立要求を待ち受けるスロットにて、コードレス電話親機３へ無線リンクの確立要求を送信し、コードレス電話親機３との無線リンクを確立する。そして、コードレス電話子機５がコードレス電話親機３に従属局として登録した際の自己の従属局識別情報の送信、内線呼び出しメッセージ等をコードレス電話親機３に通知する。コードレス電話親機３は、従属局より従属局識別情報、内線呼び出しの要求を受信すると、受信した従属局識別情報を元に正規の従属局かを判定し、正規の従属局からの要求であれば、内線呼び出しの動作を開始する。コードレス電話親機３は、内線呼び出しが、システム内の全無線通信装置に対する一斉呼び出しであった場合、コードレス電話子機５からの内線着信中であることを表示し、リンガーを鳴らすなどして内線着信を使用者に通知するとともに、主制御信号上でコードレス電話子機５からの一斉内線呼び出しのイベント発生を報知する。発信元以外のコードレス電話子機５及びドアホン親機２ｂは、主制御信号でコードレス電話子機５からの一斉内線呼び出しのイベント発生が報知されると、コードレス電話子機５からの内線着信中であることを表示し、リンガーを鳴らすなどして内線着信を使用者に通知する。更に、ドアホン親機２ｂは、副制御信号上でコードレス電話子機５からの一斉内線呼び出しのイベント発生を報知する。ドアホン子機４は、副制御信号でコードレス電話子機５からの一斉内線呼び出しのイベント発生が報知されると、コードレス電話子機５からの内線着信中であることを表示し、着信音を鳴らすなどして内線着信を使用者に通知する。
【００７５】
次に、コードレス電話子機５からの一斉内線呼び出しにドアホン子機４で応答したときの動作について説明する。
【００７６】
コードレス電話子機５からの内線着信中のドアホン子機４で、内線応答の操作が行われると、ドアホン子機４は、ドアホン親機２ｂが従属局からの無線リンクの確立要求を待ち受けるスロットにて、ドアホン親機２ｂへ無線リンクの確立要求を送信し、ドアホン親機２ｂとの無線リンクを確立する。そして、ドアホン子機４がドアホン親機２ｂに従属局として登録した際の自己の従属局識別情報の送信、内線呼び出し応答メッセージ等をドアホン親機２ｂに通知する。ドアホン親機２ｂは、従属局より従属局識別情報、内線呼び出し応答の要求を受信すると、受信した従属局識別情報を元に正規の従属局かを判定し、正規の従属局からの要求であれば、コードレス電話親機３との無線リンクを確立し、内線着信応答の制御を行う。即ち、ドアホン子機４との無線リンクを維持しながら、コードレス電話親機３と接続のために従属局としての動作を行い、コードレス電話親機３が従属局からの無線リンクの確立要求を待ち受けるスロットにて、コードレス電話親機３へ無線リンクの確立要求を送信し、コードレス電話親機３との無線リンクを確立する。そして、ドアホン親機２ｂがコードレス電話親機３に従属局として登録した際の自己の従属局識別情報の送信、内線呼び出し応答メッセージ等をコードレス電話親機３に通知し、コードレス電話親機３では、受信した従属局識別情報を基に、自分に登録された正規の従属局からの接続要求かを判定し、正規の従属局からの内線着信応答の要求であれば、発信もとのコードレス電話子機５の無線リンクの音声パスを内線着信応答を行った従属局に接続するように動作し、ドアホン親機２ｂとコードレス電話子機５が接続される。そして、ドアホン親機２ｂは、ドアホン子機４との無線リンクとコードレス電話親機２との無線リンクの音声パスを接続し、コードレス電話子機５とドアホン子機４の音声パスが接続され、内線通話状態になる。
【００７７】
尚、コードレス電話親機３からの一斉内線発信の動作は、上記コードレス電話子機５からの一斉内線発信の動作において、コードレス電話親機３とコードレス電話子機５との間で行われる制御を除いたものと同等であり、説明を省略する。又、コードレス電話子機５からの一斉内線発信にドアホン親機２ｂで応答した場合の動作は、上記コードレス電話子機５からの一斉内線発信の動作において、ドアホン親機２ｂとドアホン子機４との間で行われる制御を除いたものと同等であり、説明を省略する。
【００７８】
次に、ドアホン子機４からの内線呼び出しの動作について説明する。
【００７９】
副制御局として動作するドアホン親機２ｂの従属局であるドアホン子機４より、内線呼び出しを行う場合、ドアホン子機４は、ドアホン親機２ｂが従属局からの無線リンクの確立要求を待ち受けるスロットにて、ドアホン親機２ｂへ無線リンクの確立要求を送信し、ドアホン親機２ｂとの無線リンクを確立する。そして、ドアホン子機４がドアホン親機２ｂに従属局として登録した際の自己の従属局識別情報の送信、内線呼び出しメッセージ等をドアホン親機２ｂに通知する。ドアホン親機２ｂは、従属局より従属局識別情報、内線呼び出しの要求を受信すると、受信した従属局識別情報を元に正規の従属局かを判定し、正規の従属局からの要求であれば、内線呼び出しの動作を開始する。ドアホン親機２ｂは、内線呼び出しが、システム内の全無線通信装置に対する一斉呼び出しであった場合、ドアホン子機４からの内線着信中であることを表示し、着信音を鳴らすなどして内線着信を使用者に通知するとともに、副制御信号上でドアホン子機４からの一斉内線呼び出しのイベント発生を報知する。発信元以外のドアホン子機４は、副制御信号でドアホン子機４からの一斉内線呼び出しのイベント発生が報知されると、ドアホン子機４からの内線着信中であることを表示し、着信音を鳴らすなどして内線着信を使用者に通知する。更に、ドアホン親機２ｂは、コードレス電話親機３との無線リンクを確立し、内線発信の制御を行う。即ち、ドアホン子機４との無線リンクを維持しながら、コードレス電話親機３と接続のために従属局としての動作を行い、コードレス電話親機３が従属局からの無線リンクの確立要求を待ち受けるスロットにて、コードレス電話親機３へ無線リンクの確立要求を送信
し、コードレス電話親機３との無線リンクを確立する。そして、ドアホン親機２ｂがコードレス電話親機３に従属局として登録した際の自己の従属局識別情報の送信、ドアホン子機４からの内線呼び出しメッセージ等をコードレス電話親機３に通知し、コードレス電話親機３では、受信した従属局識別情報を基に、自分に登録された正規の従属局からの接続要求かを判定し、正規の従属局からの内線呼び出しの要求であれば、ドアホン子機４からの内線着信中であることを表示し、リンガーを鳴らすなどして内線着信を使用者に通知する。更に、コードレス電話親機３は、主制御信号上でドアホン子機４からの一斉内線呼び出しのイベント発生を報知する。そして、コードレス電話子機５は、主制御信号でドアホン子機４からの一斉内線呼び出しのイベント発生が報知されると、ドアホン子機４からの内線着信中であることを表示し、リンガーを鳴らすなどして内線着信を使用者に通知する。
【００８０】
次に、ドアホン子機４からの一斉内線呼び出しにコードレス電話子機５で応答したときの動作について説明する。
【００８１】
ドアホン子機４からの内線着信中のコードレス電話子機５で、内線応答の操作が行われると、コードレス電話子機５は、コードレス電話親機３が従属局からの無線リンクの確立要求を待ち受けるスロットにて、コードレス電話親機３へ無線リンクの確立要求を送信し、コードレス電話親機３との無線リンクを確立する。そして、コードレス電話子機５がコードレス電話親機３に従属局として登録した際の自己の従属局識別情報の送信、内線呼び出し応答メッセージ等をコードレス電話親機３に通知する。コードレス電話親機３は、従属局より従属局識別情報、内線呼び出し応答の要求を受信すると、受信した従属局識別情報を元に正規の従属局かを判定し、正規の従属局からの要求であれば、内線発信のイベント発生を通知するために確立されていたドアホン親機２ｂとの無線リンク上で、ドアホン親機２ｂに内線応答のメッセージを送信し、ドアホン親機２ｂとの無線リンクとコードレス電話子機５の無線リンクの音声パスの接続を行う。そして、ドアホン親機２ｂは、ドアホン子機４との無線リンクとコードレス電話親機３の無線リンクの音声パスの接続を行い、ドアホン子機４とコードレス電話子機５の音声パスが接続され、内線通話状態になる。
【００８２】
尚、ドアホン親機２ｂからの一斉内線発信の動作は、上記ドアホン子機４からの一斉内線発信の動作において、ドアホン親機２ｂとドアホン子機４との間で行われる制御を除いたものと同等であり、説明を省略する。又、ドアホン子機４からの一斉内線発信にコードレス電話親機３で応答した場合の動作は、上記ドアホン子機４からの一斉内線発信の動作において、コードレス電話親機３とコードレス電話子機５との間で行われる制御を除いたものと同等であり、説明を省略する。
【００８３】
次に、従来のコードレス電話と副制御局として動作するドアホン親機で無線通信システムを構築した場合の内線呼び出しの動作を説明する。コードレス電話親機３にとって、ドアホン親機２ｂはコードレス電話子機５と等価な１つの従属局として扱われる。従って、コードレス電話で内線発信が発生した場合、コードレス電話親機３は、制御信号で、内線着信を報知し、ドアホン親機２ｂは、コードレス電話親機３が報知する内線着信の報知を受信すると、上記同様にして、内線着信を使用者に通知するとともに、ドアホン子機４が受信している制御信号でコードレス電話側からの内線着信の報知を行い、ドアホン親機２ｂが送信するコードレス電話側からの内線着信の報知を受信したドアホン子機４が内線着信の状態に移行する。ここで、ドアホン側で内線着信に応答した場合、ドアホン親機２ｂは、コードレス電話子機５が内線応答した場合と同じシーケンスで、コードレス電話親機３と内線応答の処理を行い、ドアホン側とコードレス電話側との内線通話が可能となる。又、ドアホン側で内線発信が発生した場合、ドアホン親機２ｂは、コードレス電話子機５が内線発信した場合と同じシーケンスでコードレス電話親機３と内線発信の処理を行い、コードレス電話親機３は、ドアホン側で発生した内線発信のイベントを、コードレス電話
子機５で発生した内線発信の場合と同じように処理し、コードレス電話が待ち受ける制御信号で内線着信の報知を開始する。そして、コードレス電話側で内線発信に応答した場合、コードレス電話子機５からの内線発信時と同様に、ドアホン親機２ｂとの内線着信応答の処理を行い、ドアホン側とコードレス電話側との内線通話が可能となる。
【００８４】
以上のように、ドアホン側とコードレス電話側の内線接続は、ドアホン親機２ｂに、コードレス電話親機３の従属局としての制御を組み込むことにより、コードレス電話親機３になんら変更を加えることなく、実現可能である。これは、従来のコードレス電話と副制御局として動作するドアホン親機の組み合わせで、本発明の無線通信システムが構築可能であることを意味し、拡張性の高さを意味する。
【００８５】
次に、通話相手を指定した個別の内線発信時の動作について説明を行う。
【００８６】
本無線通信システムで、通話相手を指定した個別の内線発信を行う場合、その通信相手が属する制御局の指定と、従属局を識別するための指定を行う。例えば、コードレス電話側よりドアホン側を呼び出す場合、使用者は呼び出し先がドアホンであることを指定した上で、ドアホン側の内線番号を指定する。同様に、ドアホン側よりコードレス電話側を呼び出す場合、使用者は呼び出し先がコードレス電話であることを指定した上で、コードレス電話側の内線番号を指定する。例えば、内線発信の機能を選択したとき、先ず、表示部にドアホン側かコードレス電話側かを選択させる画面を表示し、使用者がキー操作によってドアホン側かコードレス電話側かを選択したのち、内線番号を入力する画面表示を行うようにすれば利便性が向上する。このとき、各無線通信装置は、選択されたドアホン側かコードレス電話側の指定に従い、呼び出し先の制御局識別情報を自動で選択して、内線発信時のシーケンスで着信先の制御局を指定するように動作する。又、内線番号の１桁目でドアホン側かコードレス電話側かを指定するようにしてもよい。この場合、例えば、ドアホン側を１、コードレス電話側を２で指定するようにした場合、内線番号“１２”が指定された場合、ドアホンの内線番号２の無線通信装置が呼び出され、内線番号“２２”が指定された場合、コードレス電話の内線番号２の無線通信装置が呼び出される。このように、ドアホン側とコードレス電話番号が重複していても、希望した相手のみを呼び出すことができる。
【００８７】
次に、通話相手を指定した個別の内線発信時の接続シーケンスについて説明を行う。
【００８８】
先ず、コードレス子機５からのドアホン子機４の１つを指定した内線呼び出しの動作について説明する。
【００８９】
コードレス電話子機５は、上述した一斉内線発信の場合と同様にコードレス電話親機３と無線リンクを確立し、ドアホン子機４への個別内線呼び出しメッセージ等をコードレス電話親機３に通知する。
【００９０】
このとき、個別内線呼び出しメッセージには、呼び出し先がドアホン側であるためドアホン側の制御局（ドアホン親機２ｂ）を指定する制御局識別情報とドアホン側の制御局が従属局（ドアホン子機４）を識別するための従属局識別情報が含まれる。
【００９１】
コードレス電話親機３は、ドアホン側への個別呼び出しが指定された場合、主制御信号でコードレス電話子機５からドアホン子機４への個別内線発信のイベント発生を報知する。ドアホン親機２ｂは、コードレス電話子機５からドアホン子機４への個別内線発信のイベント発生を受信すると、先ず、コードレス電話親機３との無線リンクを確立し、副制御信号でコードレス電話子機５からドアホン子機４への個別内線発信のイベント発生を報知する。そして、発信側より指定された特定のドアホン子機４は、コードレス電話子機５か
らドアホン子機４への個別内線発信のイベント発生を受信すると、先ず、ドアホン親機２ｂとの無線リンクを確立し、発信元を表示部に表示し、着信音を鳴らすなどして使用者に内線着信の発生を知らせる。そして、内線着信中のドアホン子機４の使用者が応答操作を行うと、内線応答のメッセージがドアホン親機２ｂに送信され、ドアホン親機２ｂよりコードレス電話親機３に内線応答のメッセージが送信される。そして、それぞれの無線リンクの音声パスが接続され、コードレス電話子機５とドアホン子機４が内線通話状態になる。
【００９２】
次に、ドアホン子機４からのコードレス電話子機５の１つを指定した内線呼び出しの動作について説明する。
【００９３】
ドアホン子機４は、上述した一斉内線発信の場合と同様にドアホン親機２ｂと無線リンクを確立し、コードレス電話子機５への個別内線呼び出しメッセージ等をドアホン親機２ｂに通知する。このとき、個別内線呼び出しメッセージには、呼び出し先がコードレス電話側であるためコードレス電話側の制御局（コードレス電話親機３）を指定する制御局識別情報とコードレス電話側の制御局が従属局（コードレス電話子機５）を識別するための従属局識別情報が含まれる。ドアホン親機２ｂは、コードレス電話側への個別呼び出しが指定された場合、コードレス電話親機３との無線リンクを確立し、ドアホン子機４からコードレス電話子機５への個別内線発信のイベント発生を通知する。コードレス電話親機３は、ドアホン子機４からコードレス電話子機５への個別内線発信のイベント発生を受信すると、副制御信号でドアホン子機４からコードレス電話子機５への個別内線発信のイベント発生を報知する。そして、発信側より指定された特定のコードレス電話子機５は、ドアホン子機４からコードレス電話子機５への個別内線発信のイベント発生を受信すると、先ず、コードレス電話親機３との無線リンクを確立し、発信元を表示部に表示し、リンガーを鳴らすなどして使用者に内線着信の発生を知らせる。そして、内線着信中のコードレス電話子機５の使用者が応答操作を行うと、内線応答のメッセージがコードレス電話親機３に送信され、コードレス電話親機３よりドアホン親機２ｂに内線応答のメッセージが送信される。そして、それぞれの無線リンクの音声パスが接続され、ドアホン子機４とコードレス電話子機５が内線通話状態になる。
【００９４】
次に、図２から図５を用いて本発明の実施の形態１の構成及び動作について説明する。
【００９５】
図２に示すように、ドアホン装置２は、玄関子機２ａとドアホン親機２ｂで構成され、玄関子機２ａとドアホン親機２ｂは、有線で接続されている。
【００９６】
玄関子機２ａは、来訪者を撮像するカメラ部１０１と、来訪者と通話するための通話部１０２と、来訪者による呼び出しを検知して呼び出し通知としてドアホン親機２ｂへ送信する呼び出し検知部１０３と、撮像した来訪者の映像データと音声データと呼び出し通知を多重したり、分離したりしてドアホン親機２ｂとの通信を行う多重分離回路１０４とを備えている。
【００９７】
ドアホン親機２ｂは、モニタ回路２０１と、モニタ２０２と、画像情報記憶部２０３と、呼び出し検知部２０４と、報知部２０５と、音声回路２０６と、通話部２０７と、同期処理部２０８と、フレーム処理部２０９と、無線部２１０と、操作部２１１と、アンテナ２１３と、制御部２１４と、電話親機ＩＤ記憶部２１５と、ドアホンＩＤ記憶部２１６と、子機ＩＤ記憶部２１７と、多重分離回路２２０とを備えている。
【００９８】
モニタ回路２０１は、多重分離回路２２０に接続され、玄関子機２ａからの映像データをモニタ２０２へ表示させる。
【００９９】
モニタ２０２は、映像データの表示や着信中の発信元等の表示を行う。
【０１００】
画像情報記憶部２０３は、玄関子機２ａからのモニタ回路２０１を介して入力された映像データを記憶し、制御部２１４へ出力する。
【０１０１】
呼び出し検知部２０４は、多重分離回路２２０に接続され、玄関子機２ａの呼び出し検知部１０３からの呼び出し通知を検知して報知部２０５のチャイムなどを鳴動させて使用者へ来訪者があることを報知するとともに制御部２１４へ通知する。
【０１０２】
音声回路２０６は、フレーム処理部２０９及び多重分離回路２２０に接続され、通話部２０７のマイクから入力された音声信号を音声データへ変換して玄関子機２ａや後述するコードレス電話親機３、及び、ドアホン子機４へ送信したり、玄関子機２ａやコードレス電話親機３、及び、ドアホン子機４から受信した音声データを音声信号に変換して通話部２０７のスピーカーに出力したり、玄関子機２ａとコードレス電話親機３、又は、ドアホン子機４間の音声通信時の音声データの変換や中継を行う機能を備えている。
【０１０３】
同期処理部２０８は、フレーム処理部２０９及び制御部２１４と接続され、パケットの先頭のプリアンブルとシンクワードで同期処理を行う。
【０１０４】
フレーム処理部２０９は、音声回路２０６、無線部２１０及び制御部２１４に接続され、復調データから同期信号元に制御データフィールド及び情報データフィールドを抽出して制御部２１４又は音声回路２０６に出力したり、音声回路２０６から入力された音声データや制御部２１４から入力された制御データに同期信号等を付加して送信データ列を生成したり、後述するドアホン子機４より受信した音声データ等をコードレス電話親機３に転送したり、コードレス電話親機３より受信した音声データ等をドアホン子機４に転送したりする機能を備えている。
【０１０５】
無線部２１０は、ＴＤＭＡで通信行うための変調及び復調を行い、アンテナ２１３を介して送受信する。
【０１０６】
報知部２０５は、制御部２１４に接続されており、制御部２１４からの通知により、外線着信やシステム内の内線着信、ドアホン装置２からの来訪者の通知を報知する。
【０１０７】
操作部２１１は、来訪者と通話する際やコードレス電話親機３やドアホン子機４からの呼び出しに応答する際に押下されるキーを備えている。
【０１０８】
制御部２１４は、玄関子機２ａ及びドアホン親機２ｂを総括制御するものである。
【０１０９】
電話親機ＩＤ記憶部２１５は、主制御局であるコードレス電話親機３の制御局識別情報であるＩＤが登録されており、又、ドアホンＩＤ記憶部２１６は、副制御局である自装置のＩＤが登録されており、又、子機ＩＤ記憶部２１７は、ドアホン装置２に登録された従属局として動作するドアホン子機４の識別情報であるＩＤが登録されており、制御部２１４から読み出し可能に接続されている。
【０１１０】
次にコードレス電話親機３について図３に基づいて説明する。
【０１１１】
図３に示すように、コードレス電話親機３は、回線インタフェース部３０１と、音声回路３０２と、着信検知部３０３と、子機ＩＤ記憶部３０４と、電話親機ＩＤ記憶部３０５と、ドアホンＩＤ記憶部３１０と、フレーム処理部３０６と、無線部３０７と、アンテナ３０８と、操作部３１１と、報知部３１２と、通話部３１３と、モニタ回路３１４と、モ
ニタ３１５と制御部３２０とを備えている。
【０１１２】
回線インタフェース部３０１は、電話回線６と接続され着信検知部３０３へ出力するとともに、音声回路３０２へ出力する。また音声回路３０２からのアナログの音声信号を電話回線６へ送信する。
【０１１３】
音声回路３０２は、フレーム処理部３０６と通話部３１３に接続され通話部３１３のマイクから入力された音声信号を音声データへ変換してフレーム処理部３０６へ出力したり、フレーム処理部３０６から入力された音声データを音声信号に変換して通話部３１３のスピーカーに出力したりする。
【０１１４】
着信検知部３０３は、回線インタフェース部３０１と制御部３２０に接続されており、電話回線６からの音声信号により着信を検知して制御部３２０へ通知する。
【０１１５】
子機ＩＤ記憶部３０４は、通信相手となる従属局であるコードレス電話子機５のＩＤが登録されており、又、ドアホンＩＤ記憶部３１０は、通信相手となる従属局の動作をする副制御局のドアホン装置２のＩＤが登録されており、又、電話機親機ＩＤ記憶部３０５は、主制御局である自装置のＩＤが登録されており、制御部３２０から読み出し可能に接続されている。
【０１１６】
フレーム処理部３０６は、音声回路３０２、無線部３０７及び制御部３２０に接続され、復調データから同期信号元に制御データフィールド及び情報データフィールドを抽出して制御部３２０又は音声回路３０２に出力する機能と音声回路３０２から入力された音声データや制御部３２０から入力された制御データに同期信号等を付加して送信データ列を生成し無線部３０７に出力する機能を備えている。
【０１１７】
無線部３０７は、ＴＤＭＡで通信行うための変調及び復調を行いアンテナ３０８を介して送受信する。
【０１１８】
操作部３１１は、発信先電話番号を入力する際に使用される番号キーと、オンフック／オフフックするためキーや、リダイアルするためのキーなどの機能キーを備えている。
【０１１９】
報知部３１２は、制御部３２０に接続されており、制御部３２０からの通知により、外線着信やシステム内の内線着信、ドアホン装置２からの来訪者の通知を報知する。
【０１２０】
モニタ回路３１４は、制御部３２０に接続され、ドアホン装置２からの映像データをモニタ３１５へ表示させる。
【０１２１】
モニタ３１５は、映像データの表示や着信中の発信元等の表示を行う。
【０１２２】
制御部３２０は、コードレス電話親機３を総括制御するものである。
【０１２３】
次に、ドアホン子機４について図４に基づいて詳細に説明する。図４に示すように、ドアホン子機４は、報知部４０１と、音声回路４０２と、通話部４０３と、モニタ回路４０４と、同期処理部４０５と、フレーム処理部４０６と、無線部４０７と、アンテナ４０８と、操作部４０９と、制御部４１０と、子機ＩＤ記憶部４１１と、ドアホン親機ＩＤ記憶部４１３と、モニタ４１４とを備えている。
【０１２４】
報知部４０１は、制御部４１０に接続されており、制御部４１０からの通知により、電話回線６からの外線着信やシステム内の内線着信、ドアホン装置２からの来訪者の通知を
報知する。
【０１２５】
音声回路４０２は、フレーム処理部４０６と通話部４０３に接続され、通話部４０３のマイクから入力された音声信号を音声データへ変換してフレーム処理部４０６へ出力したり、フレーム処理部４０６から入力された音声データを音声信号に変換して通話部４０３のスピーカーに出力したりする。
【０１２６】
モニタ回路４０４は、制御部４１０に接続され、ドアホン装置２からの映像データをモニタ４１４へ表示させる。
【０１２７】
モニタ４１４は、映像データの表示や着信中の発信元等の表示を行う。
【０１２８】
同期処理部４０５は、フレーム処理部４０６及び制御部４１０と接続され、パケットの先頭のプリアンブルとシンクワードで同期処理を行う。
【０１２９】
フレーム処理部４０６は、音声回路４０２、無線部４０７及び制御部４１０に接続され、復調データから同期信号元に制御データフィールド及び情報データフィールドを抽出して制御部４１０又は音声回路４０２に出力する機能と音声回路４０２から入力された音声データや制御部４１０から入力された制御データに同期信号等を付加して送信データ列を生成し無線部４０７に出力する機能を備えている。
【０１３０】
無線部４０７は、ＴＤＭＡで通信行うための変調及び復調を行いアンテナ４０８を介してドアホン装置２との無線信号の送受信を行う。
【０１３１】
操作部４０９は、発信先電話番号を入力する際に使用される番号キーと、ドアホン親機３からの呼び出しに応答するためのキーなどの機能キーを備えている。
【０１３２】
制御部４１０は、ドアホン子機４を総括制御するものである。
【０１３３】
子機ＩＤ記憶部４１１は、従属局である自装置のＩＤが登録されている。ドアホン親機ＩＤ記憶部４１３は、副制御局であるドアホン装置２のＩＤが登録されている。この子機ＩＤ記憶部４１１と、ドアホン親機ＩＤ記憶部４１３とは、制御部４１０から読み出し可能に接続されている。
【０１３４】
次に、コードレス電話子機５について図５に基づいて詳細に説明する。図５に示すように、コードレス電話子機５は、報知部５０１と、音声回路５０２と、通話部５０３と、モニタ回路５０４と、同期処理部５０５と、フレーム処理部５０６と、無線部５０７と、アンテナ５０８と、操作部５０９と、制御部５１０と、子機ＩＤ記憶部５１１と、電話親機ＩＤ記憶部５１２と、モニタ５１４とを備えている。
【０１３５】
報知部５０１は、制御部５１０に接続されており、制御部５１０からの通知により、外線着信やシステム内の内線着信、ドアホン装置２からの来訪者の通知等を報知する。
【０１３６】
音声回路５０２は、フレーム処理部５０６と通話部５０３に接続され、通話部５０３のマイクから入力された音声信号を音声データへ変換してフレーム処理部５０６へ出力したり、フレーム処理部５０６から入力された音声データを音声信号に変換して通話部５０３のスピーカーを鳴らしたりする。
【０１３７】
モニタ回路５０４は、制御部５１０に接続され、コードレス電話親機３より送られてきた電話ドアホン装置２からの映像データをモニタ５１４へ表示させる。
【０１３８】
モニタ５１４は、映像データの表示や着信中の発信元等の表示を行う。
【０１３９】
同期処理部５０５は、フレーム処理部５０６及び制御部５１０と接続され、パケットの先頭のプリアンブルとシンクワードで同期処理を行う。
【０１４０】
フレーム処理部５０６は、音声回路５０２、無線部５０７及び制御部５１０に接続され、復調データから同期信号元に制御データフィールド及び情報データフィールドを抽出して制御部５１０又は音声回路５０２に出力する機能と音声回路５０２から入力された音声データや制御部５１０から入力された制御データに同期信号等を付加して送信データ列を生成し無線部５０７に出力する機能を備えている。
【０１４１】
無線部５０７は、ＴＤＭＡで通信行うための変調及び復調を行いアンテナ５０８を介してコードレス電話親機３との無線信号の送受信を行う。
【０１４２】
操作部５０９は、発信先電話番号を入力する際に使用される番号キーと、コードレス電話親機３からの呼び出しに応答するためのキーなどの機能キーを備えている。
【０１４３】
制御部５１０は、コードレス電話子機５を総括制御するものである。
【０１４４】
子機ＩＤ記憶部５１１は、従属局である自装置のＩＤが登録されている。電話親機ＩＤ記憶部５１２は、主制御局であるコードレス電話親機３のＩＤが登録されている。この子機ＩＤ記憶部５１１と、電話親機ＩＤ記憶部５１２とは、制御部５１０から読み出し可能に接続されている。
【０１４５】
以上のように構成される本発明の実施の形態に係る無線通信システム１のドアホン親機２ｂ、コードレス電話親機３、ドアホン子機４、及び、コードレス電話子機５がＴＤＭＡで通信を行うときのパケットデータのフォーマットを図１６に基づいて説明する。図１６は、パケットデータのフォーマットを説明する図である。
【０１４６】
図１６に示すように、データパケットは、制御情報を送信するときに使用されるパケットと、音声データや映像データを送信するときに使用されるパケットとがある。いずれのパケットデータも、同期信号と制御データフィールドと、制御データフィールドのチェックコードが格納されるＣＲＣ（Ｃｙｃｌｉｃ  Ｒｅｄｕｎｄａｎｃｙ  Ｃｈｅｃｋ）１のフィールドとを有している。
【０１４７】
同期信号は、プリアンブル及びシンクワードで構成され、通信元と同期を図るためのものである。制御データフィールドは、メッセージが格納されている。
【０１４８】
また、音声データや画像データは、情報データフィールドに格納され、この情報データフィールドのチェックコードがＣＲＣ２に格納される。
【０１４９】
次に、上述したようなパケットデータを用いてドアホン親機２ｂ、コードレス電話親機３、ドアホン子機４、及び、コードレス電話子機５が通信を行うときの動作を、図２から図５に基づいて説明する。尚、以下の説明では、主制御局として動作するコードレス電話親機３が時分割多重の時間の基準となる制御信号を制御情報として送信するスロットを主同期スロットと、又、副制御局として動作するドアホン親機２ｂが時分割多重の時間の基準となる制御信号を制御情報として送信するスロットを副同期スロットと呼ぶことにする。上述の、図１を用いて説明した主制御信号は、主同期スロットで送信され、副制御信号は、副同期スロットで送信される。又、実施の形態１では、副制御局が制御局として動作
する際と主制御局が動作する際の無線信号を送信するスロットと、副制御局が従属局として動作する際と従属局が動作する際の無線信号を送信するスロットが、時分割多重を行う際、別々のスロットとなるよう構成された場合の例を示し、副制御局が制御局として動作する際と主制御局が動作する際の無線信号を送信するスロットを制御局送信スロット、又は従属局受信スロットと呼び、副制御局が従属局として動作する際と従属局が動作する際の無線信号を送信するスロットを従属局送信スロット又は制御局受信スロットと呼ぶ。又、制御局が従属局からの通信要求を待ち受けている状態で、従属局からの通信要求を受信するために受信動作をしているスロットを待ち受けスロットと呼ぶ。
【０１５０】
先ず、コードレス電話親機３の動作を説明する。図３に示す制御部３２０は、電源が投入されると、自己のタイミングでＴＤＭＡのフレーム／スロットのタイミングを決定し、本無線通信システム１内で予め決められた制御局送信スロットの中の任意の１つのスロットから主同期スロットを選択し、主制御信号の制御情報の送信を開始する。制御部３２０は、制御情報の送信タイミングに合わせて、送信スロット番号及び電話親機ＩＤ記憶部３０５に登録された自装置のＩＤをフレーム処理部３０６に出力する。フレーム処理部３０６では、送信スロット番号及びＩＤに同期信号等を付加して無線部３０７に出力することで、アンテナ３０８を介して制御情報が送信される。そして、制御部３２０は、本無線通信システム１内で予め決められた従属局送信スロットのうち、主同期スロットに対応するスロットを除いたスロット、即ち、待ち受けスロットでドアホン親機２ｂやコードレス電話子機５からの無線リンク確立要求の受信を待ち受ける定常状態に移行する制御を行う。制御部３２０は、待ち受けスロットにて、無線部３０７を受信動作となるよう制御する。待ち受けスロットで受信復調された復調データは、フレーム処理部３０６に出力され、フレーム処理部３０６は、各待ち受けスロットにて入力された復調データから同期信号元に制御データフィールド、ＣＲＣ１を抽出し、受信信号が正しければ、制御データフィールドで受信された制御情報を制御部３２０に出力する。そして、制御部３２０は、受信した制御情報に従った動作を行うよう制御を行い、例えば、受信した制御情報が無線リンクを確立するための通信要求であった場合は、送信元の従属局や副制御局との通信を開始する動作を起動する。
【０１５１】
次に、ドアホン親機２ｂの動作について説明する。図２に示す制御部２１４は、最初に無線部２１０を連続受信状態にし、主制御局が送信する制御情報の同期捕捉動作を開始する。そして無線部２１０で受信して復調されたパケットデータがフレーム処理部２０９に渡される。
【０１５２】
フレーム処理部２０９では、復調されたパケットデータから同期信号を元に制御データフィールドを抽出し、制御データフィールドの受信データに基づいて送信元のＩＤ及び受信スロット番号を制御部２１４に出力する。
【０１５３】
制御部２１４では、受信したＩＤが電話親機ＩＤ記憶部２１５に登録されたＩＤに一致すると、電話親機ＩＤ記憶部２１５に登録されたＩＤを受信したスロットを主同期スロットとして、以降はそのタイミングでコードレス電話親機３の受信を行う。そして、主制御信号を送信しているスロットを通知する制御情報を受信すると、コードレス電話親機３（主制御局）とのフレーム、スロットの同期を確立する。例えば、コードレス電話親機３より主制御信号を送信しているスロットが“１”であることを通知されると、制御情報を受信したスロット（主同期スロット）がスロット１となるようフレームタイミングを決定する。即ち、ドアホン親機２ｂは、コードレス電話親機３とのフレーム、スロットの同期が確立した以降、主同期スロットでは、主制御局の従属局としての受信制御を行い、本無線通信システム１内で予め決められた制御局側の送信スロットのうちコードレス電話親機３が制御信号を送信している主同期スロットを受信スロットとして動作する。そして、本無線通信システム１内で予め決められた制御局側の送信スロットから従属局としての動作を
行う主同期スロットを除いたスロットからの１つのスロットを副同期スロットに選択し、副制御局としての副制御信号となる制御情報を送信する。本実施の形態１では、コードレス電話親機３が送信する主同期スロットの次のスロットを、ドアホン親機２ｂの副同期スロットとしている。  そして、制御部２１４は、本無線通信システム１内で予め決められた従属局（ドアホン子機４）側の送信スロットのうち、主同期スロットと副同期スロットに対応するスロットを除いたスロットを待ち受けスロットとしてドアホン子機４からの無線リンクを確立するための無線リンク確立要求の受信を待ち受ける定常状態に移行する制御を行う。
【０１５４】
定常状態に移行すると、主同期スロットにおいて、コードレス電話親機３が送信する制御信号を受信することにより、従属局としての制御、即ち、同期の維持等を行う。主同期スロットのタイミングに合わせて、制御部２１４は、無線部２１０をコードレス電話親機３の主制御信号を受信するよう制御し、受信復調データがフレーム処理部２０９に出力される。フレーム処理部２０９は、復調されたパケットデータから同期信号を元に制御データフィールドを抽出し、制御データフィールドの受信データを制御部２１４に出力するとともに、同期信号を検出したタイミングを同期処理部２０８に通知する。同期処理部２０８は、同期信号を検出したタイミングが所定のタイミングとなるよう、フレーム、スロットのタイミング補正の信号をフレーム処理部２０９に出力する。同期処理部２０８で行われるタイミング補正の動作例は、例えば、主同期スロットで通知された同期信号を検出したタイミングの周期を計時し、同期信号の検出周期と予め決められた周期（フレーム周期）とのずれに応じてフレーム、スロットのタイミング補正信号をフレーム処理部２０９に出力する。尚、この時、同期処理部２０８での同期信号の検出タイミングの周期の計時は、極力、短い時間単位で計時することが望ましく、フレーム、スロットのタイミング補正によって発生する送信ジッタが主制御局や従属局との通信に影響を与えないよう、時間単位が設定され、例えば、本システムで通信する通信速度（ビットレート）により決定される１ビット送信に必要な送信時間より、短い時間（例えば、１／１０ビットの時間単位）で同期信号の検出周期を計時し、フレーム、スロットのタイミング補正信号を生成する。又、タイミング補正信号は、副制御局が送受信を行っていない時間で、出力され、フレーム、スロットのタイミングが補正される。例えば、主同期スロットの受信が終了し、次のスロットの送信或いは受信を行うまでの時間、即ち、時分割通信を行う際に伝播遅延による受信タイミングの遅れを補償するために各スロットの終わりにもうけられた送信禁止時間であるガードタイムでフレーム、スロットのタイミングの補正を行う。
【０１５５】
又、制御部２１４は、本無線通信システム１内で予め決められた従属局送信スロットのうち、主同期スロットと副同期スロットに対応するスロットを除いたスロット、即ち、待ち受けスロットでドアホン子機４からの無線リンク確立要求の受信を待ち受ける定常状態に移行する制御を行う。制御部２１４は、待ち受けスロットにて、無線部２１０を受信動作となるよう制御する。待ち受けスロットで受信復調された復調データは、フレーム処理部２０９に出力され、フレーム処理部２０９は、各待ち受けスロットにて入力された復調データから同期信号を元に制御データフィールド、ＣＲＣ１を抽出し、受信信号が正しければ、制御データフィールドで受信された制御情報を制御部２１４に出力する。そして、制御部２１４は、受信した制御情報に従った動作を行うよう制御を行い、例えば、受信した制御情報が無線リンクを確立するための通信要求であった場合は、送信元の従属局との通信を開始する動作を起動する。
【０１５６】
次に、ドアホン子機４の動作について説明する。まず制御部４１０は、連続受信でドアホン親機ＩＤ記憶部４１３に記憶されたドアホン親機２ｂの制御情報を探し、ドアホン親機ＩＤ記憶部４１３に記憶されたドアホン親機２ｂが送信する制御スロットの送信スロットを通知する制御情報を受信し、ドアホン親機２ｂとＴＤＭＡのフレーム／スロットの同期を確立する。同期確立後、副同期スロットにおいて、ドアホン親機２ｂが送信する制御
信号を受信することにより、同期の維持等を行う。副同期スロットのタイミングに合わせて、制御部４１０は、無線部４０７をドアホン親機２ｂの制御信号を受信するよう制御し、受信復調データがフレーム処理部４０６に出力される。フレーム処理部４０６は、復調されたパケットデータから同期信号を元に制御データフィールドを抽出し、制御データフィールドの受信データを制御部４１０に出力するとともに、同期信号を検出したタイミングを同期処理部４０５に通知する。同期処理部４０５は、同期信号を検出したタイミングが所定のタイミングとなるよう、フレーム、スロットのタイミング補正信号をフレーム処理部４０６に出力し、フレーム処理部４０６にてタイミング補正信号をもとにフレーム、スロットのタイミングの補正を行う。尚、上記ドアホン子機４がドアホン親機２ｂが送信する制御信号を受信することにより、同期の維持等を行う際の、同期処理部４０５、フレーム処理部４０６の動作は、上述のドアホン親機２ｂの動作と同様で有り、詳細な説明を省略する。
【０１５７】
又、制御部４１０は、ドアホン親機２ｂとの同期確立後、ドアホン親機２ｂの制御情報を受信する副同期スロット以外のスロットの受信を停止し、待ち受け状態に移行する。
【０１５８】
次に、コードレス電話子機５の動作について説明する。図５に示すように、まず制御部５１０は、連続受信で電話親機ＩＤ記憶部５１２に記憶されたコードレス電話親機３の制御情報を探し、電話親機ＩＤ記憶部５１２に記憶されたコードレス電話親機３が送信する制御スロットの送信スロットを通知する制御情報を受信し、コードレス電話親機３とＴＤＭＡのフレーム／スロットの同期を確立する。同期確立後、主同期スロットにおいて、コードレス電話親機３が送信する制御信号を受信することにより、同期の維持等を行う。主同期スロットのタイミングに合わせて、制御部５１０は、無線部５０７をコードレス電話親機３の制御信号を受信するよう制御し、受信復調データがフレーム処理部５０６に出力される。フレーム処理部５０６は、復調されたパケットデータから同期信号を元に制御データフィールドを抽出し、制御データフィールドの受信データを制御部５１０に出力するとともに、同期信号を検出したタイミングを同期処理部５０５に通知する。同期処理部５０５は、同期信号を検出したタイミングが所定のタイミングとなるよう、フレーム、スロットのタイミング補正信号をフレーム処理部５０６に出力し、フレーム処理部５０６にてタイミング補正信号をもとにフレーム、スロットのタイミングの補正を行う。尚、上記コードレス電話子機５が、コードレス電話親機３が送信する制御信号を受信することにより、同期の維持等を行う際の、同期処理部５０５、フレーム処理部５０６の動作は、上述のドアホン親機２ｂの動作と同様で有り、詳細な説明を省略する。
【０１５９】
又、制御部５１０は、コードレス電話親機３との同期確立後、コードレス電話親機３の制御情報を受信する主同期スロットの制御情報を受信する主同期スロット以外のスロットの受信を停止し、待ち受け状態に移行する。
【０１６０】
次に、ドアホン親機２ｂ、コードレス電話親機３、ドアホン子機４、及び、コードレス電話子機５が通信を行う際の送信スロット及び受信スロットの状態を図６から図１４に基づいて説明する。図６から図１４は、本発明の実施の形態１に係る無線通信システム１において通信を行う際の送信スロット及び受信スロットの状態を説明する図である。
【０１６１】
図６に示すように、本例では、本無線通信システ１ム内で予め決められた制御局側の送信スロットがスロット１からスロット４までの４つのスロット、同じく、従属局側の送信スロットがスロット５からスロット８までの４つのスロットで１つのフレームが構成された時分割多重のスロット配置を示し、無線通信システム１の１フレームのタイムスロットは、送信スロットが４スロットと、その送信スロットに対応する受信スロットが４スロットとで構成される。
【０１６２】
先ず、コードレス電話親機３は、電源投入されると自己のタイミングでＴＤＭＡのフレーム／スロットのタイミングを決定して本無線通信システム１内で予め決められた制御局側の送信スロットの中から任意のスロットを選択して制御情報の送信を開始する（Ｓ１）。そして、制御信号を送信するスロットに対応した制御局受信スロットを除いた制御局受信スロット、即ち、待ち受けスロットの受信を開始する（Ｓ２）。図６ではコードレス電話親機３は、スロット１を選択して制御情報の送信を開始する例を示しており、主制御信号の制御情報を送信するスロット１が、主同期スロットとなり、スロット６からスロット８が待ち受けスロットとなる。
【０１６３】
この主同期スロットで送信された主制御信号の制御情報に基づいて、ドアホン親機２ｂが同期を確立する。即ち、ドアホン親機２ｂは、先ず連続受信を起動し（Ｓ３）、コードレス電話親機３が送信する制御信号を受信すると、連続受信を停止し、制御信号に含まれるスロット番号等の情報を元にコードレス電話親機３とのフレーム、スロットの同期を確立し、主同期スロット（スロット１）では、コードレス電話親機３の制御信号を受信する従属局としての動作を開始する（Ｓ４）。そして、同期スロット以外の制御局送信スロットより副制御信号を送信するスロットを選択し、副制御信号の制御情報の送信を開始する（Ｓ５）。そして、従属局として動作する主同期スロットと制御信号を送信する副同期スロットに対応した制御局受信スロットを除いた制御局受信スロット、即ち、待ち受けスロットの受信を開始する（Ｓ６）。以後、主制御スロットで主制御信号の受信を行い、コードレス電話親機３とスロットの同期を維持しながら、副制御スロットで副制御信号の送信を行い、待ち受けスロットで、従属局の無線リンク確立要求等を受信するため受信を行う。図６ではドアホン親機２ｂは、スロット２を選択して制御情報の送信を開始する例を示しており、副制御信号の制御情報を送信するスロット２が、副同期スロットとなり、スロット７からスロット８が待ち受けスロットとなる。
【０１６４】
又、上記主同期スロットで送信された制御情報に基づいてコードレス電話子機５が同期を確立する。即ち、コードレス電話子機５は、先ず連続受信を起動し（Ｓ７）、コードレス電話親機３が送信する制御信号を受信すると、連続受信を停止し、制御信号に含まれるスロット番号等の情報を元にコードレス電話親機３とのフレーム、スロットの同期を確立する（Ｓ８）。そして、主同期スロット以外の受信を停止して待ち受け状態となる（Ｓ１０）。以後、コードレス電話子機５は、主制御スロットで主制御信号の受信を行い、コードレス電話親機３とスロットの同期を維持する。
【０１６５】
同様に、上記副同期スロットで送信された制御情報に基づいてドアホン子機４が同期を確立する。即ち、ドアホン子機４は、先ず連続受信を起動し（Ｓ１１）、ドアホン親機２ｂが送信する副制御信号を受信すると、連続受信を停止し、制御信号に含まれるスロット番号等の情報を元にドアホン親機２ｂとのフレーム、スロットの同期を確立する（Ｓ１２）。そして、副同期スロット以外の受信を停止して待ち受け状態となる（Ｓ１３）。以後、ドアホン子機４は、副制御スロットで副制御信号の受信を行い、ドアホン親機２ｂとスロットの同期を維持する。
【０１６６】
次に、玄関子機２ａの呼び出し検知部１０３が来訪者の呼び出しを検知したときのドアホン親機２ｂ、コードレス電話親機３、ドアホン子機４、及び、コードレス電話子機５との通信の状態を図７に基づいて説明する。尚、図７におけるドアホン親機２ｂ、コードレス電話親機３、ドアホン子機４、及び、コードレス電話子機５の初期状態は、図６で説明した終わりの状態、即ち、コードレス電話親機３が主同期スロットで制御信号を送信しながら待ち受けスロットの受信を行い、ドアホン親機２ｂが副同期スロットで制御信号を送信しながら待ち受けスロットの受信を行い、ドアホン子機４は副同期スロットの受信を行い、コードレス電話子機５は主同期スロットの受信を行っている状態である。
【０１６７】
先ずドアホン親機２ｂの動作を説明する。玄関子機２ａからの呼び出しを検知すると（Ｓ２０）、副同期スロットにてドアホン子機４に、玄関子機２ａからの呼び出し発生の報知、即ち、来客報知と玄関子機２ａのカメラで撮影された画像の送信を開始する（Ｓ２１）。そして、コードレス電話親機３の待ち受けスロットの１つを選択してコードレス電話親機３に対し無線リンクを確立するための送信元の識別符号（ＩＤ）を付した無線リンク確立要求を送信する（Ｓ２２）。即ち、ドアホン親機２ｂは、自装置の待ち受けスロットの１つを選択して、選択したスロットを従属局としての動作に切換え、コードレス電話親機３への送信を開始する。そして、コードレス電話親機３からの無線リンクの確立を通知する無線リンク確立応答を受信するために、コードレス電話親機３に対し無線リンク確立要求を送信したスロットに対応するスロットを従属局としての動作、即ち、受信動作に切換える（Ｓ２３）。そして、コードレス電話親機３からの無線リンク確立応答を受信すると、確立した無線リンク上で玄関子機２ａからの呼び出し発生を通知し、玄関子機２ａのカメラで撮影された画像の送信を開始する（Ｓ２４）。以後、無線リンク確立要求を送信したスロットの送信動作、及び、無線リンク確立応答を受信したスロットの受信動作を継続し、コードレス電話親機との無線リンクを維持する。図６の例では、ドアホン親機２ｂがコードレス電話親機３と通信を行うスロットとしてスロット３とスロット７を選択した例を示しており、ドアホン親機２ｂはスロット３とスロット７を従属局としての動作、即ち、スロット３でコードレス電話親機３からの無線信号を受信し、スロット７でコードレス電話親機３への無線信号を送信する動作する例を示している。
【０１６８】
次に、コードレス電話親機３の動作を説明する。コードレス電話親機３は、待ち受けスロットにて制御信号を受信すると、受信した制御信号に含まれる送信元の識別符号（ＩＤ）を元に無線リンク確立要求の送信元を調べる（Ｓ２５）。そして送信元の識別符号（ＩＤ）がドアホンＩＤ記憶部３１０に記憶されている識別符号（ＩＤ）と一致した場合、ドアホン親機２ｂからの無線リンク確立要求であることを認識し、無線リンクの確立を許可し無線リンク確立応答を送信する（Ｓ２６）。そして、確立した無線リンク上で玄関子機２ａからの呼び出し発生が通知されるとドアホン側からの呼出を報知する動作を開始する。即ち、報知部３１２より、玄関子機２ａからの呼び出し発生を報知し、モニタ３１５でドアホン親機２ｂから送られてきた画像を表示する（Ｓ２７）。以後、無線リンク確立要求を受信したスロットの受信動作、及び、無線リンク確立応答を送信したスロットの送信動作を継続し、ドアホン親機３との無線リンクを維持する。尚、図６の例では、コードレス電話親機３がドアホン親機２ｂと通信を行うスロットとしてスロット３とスロット７を選択した例を示しており、コードレス電話親機３は、スロット３でドアホン親機２ｂへの無線信号を送信し、スロット７でドアホン親機２ｂからの無線信号を受信する動作を示している。又、コードレス電話親機３は、主制御スロットにて、玄関子機２ａからの呼び出し発生の報知、即ち、来客報知とドアホン親機２ｂから送られてきた画像の送信を開始する（Ｓ２８）。
【０１６９】
次に、ドアホン子機４の動作を説明する。ドアホン子機４は、ドアホン親機２ｂの制御信号を受信する副同期スロットにて玄関子機２ａからの呼び出し発生の報知と玄関子機２ａのカメラで撮影された画像を受信すると、副同期スロットの受信を維持したまま、玄関子機２ａからの呼出を報知する動作を開始する（Ｓ２９）。即ち、報知部４０１より、玄関子機２ａからの呼出を報知し、受信した画像をモニタ４１４に表示する。
【０１７０】
次に、コードレス電話子機５の動作を説明する。コードレス電話子機５は、コードレス電話親機３の制御信号を受信する主同期スロットにて玄関子機２ａからの呼び出し発生の報知と玄関子機２ａのカメラで撮影された画像を受信すると、主同期スロットの受信を維持したまま、玄関子機２ａからの呼出を報知する動作を開始する（Ｓ３０）。即ち、報知部５０１より、玄関子機２ａからの呼出を報知し、コードレス電話親機３より受信した画像をモニタ５１４に表示する。
【０１７１】
次に、ドアホン親機２ｂからの呼出をコードレス電話子機５が応答するときの通信の状態を図８に基づいて説明する。尚、図８におけるコードレス電話親機３、ドアホン親機２ｂ、ドアホン子機４、及び、コードレス電話子機５の初期状態は、図７で説明した終わりの状態、即ち、ドアホン親機２ｂの呼出をコードレス電話親機３とドアホン子機４とコードレス電話子機５が報知している状態である。
【０１７２】
コードレス電話子機５で応答操作が行われると（Ｓ４２）、コードレス電話子機５は、コードレス電話親機３の待ち受けスロットの１つを選択し、子機ＩＤ記憶部５１１に記憶された識別情報を付した無線リンクを確立するための無線リンク確立要求の送信を行い（Ｓ３１）、選択した送信スロットに対応する受信スロットの受信を開始し無線リンク確立応答を待つ（Ｓ３２）。一方、コードレス電話親機３は、コードレス電話子機５からの無線リンク確立要求を受信すると（Ｓ３３）、識別情報をもとに子機ＩＤ記憶部３０４に記憶されている正規の従属局かを判定し、正規の従属局からの無線リンク確立要求であれば、無線リンク確立要求を受信したスロットに対応した制御局送信スロットで無線リンク確立応答を送信し（Ｓ３４）、以後、コードレス電話親機３は、無線リンク確立要求を受信したスロットの受信と無線リンク確立応答を送信したスロットの送信を維持してコードレス電話子機５との無線リンクを維持する。コードレス電話子機５は、無線リンク確立応答を受信すると、無線リンク確立要求を送信したスロットの送信と無線リンク確立応答を受信したスロットの受信を維持してコードレス電話親機３との無線リンクを維持し、該当無線リンク上で来客報知応答を送信し（Ｓ３５）、該当無線リンクの受信データを音声回路５０２に出力し、音声回路５０２の出力を該当無線リンクの送信データとなるように音声パスの接続を行う。コードレス電話親機３は、コードレス電話子機５から来客報知応答を受信すると、ドアホン親機２ｂから受信したデータをコードレス電話子機５に送信し、コードレス電話子機５から受信したデータをドアホン親機２ｂに送信するようにパス接続を行い（Ｓ３６）、玄関子機２ａからの呼出の報知を停止し、他のコードレス電話子機５の玄関子機２ａからの呼出動作を停止させるための来客報知の停止を報知し（Ｓ３７）、ドアホン親機２ｂに来客報知応答を送信する（Ｓ３８）。ドアホン親機２ｂは、来客報知応答を受信すると（Ｓ３９）、玄関子機２ａからの音声信号をコードレス電話親機３に送信し、コードレス電話親機３から受信した音声信号を玄関子機２ａに接続するように音声パスを設定し、ドアホン子機４の玄関子機２ａからの呼出動作を停止させるための来客報知の停止を報知する（Ｓ４０）。ドアホン子機４は、来客報知の停止を受信すると、呼び出し動作を停止し、待ち受け状態に戻る（Ｓ４１）。又、応答操作を行ったコードレス電話子機５以外のコードレス電話子機５は、Ｓ３７のコードレス電話親機３からの来客報知の停止の報知を受信すると、呼び出し動作を停止し、待ち受け状態に戻る。
【０１７３】
次に、コードレス電話親機３で外線着信が発生したときのドアホン親機２ｂ、コードレス電話親機３、ドアホン子機４、及び、コードレス電話子機５との通信の状態を図９に基づいて説明する。尚、図９におけるドアホン親機２ｂ、コードレス電話親機３、ドアホン子機４、及び、コードレス電話子機５の初期状態は、図６で説明した終わりの状態、即ち、コードレス電話親機３が主同期スロットで制御信号を送信しながら待ち受けスロットの受信を行い、ドアホン親機２ｂが副同期スロットで制御信号を送信しながら待ち受けスロットの受信を行い、ドアホン子機４は副同期スロットの受信を行い、コードレス電話子機５は主同期スロットの受信を行っている状態である。
【０１７４】
コードレス電話親機３は、外線着信を検知すると、リンガーを鳴らすなどして外線着信の発生を使用者に知らせ（Ｓ５０）、主制御スロットの主制御信号にて外線着信による呼び出しの報知（以下外線報知と記す）を開始する（Ｓ５１）。コードレス電話子機５は、コードレス電話親機３より送信された外線報知を受信すると、リンガーを鳴らすなどして外線着信の発生を使用者に知らせる（Ｓ５２）。ドアホン親機２ｂは、コードレス電話親
機３より送信された外線報知を受信すると、リンガーを鳴らすなどして外線着信の発生を使用者に知らせ（Ｓ５３）、副制御スロットの副制御信号にて外線報知の送信を開始する（Ｓ５５）。そして、ドアホン子機は、ドアホン親機２ｂより送信された外線報知を受信すると、リンガーを鳴らすなどして外線着信の発生を使用者に知らせる（Ｓ５６）。
【０１７５】
次に、外線着信にコードレス電話子機５で応答した場合のドアホン親機２ｂ、コードレス電話親機３、ドアホン子機４、及び、コードレス電話子機５との通信の状態を図１０に基づいて説明する。尚、図１０におけるドアホン親機２ｂ、コードレス電話親機３、ドアホン子機４、及び、コードレス電話子機５の初期状態は、図９で説明した終わりの状態、即ち、コードレス電話親機３が主同期スロットで外線報知の制御信号を送信しながら待ち受けスロットの受信を行い、ドアホン親機２ｂが副同期スロットで外線報知の制御信号を送信しながら待ち受けスロットの受信を行い、ドアホン子機４は副同期スロットの受信を行い外線着信中、コードレス電話子機５は主同期スロットの受信を行い外線着信中の状態である。
【０１７６】
ドアホン子機４で着信応答の操作が行われると（Ｓ６０）、ドアホン子機４は、ドアホン親機２ｂの待ち受けスロットの１つを選択し、子機ＩＤ記憶部４１１に記憶された識別情報を付した無線リンクを確立するための無線リンク確立要求の送信を行い（Ｓ６１）、選択した送信スロットに対応する受信スロットの受信を開始し無線リンク確立応答を待つ（Ｓ６２）。一方、ドアホン親機２ｂは、ドアホン子機４からの無線リンク確立要求を受信すると（Ｓ６３）、識別情報をもとに子機ＩＤ情報記憶部２１７に記憶されている正規の従属局かを判定し、正規の従属局からの無線リンク確立要求であれば、無線リンク確立要求を受信したスロットに対応した制御局送信スロットで無線リンク確立応答を送信し（Ｓ６４）、以後、ドアホン親機２ｂは、無線リンク確立要求を受信したスロットの受信と無線リンク確立応答を送信したスロットの送信を維持してドアホン子機４との無線リンクを維持する。ドアホン子機４は、無線リンク確立応答を受信すると、無線リンク確立要求を送信したスロットの送信と無線リンク確立応答を受信したスロットの受信を維持してドアホン親機２ｂとの無線リンクを維持し、該当無線リンク上で外線着信に応答するための外線着信応答を送信し（Ｓ６５）、該当無線リンクの受信データを音声回路４０２に出力し、音声回路４０２の出力を該当無線リンクの送信データとなるように音声パスの接続を行う。ドアホン親機２ｂは、ドアホン子機４から外線着信応答を受信すると（Ｓ６６）、リンガーを停止するなどして、使用者への外線着信の通知を停止し、他のドアホン子機４の外線からの呼出動作を停止させるための外線報知の停止を報知し（Ｓ６７）、コードレス電話親機３の待ち受けスロットの１つを選択し、ドアホンＩＤ記憶部２１６に記憶された識別情報を付した無線リンクを確立するための無線リンク確立要求の送信を行い（Ｓ６８）、選択した送信スロットに対応する受信スロットの受信を開始し無線リンク確立応答を待つ（Ｓ６９）。一方、コードレス電話親機３は、ドアホン親機２ｂからの無線リンク確立要求を受信すると（Ｓ７０）、識別情報をもとにドアホンＩＤ情報記憶部３１０に記憶されている正規の従属局として動作するドアホン親機かを判定し、正規の従属局からの無線リンク確立要求であれば、無線リンク確立要求を受信したスロットに対応した制御局送信スロットで無線リンク確立応答を送信し（Ｓ７１）、以後、コードレス電話親機３は、ドアホン親機２ｂから無線リンク確立要求を受信したスロットの受信とドアホン親機２ｂに無線リンク確立応答を送信したスロットの送信を維持してドアホン親機２ｂとの無線リンクを維持する。ドアホン親機２ｂは、無線リンク確立応答を受信すると、無線リンク確立要求を送信したスロットの送信と無線リンク確立応答を受信したスロットの受信を維持してコードレス電話親機３との無線リンクを維持し、該当無線リンク上で外線着信応答を送信し（Ｓ７２）、該当無線リンクで受信した音声データをドアホン子機４に送信し、ドアホン子機４から受信した音声データを該当無線リンクで送信する音声データとなるようにパスの接続を行う。コードレス電話親機３は、外線着信応答を受信すると（Ｓ７３）、リンガーを停止するなどして、使用者への外線着信の通知を停止し、電話回線からの音
声信号をドアホン親機２ｂに送信し、ドアホン親機２ｂから受信した音声信号を電話回線に出力するように音声パスを設定し、コードレス電話子機５の外線着信の呼出動作を停止させるための外線報知の停止を報知する（Ｓ７４）。コードレス電話子機５は、外線報知の停止を受信すると、呼び出し動作を停止し、待ち受け状態に戻る（Ｓ７５）。又、着信応答したドアホン子機４以外のドアホン子機４は、Ｓ６７のドアホン親機２ｂからの外線報知の停止を受信すると、呼び出し動作を停止し、待ち受け状態に戻る。
【０１７７】
次に、コードレス電話子機５で一斉内線発信の操作が行われたときのドアホン親機２ｂ、コードレス電話親機３、ドアホン子機４、及び、コードレス電話子機５との通信の状態を図１１に基づいて説明する。尚、図１１におけるドアホン親機２ｂ、コードレス電話親機３、ドアホン子機４、及び、コードレス電話子機５の初期状態は、図６で説明した終わりの状態、即ち、コードレス電話親機３が主同期スロットで制御信号を送信しながら待ち受けスロットの受信を行い、ドアホン親機２ｂが副同期スロットで制御信号を送信しながら待ち受けスロットの受信を行い、ドアホン子機４は副同期スロットの受信を行い、コードレス電話子機５は主同期スロットの受信を行っている状態である。
【０１７８】
コードレス電話子機５で一斉内線発信の操作が行われると（Ｓ８０）、コードレス電話子機５は、コードレス電話親機３の待ち受けスロットの１つを選択し、子機ＩＤ記憶部５１１に記憶された識別情報を付した無線リンクを確立するための無線リンク確立要求の送信を行い（Ｓ８１）、選択した送信スロットに対応する受信スロットの受信を開始し無線リンク確立応答を待つ（Ｓ８２）。一方、コードレス電話親機３は、コードレス電話子機５からの無線リンク確立要求を受信すると（Ｓ８３）、識別情報をもとに子機ＩＤ記憶部３０４に記憶されている正規の従属局かを判定し、正規の従属局からの無線リンク確立要求であれば、無線リンク確立要求を受信したスロットに対応した制御局送信スロットで無線リンク確立応答を送信し（Ｓ８４）、以後、コードレス電話親機３は、無線リンク確立要求を受信したスロットの受信と無線リンク確立応答を送信したスロットの送信を維持してコードレス電話子機５との無線リンクを維持する。コードレス電話子機５は、無線リンク確立応答を受信すると、無線リンク確立要求を送信したスロットの送信と無線リンク確立応答を受信したスロットの受信を維持してコードレス電話親機３との無線リンクを維持し、該当無線リンク上で一斉内線発信要求を送信し（Ｓ８５）、通話部５０３のスピーカーよりリングバックトーンを鳴らし、内線呼び出し中であることを使用者に知らせる。コードレス電話親機３は、コードレス電話子機５から一斉内線発信要求を受信すると（Ｓ８６）、リンガーを鳴らしモニタに発信元の内線番号を表示するなどして内線呼び出しの発生を使用者に報知し、主制御スロットの主制御信号にて発信元のコードレス電話子機５の内線番号を付した内線着信の報知を行う（Ｓ８７）。ドアホン親機２ｂは、コードレス電話親機３からの内線番号を付した内線着信の報知を受信すると（Ｓ８８）、着信音を鳴らしモニタに発信元の内線番号を表示するなどして内線呼び出しの発生を使用者に報知し、副制御スロットの副制御信号にて発信元のコードレス電話子機５の内線番号を付した内線着信の報知を行う（Ｓ８９）。ドアホン子機４は、ドアホン親機２ｂからの内線番号を付した内線着信の報知を受信すると（Ｓ９０）、着信音を鳴らしモニタに発信元の内線番号を表示するなどして内線呼び出しの発生を使用者に報知し内線着信中の状態に遷移する。又、発信元のコードレス電話子機５以外のコードレス電話子機５は、Ｓ８７のコードレス電話親機３からの内線番号を付した内線着信の報知を受信すると、着信音を鳴らしモニタに発信元の内線番号を表示するなどして内線呼び出しの発生を使用者に報知し内線着信中の状態に遷移する。
【０１７９】
次に、コードレス電話子機５からの一斉内線発信にドアホン子機４で応答したときのドアホン親機２ｂ、コードレス電話親機３、ドアホン子機４、及び、コードレス電話子機５との通信の状態を図１２に基づいて説明する。尚、図１２におけるドアホン親機２ｂ、コードレス電話親機３、ドアホン子機４、及び、コードレス電話子機５の初期状態は、図１
１で説明した終わりの状態、即ち、コードレス電話親機３とコードレス電話子機５が無線リンクを確立し、コードレス電話親機３が主同期スロットで内線着信を報知し、ドアホン親機２ｂが副同期スロットで内線着信を報知し、ドアホン親機２ｂ、コードレス電話親機３、ドアホン子機４、及び、内線発信をしたコードレス電話子機５以外のコードレス電話子機５が、内線着信を使用者に報知している内線着信中の状態である。
【０１８０】
ドアホン子機４で内線着信応答の操作が行われると（Ｓ１００）、ドアホン子機４は、ドアホン親機２ｂの待ち受けスロットの１つを選択し、子機ＩＤ記憶部４１１に記憶された識別情報を付した無線リンクを確立するための無線リンク確立要求の送信を行い（Ｓ１０１）、選択した送信スロットに対応する受信スロットの受信を開始し無線リンク確立応答を待つ（Ｓ１０２）。一方、ドアホン親機２ｂは、ドアホン子機４からの無線リンク確立要求を受信すると（Ｓ１０３）、識別情報をもとに子機ＩＤ情報記憶部２１７に記憶されている正規の従属局かを判定し、正規の従属局からの無線リンク確立要求であれば、無線リンク確立要求を受信したスロットに対応した制御局送信スロットで無線リンク確立応答を送信し（Ｓ１０４）、以後、ドアホン親機２ｂは、無線リンク確立要求を受信したスロットの受信と無線リンク確立応答を送信したスロットの送信を維持してドアホン子機４との無線リンクを維持する。ドアホン子機４は、無線リンク確立応答を受信すると、無線リンク確立要求を送信したスロットの送信と無線リンク確立応答を受信したスロットの受信を維持してドアホン親機２ｂとの無線リンクを維持し、該当無線リンク上で内線着信に応答するための内線着信応答を送信し（Ｓ１０５）、該当無線リンクの受信データを音声回路４０２に出力し、音声回路４０２の出力を該当無線リンクの送信データとなるように音声パスの接続を行う。ドアホン親機２ｂは、ドアホン子機４から内線着信応答を受信すると（Ｓ１０６）、使用者への内線着信呼出の報知を停止し、他のドアホン子機４の内線呼出動作を停止させるための内線呼び出し停止を報知し（Ｓ１０７）、コードレス電話親機３の待ち受けスロットの１つを選択し、ドアホンＩＤ記憶部２１６に記憶された識別情報を付した無線リンクを確立するための無線リンク確立要求の送信を行い（Ｓ１０８）、選択した送信スロットに対応する受信スロットの受信を開始し無線リンク確立応答を待つ（Ｓ１０９）。一方、コードレス電話親機３は、ドアホン親機２ｂからの無線リンク確立要求を受信すると（Ｓ１１０）、識別情報をもとにドアホンＩＤ情報記憶部３１０に記憶されている正規の従属局として動作するドアホン親機かを判定し、正規の従属局からの無線リンク確立要求であれば、無線リンク確立要求を受信したスロットに対応した制御局送信スロットで無線リンク確立応答を送信し（Ｓ１１１）、以後、コードレス電話親機３は、ドアホン親機２ｂから無線リンク確立要求を受信したスロットの受信とドアホン親機２ｂに無線リンク確立応答を送信したスロットの送信を維持してドアホン親機２ｂとの無線リンクを維持する。ドアホン親機２ｂは、無線リンク確立応答を受信すると、無線リンク確立要求を送信したスロットの送信と無線リンク確立応答を受信したスロットの受信を維持してコードレス電話親機３との無線リンクを維持し、該当無線リンク上で内線着信応答を送信し（Ｓ１１２）、該当無線リンクで受信した音声データをドアホン子機４に送信し、ドアホン子機４から受信した音声データを該当無線リンクで送信する音声データとなるようにパスの接続を行う。コードレス電話親機３は、ドアホン親機２ｂから内線着信応答を受信すると（Ｓ１１３）、使用者への内線着信呼出の報知を停止し、内線着信の状態にあるコードレス電話子機５の内線呼出動作を停止させるための内線呼び出し停止を報知し（Ｓ１１４）、内線発信を行ったコードレス電話子機５に内線着信応答を送信し（Ｓ１１５）、内線発信を行ったコードレス電話子機５から受信した音声データをドアホン親機２ｂに送信し、ドアホン親機２ｂから受信した音声データを、内線発信を行ったコードレス電話子機５に送信するようにパスを設定する。内線発信を行ったコードレス電話子機５は、コードレス電話親機３からの内線着信応答を受信すると（Ｓ１１６）、リングバックトーンを停止し、コードレス電話親機３から受信した音声データを音声回路５０２に出力し、音声回路５０２の出力をコードレス電話親機３への送信データとして送信するよう音声パスの接続を行う。又、内線呼び出しを行ったドアホン子機４以外のドアホン子機４は、
Ｓ１０７のドアホン親機２ｂからの内線呼び出し停止の報知を受信すると、内線呼び出しを停止し、待ち受け状態に戻り、同様に、内線応答を行ったコードレス電話子機５以外のコードレス電話子機５は、Ｓ１１４のコードレス電話親機３からの内線呼び出し停止の報知を受信すると、内線呼び出しを停止し、待ち受け状態に戻る。
【０１８１】
次に、ドアホン子機４で一斉内線発信の操作が行われたときのドアホン親機２ｂ、コードレス電話親機３、ドアホン子機４、及び、コードレス電話子機５との通信の状態を図１３に基づいて説明する。尚、図１３におけるドアホン親機２ｂ、コードレス電話親機３、ドアホン子機４、及び、コードレス電話子機５の初期状態は、図６で説明した終わりの状態、即ち、コードレス電話親機３が主同期スロットで制御信号を送信しながら待ち受けスロットの受信を行い、ドアホン親機２ｂが副同期スロットで制御信号を送信しながら待ち受けスロットの受信を行い、ドアホン子機４は副同期スロットの受信を行い、コードレス電話子機５は主同期スロットの受信を行っている状態である。
【０１８２】
ドアホン子機４で一斉内線発信の操作が行われると（Ｓ１２０）、ドアホン子機４は、ドアホン親機２ｂの待ち受けスロットの１つを選択し、子機ＩＤ記憶部４１１に記憶された識別情報を付した無線リンクを確立するための無線リンク確立要求の送信を行い（Ｓ１２１）、選択した送信スロットに対応する受信スロットの受信を開始し無線リンク確立応答を待つ（Ｓ１２２）。一方、ドアホン親機２ｂは、ドアホン子機４からの無線リンク確立要求を受信すると（Ｓ１２３）、識別情報をもとに子機ＩＤ情報記憶部２１７に記憶されている正規の従属局かを判定し、正規の従属局からの無線リンク確立要求であれば、無線リンク確立要求を受信したスロットに対応した制御局送信スロットで無線リンク確立応答を送信し（Ｓ１２４）、以後、ドアホン親機２ｂは、無線リンク確立要求を受信したスロットの受信と無線リンク確立応答を送信したスロットの送信を維持してドアホン子機４との無線リンクを維持する。ドアホン子機４は、無線リンク確立応答を受信すると、無線リンク確立要求を送信したスロットの送信と無線リンク確立応答を受信したスロットの受信を維持してドアホン親機２ｂとの無線リンクを維持し、該当無線リンク上で一斉内線発信を送信し（Ｓ１２５）、通話部４０３のスピーカーより内線呼び出し開始を通知する報知音を鳴らし、内線呼び出し中であることを使用者に知らせる。ドアホン親機２ｂは、ドアホン子機４から一斉内線発信を受信すると（Ｓ１２６）、リンガーを鳴らしモニタに発信元の内線番号を表示するなどして内線呼び出しの発生を使用者に報知し、副制御スロットの副制御信号にて発信元のドアホン子機４の内線番号を付した内線着信の報知を行う（Ｓ１２７）。更に、ドアホン親機２ｂは、コードレス電話親機３の待ち受けスロットの１つを選択し、ドアホンＩＤ記憶部２１６に記憶された識別情報を付した無線リンクを確立するための無線リンク確立要求の送信を行い（Ｓ１２８）、選択した送信スロットに対応する受信スロットの受信を開始し無線リンク確立応答を待つ（Ｓ１２９）。一方、コードレス電話親機３は、ドアホン親機２ｂからの無線リンク確立要求を受信すると（Ｓ１３０）、識別情報をもとにドアホンＩＤ情報記憶部３１０に記憶されている正規の従属局として動作するドアホン親機かを判定し、正規の従属局からの無線リンク確立要求であれば、無線リンク確立要求を受信したスロットに対応した制御局送信スロットで無線リンク確立応答を送信し（Ｓ１３１）、以後、コードレス電話親機３は、ドアホン親機２ｂから無線リンク確立要求を受信したスロットの受信とドアホン親機２ｂに無線リンク確立応答を送信したスロットの送信を維持してドアホン親機２ｂとの無線リンクを維持する。ドアホン親機２ｂは、無線リンク確立応答を受信すると、無線リンク確立要求を送信したスロットの送信と無線リンク確立応答を受信したスロットの受信を維持してコードレス電話親機３との無線リンクを維持し、コードレス電話親機３に発信もとのドアホン子機４の内線番号を付した内線発信のイベント発生を通知する（Ｓ１３２）。コードレス電話親機３は、ドアホン親機２ｂよりドアホン子機４の内線番号を付した内線発信のイベント発生が通知されると（Ｓ１３３）、リンガーを鳴らしモニタに発信元のドアホン子機４の内線番号を表示するなどして内線呼び出しの発生を使用者に報知し、主制御スロットの主制御信号にて
発信元のドアホン子機４の内線番号を付した内線着信の報知を行う（Ｓ１３４）。コードレス電話子機５は、コードレス電話親機３からの内線番号を付した内線着信の報知を受信すると（Ｓ１３５）、着信音を鳴らしモニタに発信元の内線番号を表示するなどして内線呼び出しの発生を使用者に報知し内線着信中の状態に遷移する。又、発信元のドアホン子機４以外のドアホン子機４は、Ｓ１２７のドアホン親機２ｂからの内線番号を付した内線着信の報知を受信すると、着信音を鳴らしモニタに発信元の内線番号を表示するなどして内線呼び出しの発生を使用者に報知し内線着信中の状態に遷移する。
【０１８３】
次に、ドアホン子機４からの内線応答にコードレス電話子機５で応答したときのドアホン親機２ｂ、コードレス電話親機３、ドアホン子機４、及び、コードレス電話子機５との通信の状態を図１４に基づいて説明する。尚、図１４におけるドアホン親機２ｂ、コードレス電話親機３、ドアホン子機４、及び、コードレス電話子機５の初期状態は、図１３で説明した終わりの状態、即ち、ドアホン子機４とドアホン親機２ｂが無線リンクを確立し、ドアホン親機２ｂが副同期スロットで内線着信を報知し、又、コードレス電話親機３とドアホン親機２ｂが無線リンクを確立し、コードレス電話親機３が主同期スロットで内線着信を報知し、ドアホン親機２ｂ、コードレス電話親機３、コードレス電話子機５、及び、内線発信をしたドアホン子機４以外のドアホン子機４が、内線着信を使用者に報知している内線着信中の状態である。
【０１８４】
コードレス電話子機５で内線応答の操作が行われると（Ｓ１４０）、コードレス電話子機５は、コードレス電話親機３の待ち受けスロットの１つを選択し、子機ＩＤ記憶部５１１に記憶された識別情報を付した無線リンクを確立するための無線リンク確立要求の送信を行い（Ｓ１４１）、選択した送信スロットに対応する受信スロットの受信を開始し無線リンク確立応答を待つ（Ｓ１４２）。一方、コードレス電話親機３は、コードレス電話子機５からの無線リンク確立要求を受信すると（Ｓ１４３）、識別情報をもとに子機ＩＤ記憶部３０４に記憶されている正規の従属局かを判定し、正規の従属局からの無線リンク確立要求であれば、無線リンク確立要求を受信したスロットに対応した制御局送信スロットで無線リンク確立応答を送信し（Ｓ１４４）、以後、コードレス電話親機３は、無線リンク確立要求を受信したスロットの受信と無線リンク確立応答を送信したスロットの送信を維持してコードレス電話子機５との無線リンクを維持する。コードレス電話子機５は、無線リンク確立応答を受信すると、無線リンク確立要求を送信したスロットの送信と無線リンク確立応答を受信したスロットの受信を維持してコードレス電話親機３との無線リンクを維持し、該当無線リンク上で内線応答要求を送信し（Ｓ１４５）、コードレス電話親機３から該当無線リンク上で受信した音声データを通話部５０３に出力し、通話部５０３の出力をコードレス電話親機３への送信の音声データとなるよう音声パスを設定する。コードレス電話親機３は、コードレス電話子機５から内線応答要求を受信すると（Ｓ１４６）、使用者への内線着信の報知を停止し、コードレス電話子機５から受信した音声データをドアホン親機２ｂに送信し、ドアホン親機２ｂから受信した音声データをコードレス電話子機５に送信するようパスの設定を行い、主制御スロットの主制御信号で、内線呼び出しの停止を報知し（Ｓ１４７）、ドアホン親機２ｂにコードレス電話子機５からの内線応答要求の受信を通知する（Ｓ１４８）。ドアホン親機２ｂは、コードレス電話親機３よりコードレス電話子機５からの内線応答要求の受信が通知されると（Ｓ１４９）、使用者への内線着信の報知を停止し、コードレス電話親機３より受信した音声データをドアホン子機４に送信し、ドアホン子機４より受信した音声データをコードレス電話親機３に送信するようにパスの設定を行い、内線呼び出しを行ったドアホン子機４にコードレス電話子機５からの内線応答要求の受信を通知し（Ｓ１５０）、副制御スロットの副制御信号で、内線呼び出しの停止を報知する（Ｓ１５１）。内線呼び出しを行ったドアホン子機４は、ドアホン親機２ｂよりコードレス電話子機５からの内線応答要求の受信が通知されると（Ｓ１５２）、内線呼び出し開始を通知する報知音を停止し、ドアホン親機２ｂより受信した音声データを通話部４０３に出力し、通話部４０３より出力された音声データをドアホン親
機２ｂに送信するよう音声パスの設定を行う。又、内線呼び出しを行ったコードレス電話子機５以外のコードレス電話子機５は、Ｓ１４７のコードレス電話親機３からの内線呼び出し停止の報知を受信すると、内線呼び出しを停止し、待ち受け状態に戻り、同様に、内線応答を行ったドアホン子機４以外のドアホン子機４は、Ｓ１５１のドアホン親機２ｂからの内線呼び出し停止の報知を受信すると（Ｓ１５３）、内線呼び出しを停止し、待ち受け状態に戻る。
【０１８５】
尚、コードレス電話親機３が従来のコードレス親機である場合、ドアホン親機２ｂからの呼び出しや応答のイベントはすべてコードレス電話親機とコードレス電話子機間で用いられるイベントとして処理される。
【０１８６】
例えば、上述の図７、図８の玄関子機からの呼び出し時は、ドアホン親機２ｂはＳ２４において、ドアホン親機からの内線発信のイベント発生をコードレス電話親機３に通知する。このとき、発信もとのドアホン親機２ｂのコードレス電話内での内線番号は、ドアホン親機２ｂをコードレス電話親機３の従属局、即ち、コードレス電話子機として登録した際に付与された内線番号となり、コードレス電話親機３、コードレス電話子機５で該当内線番号からの呼び出し、通話によってドアホン側の呼び出しイベントに応答することが可能となる。又、上記同様、図１３、図１４のドアホン子機からの内線呼び出しにおいては、Ｓ１２８で、ドアホン親機２ｂをコードレス電話親機３に登録した際に付与された内線番号のコードレス電話子機からの内線発信のイベントとしてドアホン親機２ｂからコードレス電話親機３に内線発信のイベント発生を通知する。
【０１８７】
（実施の形態２）
本発明の実施の形態２に係る無線通信システムの構成を図１５に基づいて説明する。図１５は、本発明の実施の形態２に係る無線通信システムの構成を説明する図である。
【０１８８】
図１５に示すように、本発明の実施の形態２に係る無線通信システム１は、コードレス電話システム内の制御局として動作する１台のコードレス電話親機と１台以上の従属局として動作するコードレス電話子機で構成されたコードレス電話システム１０、コードレス電話システム２０、コードレス電話システム３０で構成される。
【０１８９】
図１５において、無線通信システム１のコードレス電話システム１０のコードレス電話親機１００は、主制御局として動作する。即ち、コードレス電話親機１００は、無線通信システム１の全体の時分割通信による無線通信のタイミングの基準となり、自らのタイミングで時分割通信による無線通信のタイミングを決定し、制御信号の送信を行う（以後、コードレス電話親機１００が送信する制御信号を主制御信号と呼ぶ）。コードレス電話親機１００の従属局として動作するコードレス電話子機１０１、１０２…１０Ｎは、主制御信号を受信し、主制御信号の受信タイミングを元に時分割通信による無線通信のタイミングを決定し、コードレス電話親機１００の時分割通信のタイミングに同期してコードレス電話親機１００と無線通信を行う。
【０１９０】
又、コードレス電話親機２００、及び、コードレス電話親機３００は、主制御局の従属局として動作するとともに、自らのコードレス電話システム２０及びコードレス電話システム３０内の制御局として動作する。即ち、コードレス電話親機２００、及び、コードレス電話親機３００は、コードレス電話親機１００の従属局として動作するコードレス電話子機１０１、１０２…１０Ｎと同様に、主制御信号を受信し、主制御信号の受信タイミングを元に時分割通信による無線通信のタイミングを決定し、コードレス電話親機１００の時分割通信のタイミングに同期して、コードレス電話親機１００との無線通信と自らのコードレス電話システム２０及びコードレス電話システム３０内の時分割通信による無線通信のタイミングの基準となる制御信号の送信を行う（以後、コードレス電話親機２００が
送信する制御信号を第１の副制御信号、コードレス電話親機３００が送信する制御信号を第２の副制御信号と呼ぶ）。そして、コードレス電話親機２００の従属局として動作するコードレス電話子機２０１、２０２…２０Ｍは、第１の副制御信号を受信し、第１の副制御信号の受信タイミングを元に時分割通信による無線通信のタイミングを決定し、コードレス電話親機２００の時分割通信のタイミングに同期してコードレス電話親機２００と無線通信を行い、同様に、コードレス電話親機３００の従属局として動作するコードレス電話子機３０１、３０２…３０Ｌは、第２の副制御信号を受信し、第２の副制御信号の受信タイミングを元に時分割通信による無線通信のタイミングを決定し、コードレス電話親機３００の時分割通信のタイミングに同期してコードレス電話親機３００と無線通信を行う。
【０１９１】
本無線通信システム１において、外線着信や内線着信等のイベントの発生は、制御信号、即ち、主制御信号、第１の副制御信号及び第２の副制御信号を利用して、制御局より従属局に報知される。又、外線着信応答、内線着信応答、外線発信、内線発信等の従属局で発生したイベントは、従属局が制御局との無線リンクを確立し、従属局より制御局に通知される。以下、外線着信、内線発信等のイベント発生時の詳細動作について説明を行う。
【０１９２】
先ず、コードレス電話親機１００に接続された電話回線５０から外線着信が発生した場合の動作について説明を行う。コードレス電話親機１００は、電話回線５０からの外線着信を検知するとリンガーを鳴らすなどして外線着信を使用者に通知するとともに主制御信号にて電話回線５０からの外線着信を報知し外線着信中の状態に遷移する。コードレス電話子機１０１、１０２…１０Ｎは、コードレス電話親機１００からの電話回線５０からの外線着信の報知を受信すると、リンガーを鳴らすなどして外線着信を使用者に通知し、外線着信中の状態に遷移する。コードレス電話親機２００は、コードレス電話親機１００からの電話回線５０からの外線着信の報知を受信すると、リンガーを鳴らすなどして外線着信を使用者に通知するとともに第１の副制御信号にて電話回線５０からの外線着信を報知し、第１の副制御信号より電話回線５０からの外線着信の報知を受信したコードレス電話子機２０１、２０２…２０Ｍは、リンガーを鳴らすなどして外線着信を使用者に通知し、外線着信中の状態に遷移する。同様に、コードレス電話親機３００は、コードレス電話親機１００からの電話回線５０からの外線着信の報知を受信すると、リンガーを鳴らすなどして外線着信を使用者に通知するとともに第２の副制御信号にて電話回線５０からの外線着信を報知し、第２の副制御信号より電話回線５０からの外線着信の報知を受信したコードレス電話子機３０１、３０２…３０Ｌは、リンガーを鳴らすなどして外線着信を使用者に通知し、外線着信中の状態に遷移する。
【０１９３】
コードレス電話親機１００に接続された電話回線５０からの外線着信中の状態でコードレス電話子機１０１、１０２…１０Ｎのいずれかで外線応答の操作が行われると、該当コードレス電話子機は、コードレス電話親機１００と無線リンクを確立し、外線着信応答を通知し、外線通話状態に移行する。一方、コードレス電話親機１００は外線着信応答が通知されると、該当コードレス電話子機との無線リンクと電話回線５０の音声パスを接続し、主制御信号で外線着信停止を報知し、リンガーを停止するなどしてアイドル状態に遷移する。外線応答を行ったコードレス電話子機以外の主制御信号を受信していたコードレス電話子機１０１、１０２…１０Ｎは、外線着信停止の報知を受信すると、リンガーを停止するなどしてアイドル状態に遷移する。コードレス電話親機２００は、コードレス電話親機１００からの外線着信停止の報知を受信すると、リンガーを停止するなどするとともに第１の副制御信号にて外線着信停止を報知しアイドル状態に遷移し、第１の副制御信号より外線着信停止の報知を受信したコードレス電話子機２０１、２０２…２０Ｍは、リンガーを停止するなどしてアイドル状態に遷移する。同様に、コードレス電話親機３００は、コードレス電話親機１００からの外線着信停止の報知を受信すると、リンガーを停止するなどするとともに第２の副制御信号にて外線着信停止を報知しアイドル状態に遷移し、第
２の副制御信号より外線着信停止の報知を受信したコードレス電話子機３０１、３０２…３０Ｌは、リンガーを停止するなどしてアイドル状態に遷移する。
【０１９４】
又、コードレス電話親機１００に接続された電話回線５０からの外線着信中の状態でコードレス電話システム２０のコードレス電話子機２０１、２０２…２０Ｍのいずれかで外線応答の操作が行われると、該当コードレス電話子機は、コードレス電話親機２００と無線リンクを確立し、外線着信応答を通知し、外線通話状態に移行する。一方、コードレス電話親機２００は、コードレス電話子機２０１、２０２…２０Ｍより外線着信応答が通知されると、コードレス電話親機１００と無線リンクを確立し、外線着信応答を通知し、該当コードレス電話子機とコードレス電話親機１００との無線リンクの送受信データを接続するようにパス設定を行い、リンガーを停止するなどするとともに第１の副制御信号にて外線着信停止を報知しアイドル状態に遷移する。そして、コードレス電話親機１００は、コードレス電話親機２００より外線着信応答が通知されると、コードレス電話親機２００との無線リンクと電話回線５０の音声パスを接続し、主制御信号で外線着信停止を報知し、リンガーを停止するなどしてアイドル状態に遷移する。尚、コードレス電話親機３００、コードレス電話子機１０１、１０２…１０Ｎ、コードレス電話子機３０１、３０２…３０Ｌ、及び、外線応答の操作が行われたコードレス電話子機を除く第１の副制御信号を受信していたコードレス電話子機２０１、２０２…２０Ｍは、上記同様にして、主制御信号、第１の副制御信号、第２の副制御信号で報知される外線着信停止の報知を受信することによりアイドル状態に遷移する。
【０１９５】
同様に、外線着信中の状態でコードレス電話システム３０のコードレス電話子機３０１、３０２…３０Ｌのいずれかで外線応答の操作が行われると、該当コードレス電話子機は、コードレス電話親機３００と無線リンクを確立し、外線着信応答を通知し、外線通話状態に移行する。一方、コードレス電話親機３００は、コードレス電話子機より外線着信応答が通知されると、コードレス電話親機１００と無線リンクを確立し、外線着信応答を通知し、該当コードレス電話子機とコードレス電話親機１００との無線リンクの送受信データを接続するようにパス設定を行い、リンガーを停止するなどするとともに第２の副制御信号にて外線着信停止を報知しアイドル状態に遷移する。そして、コードレス電話親機１００は、コードレス電話親機３００より外線着信応答が通知されると、コードレス電話親機３００との無線リンクと電話回線５０の音声パスを接続し、主制御信号で外線着信停止を報知し、リンガーを停止するなどしてアイドル状態に遷移する。尚、コードレス電話親機２００、コードレス電話子機１０１、１０２…１０Ｎ、コードレス電話子機２０１、２０２…２０Ｍ、及び、外線応答の操作が行われたコードレス電話子機を除く第２の副制御信号を受信していたコードレス電話子機３０１、３０２…３０Ｌは、上記同様にして、主制御信号、第１の副制御信号、第２の副制御信号で報知される外線着信停止の報知を受信することによりアイドル状態に遷移する。
【０１９６】
次に、コードレス電話親機２００に接続された電話回線６０から外線着信が発生した場合の動作について説明を行う。コードレス電話親機２００は、電話回線６０からの外線着信を検知するとリンガーを鳴らすなどして外線着信を使用者に通知するとともに第１の副制御信号にて電話回線６０からの外線着信を報知し外線着信中の状態に遷移する。コードレス電話子機２０１、２０２…２０Ｍは、コードレス電話親機２００からの電話回線６０からの外線着信の報知を受信すると、リンガーを鳴らすなどして外線着信を使用者に通知し、外線着信中の状態に遷移する。又、コードレス電話親機２００は、コードレス電話親機１００と無線リンクを確立し、電話回線６０からの外線着信を通知する。一方、コードレス電話親機１００は、コードレス電話親機２００より電話回線６０からの外線着信が通知されると、リンガーを鳴らすなどして外線着信を使用者に通知するとともに主制御信号にて電話回線６０からの外線着信を報知し外線着信中の状態に遷移する。コードレス電話子機１０１、１０２…１０Ｎは、コードレス電話親機１００からの電話回線６０からの外
線着信の報知を受信すると、リンガーを鳴らすなどして外線着信を使用者に通知し、外線着信中の状態に遷移する。そして、コードレス電話親機３００は、コードレス電話親機１００からの電話回線６０からの外線着信の報知を受信すると、リンガーを鳴らすなどして外線着信を使用者に通知するとともに第２の副制御信号にて電話回線６０からの外線着信を報知し、第２の副制御信号より電話回線６０からの外線着信の報知を受信したコードレス電話子機３０１、３０２…３０Ｌは、リンガーを鳴らすなどして外線着信を使用者に通知し、外線着信中の状態に遷移する。
【０１９７】
コードレス電話親機２００に接続された電話回線６０からの外線着信中の状態でコードレス電話子機１０１、１０２…１０Ｎのいずれかで外線応答の操作が行われると、該当コードレス電話子機は、コードレス電話親機１００と無線リンクを確立し、外線着信応答を通知し、外線通話状態に移行する。一方、コードレス電話親機１００は外線着信応答が通知されると、コードレス電話親機２００に外線着信応答を通知し、該当コードレス電話子機とコードレス電話親機２００との無線リンクの送受信データを接続するようにパス設定を行い、主制御信号で外線着信停止を報知し、リンガーを停止するなどしてアイドル状態に遷移する。外線応答を行ったコードレス電話子機以外の主制御信号を受信していたコードレス電話子機１０１、１０２…１０Ｎは、外線着信停止の報知を受信すると、リンガーを停止するなどしてアイドル状態に遷移する。一方、コードレス電話親機２００は、コードレス電話親機１００から外線着信応答が通知されると、コードレス電話親機１００との無線リンクと電話回線６０の音声パスを接続し、リンガーを停止するなどするとともに第１の副制御信号にて外線着信停止を報知しアイドル状態に遷移し、第１の副制御信号より外線着信停止の報知を受信したコードレス電話子機２０１、２０２…２０Ｍは、リンガーを停止するなどしてアイドル状態に遷移する。又、コードレス電話親機３００は、コードレス電話親機１００からの外線着信停止の報知を受信すると、リンガーを停止するなどするとともに第２の副制御信号にて外線着信停止を報知しアイドル状態に遷移し、第２の副制御信号より外線着信停止の報知を受信したコードレス電話子機３０１、３０２…３０Ｌは、リンガーを停止するなどしてアイドル状態に遷移する。
【０１９８】
又、コードレス電話親機２００に接続された電話回線６０からの外線着信中の状態でコードレス電話子機２０１、２０２…２０Ｍのいずれかで外線応答の操作が行われると、該当コードレス電話子機は、コードレス電話親機２００と無線リンクを確立し、外線着信応答を通知し、外線通話状態に移行する。コードレス電話親機２００は、該当コードレス電話子機より外線着信応答が通知されると、該当コードレス電話子機との無線リンクと電話回線６０の音声パスを接続し、リンガーを停止するなどするとともに第１の副制御信号にて外線着信停止の報知を行い、コードレス電話親機１００と接続していた無線リンクを用いてコードレス電話親機１００に外線着信停止の通知を行いコードレス電話親機１００との該当無線リンクを開放し、アイドル状態に遷移する。そして、第１の副制御信号より外線着信停止の報知を受信した外線応答を行ったコードレス電話子機を除くコードレス電話子機２０１、２０２…２０Ｍは、リンガーを停止するなどしてアイドル状態に遷移する。又、コードレス電話親機２００より外線着信停止が通知されたコードレス電話親機１００は、コードレス電話親機２００との無線リンクを開放し、主制御信号で外線着信停止を報知し、リンガーを停止するなどしてアイドル状態に遷移し、主制御信号を受信していたコードレス電話子機１０１、１０２…１０Ｎは、外線着信停止の報知を受信すると、リンガーを停止するなどしてアイドル状態に遷移する。又、コードレス電話親機３００は、コードレス電話親機１００からの外線着信停止の報知を受信すると、リンガーを停止するなどするとともに第２の副制御信号にて外線着信停止を報知しアイドル状態に遷移し、第２の副制御信号より外線着信停止の報知を受信したコードレス電話子機３０１、３０２…３０Ｌは、リンガーを停止するなどしてアイドル状態に遷移する。
【０１９９】
又、コードレス電話親機２００に接続された電話回線６０からの外線着信中の状態でコ
ードレス電話子機３０１、３０２…３０Ｌのいずれかで外線応答の操作が行われると、該当コードレス電話子機は、コードレス電話親機３００と無線リンクを確立し、外線着信応答を通知し、外線通話状態に移行する。コードレス電話親機３００は、外線応答の操作が行われた該当コードレス電話子機より外線着信応答が通知されると、コードレス電話親機１００と無線リンクを確立し、外線着信応答を通知し、該当コードレス電話子機とコードレス電話親機１００との無線リンクの送受信データを接続するようにパス設定を行い、リンガーを停止するなどするとともに第２の副制御信号にて外線着信停止を報知しアイドル状態に遷移する。外線応答を行ったコードレス電話子機以外の第２の副制御信号を受信していたコードレス電話子機３０１、３０２…３０Ｌは、外線着信停止の報知を受信すると、リンガーを停止するなどしてアイドル状態に遷移する。そして、コードレス電話親機１００は、コードレス電話親機３００より外線着信応答が通知されると、コードレス電話親機２００に外線着信応答を通知し、コードレス電話親機３００とコードレス電話親機２００との無線リンクの送受信データを接続するようにパス設定を行い、主制御信号で外線着信停止を報知し、リンガーを停止するなどしてアイドル状態に遷移する。主制御信号を受信していたコードレス電話子機１０１、１０２…１０Ｎは、外線着信停止の報知を受信すると、リンガーを停止するなどしてアイドル状態に遷移する。一方、コードレス電話親機２００は、コードレス電話親機１００から外線着信応答が通知されると、コードレス電話親機１００との無線リンクと電話回線６０の音声パスを接続し、リンガーを停止するなどするとともに第１の副制御信号にて外線着信停止を報知しアイドル状態に遷移し、第１の副制御信号より外線着信停止の報知を受信したコードレス電話子機２０１、２０２…２０Ｍは、リンガーを停止するなどしてアイドル状態に遷移する。
【０２００】
次に、内線発信のイベント発生時の詳細動作について説明を行う。
【０２０１】
先ず最初に、コードレス電話システム１０に属する、コードレス電話子機１０１、１０２…１０Ｎからの一斉内線呼び出しの動作について説明する。コードレス電話システム１０に属する、コードレス電話子機１０１、１０２…１０Ｎのいずれかのコードレス電話子機で、内線発信の操作が行われると、該当コードレス電話子機は、コードレス電話親機１００と無線リンクを確立し、内線発信要求を通知し、リングバックトーンを鳴らすなどして内線呼び出し状態に移行する。内線発信要求を受信したコードレス電話親機１００は、リンガーを鳴らすなどして内線着信を使用者に通知するとともに主制御信号にて該当コードレス電話子機からの一斉内線着信を報知し内線着信中の状態に遷移する。コードレス電話子機１０１、１０２…１０Ｎは、コードレス電話親機１００から該当コードレス電話子機からの一斉内線着信の報知を受信すると、リンガーを鳴らすなどして該当コードレス電話子機からの一斉内線着信を使用者に通知し、内線着信中の状態に遷移する。コードレス電話親機２００は、コードレス電話親機１００から該当コードレス電話子機からの一斉内線着信の報知を受信すると、リンガーを鳴らすなどして該当コードレス電話子機からの一斉内線着信を使用者に通知するとともに第１の副制御信号にて該当コードレス電話子機からの一斉内線着信を報知し、第１の副制御信号より該当コードレス電話子機からの一斉内線着信の報知を受信したコードレス電話子機２０１、２０２…２０Ｍは、リンガーを鳴らすなどして該当コードレス電話子機からの一斉内線着信を使用者に通知し、内線着信中の状態に遷移する。同様に、コードレス電話親機３００は、コードレス電話親機１００からの該当コードレス電話子機からの一斉内線着信の報知を受信すると、リンガーを鳴らすなどして内線着信を使用者に通知するとともに第２の副制御信号にて該当コードレス電話子機からの一斉内線着信を報知し、第２の副制御信号より該当コードレス電話子機からの一斉内線着信の報知を受信したコードレス電話子機３０１、３０２…３０Ｌは、リンガーを鳴らすなどして内線着信を使用者に通知し、内線着信中の状態に遷移する。
【０２０２】
次に、コードレス電話システム１０に属するコードレス電話子機からの一斉内線発信に対して、コードレス電話システム１０に属するコードレス電話子機１０１、１０２…１０
Ｎで応答操作を行った場合の動作について説明を行う。一斉内線の内線着信状態でコードレス電話子機１０１、１０２…１０Ｎのいずれかで内線応答の操作が行われると、該当コードレス電話子機は、コードレス電話親機１００と無線リンクを確立し、内線着信応答を通知し、内線通話状態に移行する。一方、コードレス電話親機１００は内線着信応答が通知されると、該当コードレス電話子機とコードレス電話親機１００に内線発信要求を行ったコードレス電話子機（内線発信中のコードレス電話子機）との無線リンクの送受信データを接続するようにパス設定を行い、内線発信要求を行ったコードレス電話子機に内線応答を通知するとともに主制御信号で内線着信停止を報知し、リンガーを停止するなどしてアイドル状態に遷移する。そして、内線発信要求を行ったコードレス電話子機（内線発信中のコードレス電話子機）は、コードレス電話親機１００より内線応答が通知されると、リングバックトーン等を停止し、コードレス電話親機１００との無線リンクの送受信データを音声パスに接続し、内線通話中の状態に移行する。一方、内線発信及び内線応答を行ったコードレス電話子機以外の主制御信号を受信していたコードレス電話子機１０１、１０２…１０Ｎは、内線着信停止の報知を受信すると、リンガーを停止するなどしてアイドル状態に遷移する。又、コードレス電話親機２００は、コードレス電話親機１００からの内線着信停止の報知を受信すると、リンガーを停止するなどするとともに第１の副制御信号にて内線着信停止を報知しアイドル状態に遷移し、第１の副制御信号より内線着信停止の報知を受信したコードレス電話子機２０１、２０２…２０Ｍは、リンガーを停止するなどしてアイドル状態に遷移する。同様に、コードレス電話親機３００は、コードレス電話親機１００からの内線着信停止の報知を受信すると、リンガーを停止するなどするとともに第２の副制御信号にて内線着信停止を報知しアイドル状態に遷移し、第２の副制御信号より内線着信停止の報知を受信したコードレス電話子機３０１、３０２…３０Ｌは、リンガーを停止するなどしてアイドル状態に遷移する。
【０２０３】
次に、コードレス電話システム１０に属するコードレス電話子機１０１、１０２…１０Ｎからの一斉内線発信に対して、コードレス電話システム２０に属するコードレス電話子機２０１、２０２…２０Ｍで応答操作を行った場合の動作について説明を行う。コードレス電話システム１０に属するコードレス電話子機１０１、１０２…１０Ｎからの一斉内線の内線着信状態でコードレス電話子機２０１、２０２…２０Ｍのいずれかで内線応答の操作が行われると、該当コードレス電話子機は、コードレス電話親機２００と無線リンクを確立し、内線着信応答を通知し、内線通話状態に移行する。一方、コードレス電話親機２００は、コードレス電話子機より内線着信応答が通知されると、コードレス電話親機１００と無線リンクを確立し、内線着信応答を通知し、該当コードレス電話子機とコードレス電話親機１００との無線リンクの送受信データを接続するようにパス設定を行い、リンガーを停止するなどするとともに第１の副制御信号にて内線着信停止を報知しアイドル状態に遷移する。そして、内線応答の操作が行われたコードレス電話子機を除く第１の副制御信号より内線着信停止の報知を受信したコードレス電話子機２０１、２０２…２０Ｍは、リンガーを停止するなどしてアイドル状態に遷移する。又、コードレス電話親機１００は、コードレス電話親機２００より内線着信応答が通知されると、コードレス電話親機２００とコードレス電話親機１００に内線発信要求を行ったコードレス電話子機（内線発信中のコードレス電話子機）との無線リンクの送受信データを接続するようにパス設定を行い、内線発信要求を行ったコードレス電話子機に内線応答を通知するとともに主制御信号で内線着信停止を報知し、リンガーを停止するなどしてアイドル状態に遷移する。そして、内線発信要求を行ったコードレス電話子機（内線発信中のコードレス電話子機）は、コードレス電話親機１００より内線応答が通知されると、リングバックトーン等を停止し、コードレス電話親機１００との無線リンクの送受信データを音声パスに接続し、内線通話中の状態に移行する。一方、内線発信を行ったコードレス電話子機以外の主制御信号を受信していたコードレス電話子機１０１、１０２…１０Ｎは、内線着信停止の報知を受信すると、リンガーを停止するなどしてアイドル状態に遷移する。又、コードレス電話親機３００は、コードレス電話親機１００からの内線着信停止の報知を受信すると、リンガーを停
止するなどするとともに第２の副制御信号にて内線着信停止を報知しアイドル状態に遷移し、第２の副制御信号より内線着信停止の報知を受信したコードレス電話子機３０１、３０２…３０Ｌは、リンガーを停止するなどしてアイドル状態に遷移する。
【０２０４】
コードレス電話システム１０に属するコードレス電話子機からの一斉内線発信に対して、コードレス電話システム３０に属するコードレス電話子機３０１、３０２…３０Ｌで応答操作を行った場合の動作は、上記のコードレス電話システム１０に属するコードレス電話子機からの一斉内線発信に対して、コードレス電話システム２０に属するコードレス電話子機２０１、２０２…２０Ｍで応答操作を行った場合の動作と同様であり説明を省略する。
【０２０５】
次に、コードレス電話システム１０に属する、コードレス電話親機１００からの一斉内線呼び出しの動作について説明する。コードレス電話親機１００から一斉内線発信が発生した場合、コードレス電話親機１００は、リングバックトーン等を鳴らし、内線発信中の状態になり、主制御信号にてコードレス電話親機１００からのからの一斉内線着信の報知を行う。そして、上述したコードレス電話システム１０に属するコードレス電話子機からの一斉内線発信のイベント発生時と同様に、主制御信号より一斉内線着信の報知を受信したコードレス電話子機１０１、１０２…１０Ｎ、コードレス電話親機２００、コードレス電話親機３００が内線着信状態に遷移し、コードレス電話親機２００は、第１の副制御信号にてコードレス電話親機１００からの一斉内線着信の報知を行い、コードレス電話親機３００は、第２の副制御信号にてコードレス電話親機１００からのからの一斉内線着信の報知を行う。そして、コードレス電話親機２００からの一斉内線着信の報知を受信したコードレス電話子機２０１、２０２…２０Ｍが内線着信状態に遷移し、コードレス電話親機３００からの一斉内線着信の報知を受信したコードレス電話子機３０１、３０２…３０Ｌが内線着信状態に遷移する。
【０２０６】
次に、コードレス電話親機１００からの内線着信状態で、いずれかの無線通信装置（コードレス電話親機２００、コードレス電話親機３００、コードレス電話子機１０１、１０２…１０Ｎ、コードレス電話子機２０１、２０２…２０Ｍ、コードレス電話子機３０１、３０２…３０Ｌ）で内線応答操作が行われた場合の動作について説明する。いずれかの無線通信装置で内線応答操作が行われた場合、コードレス電話親機１００に内線応答が通知されるまでの動作は上述したコードレス電話システム１０に属するコードレス電話子機からの内線着信状態で、いずれかの無線通信装置で内線応答操作が行われた場合の動作と同じであり説明を省略する。コードレス電話親機１００は、いずれかの無線通信装置より内線応答が通知されると、リングバックトーンを停止し、内線応答を通知したコードレス電話親機２００、コードレス電話親機３００、又は、コードレス電話子機１０１、１０２…１０Ｎのいずれかの無線通信装置との無線リンクの送受信データを音声パスに接続し、内線通話中の状態に移行し、主制御信号で内線着信停止を報知する。そして、上記同様に、コードレス電話親機２００の第１の副制御信号とコードレス電話親機３００の第２の副制御信号で内線着信停止が報知され、内線応答操作を行った無線通信装置を除くコードレス電話親機２００、コードレス電話親機３００、コードレス電話子機１０１、１０２…１０Ｎ、コードレス電話子機２０１、２０２…２０Ｍ、コードレス電話子機３０１、３０２…３０Ｌがアイドル状態に遷移する。
【０２０７】
次に、コードレス電話システム２０に属する、コードレス電話子機２０１、２０２…２０Ｍからの一斉内線呼び出しの動作について説明する。コードレス電話システム２０に属する、コードレス電話子機２０１、２０２…２０Ｍのいずれかのコードレス電話子機で、内線発信の操作が行われると、該当コードレス電話子機は、コードレス電話親機２００と無線リンクを確立し、内線発信要求を通知し、リングバックトーンを鳴らすなどして内線呼び出し状態に移行する。内線発信要求を受信したコードレス電話親機２００は、リンガ
ーを鳴らすなどして内線着信を使用者に通知するとともに第１の副制御信号にて該当コードレス電話子機からの内線着信を報知し内線着信中の状態に遷移する。コードレス電話子機２０１、２０２…２０Ｍは、コードレス電話親機２００からの該当コードレス電話子機からの内線着信の報知を受信すると、リンガーを鳴らすなどして内線着信を使用者に通知し、内線着信中の状態に遷移する。又、コードレス電話親機２００は、コードレス電話親機１００と無線リンクを確立し、該当コードレス電話子機からの内線着信を通知する。一方、コードレス電話親機１００は、コードレス電話親機２００より該当コードレス電話子機からの内線着信が通知されると、リンガーを鳴らすなどして内線着信を使用者に通知するとともに主制御信号にて該当コードレス電話子機からの内線着信を報知し内線着信中の状態に遷移する。コードレス電話子機１０１、１０２…１０Ｎは、コードレス電話親機１００からの該当コードレス電話子機からの内線着信の報知を受信すると、リンガーを鳴らすなどして内線着信を使用者に通知し、内線着信中の状態に遷移する。そして、コードレス電話親機３００は、コードレス電話親機１００からの該当コードレス電話子機からの内線着信の報知を受信すると、リンガーを鳴らすなどして内線着信を使用者に通知するとともに第２の副制御信号にて該当コードレス電話子機からの内線着信を報知し、第２の副制御信号より該当コードレス電話子機からの内線着信の報知を受信したコードレス電話子機３０１、３０２…３０Ｌは、リンガーを鳴らすなどして内線着信を使用者に通知し、内線着信中の状態に遷移する。
【０２０８】
コードレス電話子機２０１、２０２…２０Ｍのいずれかのコードレス電話子機からの内線着信中の状態でコードレス電話子機１０１、１０２…１０Ｎのいずれかで内線応答の操作が行われると、内線応答の操作が行なわれたコードレス電話子機は、コードレス電話親機１００と無線リンクを確立し、内線着信応答を通知し、内線通話状態に移行する。一方、コードレス電話親機１００は内線着信応答が通知されると、コードレス電話親機２００に内線着信応答を通知し、内線応答の操作が行なわれたコードレス電話子機とコードレス電話親機２００との無線リンクの送受信データを接続するようにパス設定を行い、主制御信号で内線着信停止を報知し、リンガーを停止するなどしてアイドル状態に遷移する。内線応答を行ったコードレス電話子機以外の主制御信号を受信していたコードレス電話子機１０１、１０２…１０Ｎは、内線着信停止の報知を受信すると、リンガーを停止するなどしてアイドル状態に遷移する。一方、コードレス電話親機２００は、コードレス電話親機１００から内線着信応答が通知されると、内線発信の操作が行なわれたコードレス電話子機とコードレス電話親機１００との無線リンクの送受信データを接続するようにパス設定を行い、内線発信の操作が行なわれたコードレス電話子機に内線応答を通知し、リンガーを停止するなどするとともに第１の副制御信号にて内線着信停止を報知しアイドル状態に遷移する。内線発信要求を行ったコードレス電話子機（内線発信中のコードレス電話子機）は、コードレス電話親機２００より内線応答が通知されると、リングバックトーン等を停止し、コードレス電話親機２００との無線リンクの送受信データを音声パスに接続し、内線通話中の状態に移行する。又、内線発信を行ったコードレス電話子機を除く第１の副制御信号より内線着信停止の報知を受信したコードレス電話子機２０１、２０２…２０Ｍは、リンガーを停止するなどしてアイドル状態に遷移する。又、コードレス電話親機３００は、コードレス電話親機１００からの内線着信停止の報知を受信すると、リンガーを停止するなどするとともに第２の副制御信号にて内線着信停止を報知しアイドル状態に遷移し、第２の副制御信号より内線着信停止の報知を受信したコードレス電話子機３０１、３０２…３０Ｌは、リンガーを停止するなどしてアイドル状態に遷移する。
【０２０９】
又、コードレス電話子機２０１、２０２…２０Ｍのいずれかのコードレス電話子機からの内線着信中の状態で内線発信を行ったコードレス電話子機を除くコードレス電話子機２０１、２０２…２０Ｍのいずれかで内線応答の操作が行われると、内線応答の操作が行なわれたコードレス電話子機は、コードレス電話親機２００と無線リンクを確立し、内線着信応答を通知し、内線通話状態に移行する。コードレス電話親機２００は、内線発信を行
ったコードレス電話子機を除くコードレス電話子機２０１、２０２…２０Ｍのいずれかのコードレス電話子機より内線着信応答が通知されると、内線発信を行ったコードレス電話子機と内線応答を行ったコードレス電話子機との無線リンクの送受信データを接続するようにパス設定を行い、内線発信の操作が行なわれたコードレス電話子機に内線応答を通知し、リンガーを停止するなどするとともに第１の副制御信号にて内線着信停止を報知し、コードレス電話親機１００と接続していた無線リンクを用いてコードレス電話親機１００に外線着信停止の通知を行いコードレス電話親機１００との該当無線リンクを開放し、アイドル状態に遷移する。そして、内線応答を行ったコードレス電話子機及び内線発信を行ったコードレス電話子機を除く第１の副制御信号より内線着信停止の報知を受信したコードレス電話子機２０１、２０２…２０Ｍは、リンガーを停止するなどしてアイドル状態に遷移する。又、コードレス電話親機２００より内線着信停止が通知されたコードレス電話親機１００は、コードレス電話親機２００との無線リンクを開放し、主制御信号で内線着信停止を報知し、リンガーを停止するなどしてアイドル状態に遷移し、主制御信号を受信していたコードレス電話子機１０１、１０２…１０Ｎは、内線着信停止の報知を受信すると、リンガーを停止するなどしてアイドル状態に遷移する。又、コードレス電話親機３００は、コードレス電話親機１００からの内線着信停止の報知を受信すると、リンガーを停止するなどするとともに第２の副制御信号にて内線着信停止を報知しアイドル状態に遷移し、第２の副制御信号より内線着信停止の報知を受信したコードレス電話子機３０１、３０２…３０Ｌは、リンガーを停止するなどしてアイドル状態に遷移する。
【０２１０】
又、コードレス電話子機２０１、２０２…２０Ｍのいずれかのコードレス電話子機からの内線着信中の状態でコードレス電話子機３０１、３０２…３０Ｌのいずれかで内線応答の操作が行われると、内線応答の操作が行なわれたコードレス電話子機は、コードレス電話親機３００と無線リンクを確立し、内線着信応答を通知し、内線通話状態に移行する。コードレス電話親機３００は、コードレス電話子機より内線着信応答が通知されると、コードレス電話親機１００と無線リンクを確立し、内線着信応答を通知し、内線応答の操作が行なわれたコードレス電話子機とコードレス電話親機１００との無線リンクの送受信データを接続するようにパス設定を行い、リンガーを停止するなどするとともに第２の副制御信号にて内線着信停止を報知しアイドル状態に遷移する。内線応答を行ったコードレス電話子機以外の第２の副制御信号を受信していたコードレス電話子機３０１、３０２…３０Ｌは、内線着信停止の報知を受信すると、リンガーを停止するなどしてアイドル状態に遷移する。そして、コードレス電話親機１００は、コードレス電話親機３００より内線着信応答が通知されると、コードレス電話親機２００に内線着信応答を通知し、コードレス電話親機３００とコードレス電話親機２００との無線リンクの送受信データを接続するようにパス設定を行い、主制御信号で内線着信停止を報知し、リンガーを停止するなどしてアイドル状態に遷移する。主制御信号を受信していたコードレス電話子機１０１、１０２…１０Ｎは、内線着信停止の報知を受信すると、リンガーを停止するなどしてアイドル状態に遷移する。一方、コードレス電話親機２００は、コードレス電話親機１００から内線着信応答が通知されると、内線発信の操作が行なわれたコードレス電話子機とコードレス電話親機１００との無線リンクの送受信データを接続するようにパス設定を行い、内線発信の操作が行なわれたコードレス電話子機に内線着信応答を通知し、リンガーを停止するなどするとともに第１の副制御信号にて内線着信停止を報知しアイドル状態に遷移する。コードレス電話親機２００より内線着信応答の通知を受けた内線発信の操作が行なわれたコードレス電話子機は、リングバックトーン等を停止し、コードレス電話親機２００との無線リンクの送受信データを音声パスに接続し、内線通話中の状態に移行し、内線発信の操作が行なわれたコードレス電話子機を除く第１の副制御信号より内線着信停止の報知を受信したコードレス電話子機２０１、２０２…２０Ｍは、リンガーを停止するなどしてアイドル状態に遷移する。
【０２１１】
次に、呼び出し先を指定した個別内線発信の動作について説明を行う。
【０２１２】
先ず、同じコードレス電話親機に属するコードレス電話子機間での個別内線発信の動作について説明を行う。同じコードレス電話親機に属するコードレス電話子機間での個別内線発信の動作は、コードレス電話親機１００に属するコードレス電話子機１０１、１０２…１０Ｎ内での個別内線発信、コードレス電話親機２００に属するコードレス電話子機２０１、２０２…２０Ｍ内での個別内線発信、及び、コードレス電話親機３００に属するコードレス電話子機３０１、３０２…３０Ｌ内での個別内線発信すべて同じ動作となり、ここでは、コードレス電話親機とそのコードレス電話親機に属するコードレス電話子機間の動作について説明する。コードレス電話子機より個別内線発信の操作が行われると、先ず発信元のコードレス電話子機は、リングバックトーンをならすなどして内線発信中であることを使用者に通知し、コードレス電話親機と無線リンクを確立し、接続先の内線番号を指定した個別内線発信の要求（以下、個別内線発信要求と記す）を行う。個別内線発信要求を受信したコードレス電話親機は、要求された接続先が自局の従属局として動作するコードレス電話子機の内線番号であった場合、制御信号にて、指定されたコードレス電話子機の呼び出しの報知を行う。個別の呼び出し報知を受信した該当コードレス電話子機は、リンガーを鳴らすなどして内線着信状態に遷移する。そして、着信先のコードレス電話子機より内線着信の応答操作が行われると、着信先のコードレス電話子機は、コードレス電話親機と無線リンクを確立し、内線着信応答を通知し、コードレス電話親機との無線リンクの送受信データを音声パスに接続し、内線通話状態に遷移する。コードレス電話親機は、内線着信応答を受信すると発信元のコードレス電話子機に内線着信応答を通知し、発信元のコードレス電話子機との無線リンクと着信先のコードレス電話子機との無線リンクの送受信データを接続するようにパスの設定を行う。そして、コードレス電話親機より内線着信応答が通知された発信元のコードレス電話子機は、リングバックトーンを停止し、コードレス電話親機との無線リンクの送受信データを音声パスに接続し、内線通話状態に遷移する。
【０２１３】
次に。異なるコードレス電話親機に属するコードレス電話子機間での個別内線発信の動作について説明を行う。
【０２１４】
先ず、コードレス電話親機１００に属するコードレス電話子機よりコードレス電話親機２００に属するコードレス電話子機への個別内線発信の動作の例として、コードレス電話子機１０１よりコードレス電話子機２０１を呼び出す例を説明する。コードレス電話子機１０１よりコードレス電話子機２０１への個別内線発信の操作が行われると、先ず発信元のコードレス電話子機１０１は、リングバックトーンをならすなどして内線発信中であることを使用者に通知し、コードレス電話親機１００と無線リンクを確立し、接続先のコードレス電話子機２０１の内線番号を指定した個別内線発信要求を行う。個別内線発信要求を受信したコードレス電話親機１００は、要求された接続先が自局の従属局として動作するコードレス電話子機の内線番号以外であった場合、主制御信号にて、指定されたコードレス電話子機、即ちコードレス電話子機２０１の呼び出しの報知を行う。一方、主制御信号を受信しているコードレス電話親機２００、コードレス電話親機３００は、指定されたコードレス電話子機が自局のコードレス電話子機であった場合、制御信号で指定されたコードレス電話子機の呼び出しの報知を行う。即ち、コードレス電話子機１０１よりコードレス電話子機２０１への個別内線発信であれば、コードレス電話親機２００は、コードレス電話親機１００より報知されているコードレス電話子機２０１の呼び出し報知を受信すると、第１の副制御信号にてコードレス電話子機２０１の呼び出しを報知する。そして、個別の呼び出し報知を受信したコードレス電話子機２０１は、リンガーを鳴らすなどして内線着信状態に遷移する。そして、着信先のコードレス電話子機２０１より内線着信の応答操作が行われると、着信先のコードレス電話子機２０１は、コードレス電話親機２００と無線リンクを確立し、内線着信応答を通知し、コードレス電話親機２００との無線リンクの送受信データを音声パスに接続し、内線通話状態に遷移する。コードレス電話親機２
００は、内線着信応答を受信すると、コードレス電話親機１００と無線リンクを確立し、内線着信応答を通知しコードレス電話子機２０１の無線リンクとコードレス電話親機１００との無線リンクの送受信データのパスを接続する。コードレス電話親機１００は、コードレス電話親機２００より内線着信応答を受信すると、発信元のコードレス電話子機１０１に内線着信応答を通知し、発信元のコードレス電話子機１０１との無線リンクとコードレス電話親機２００との無線リンクの送受信データを接続するようにパスの設定を行う。そして、コードレス電話親機１００より内線着信応答が通知された発信元のコードレス電話子機１０１は、リングバックトーンを停止し、コードレス電話親機１００との無線リンクの送受信データを音声パスに接続し、内線通話状態に遷移する。
【０２１５】
次に、コードレス電話親機２００に属するコードレス電話子機よりコードレス電話親機１００に属するコードレス電話子機への個別内線発信の動作の例として、コードレス電話子機２０１よりコードレス電話子機１０１を呼び出す例を説明する。コードレス電話子機２０１よりコードレス電話子機１０１への個別内線発信の操作が行われると、先ず発信元のコードレス電話子機２０１は、リングバックトーンをならすなどして内線発信中であることを使用者に通知し、コードレス電話親機２００と無線リンクを確立し、接続先のコードレス電話子機１０１の内線番号を指定した個別内線発信要求を行う。個別内線発信要求を受信したコードレス電話親機２００は、要求された接続先が自局の従属局として動作するコードレス電話子機の内線番号以外であった場合、コードレス電話親機１００と無線リンクを確立し、コードレス電話親機１００に、接続先のコードレス電話子機１０１の内線番号を指定した個別内線発信要求を通知する。コードレス電話親機１００は、コードレス電話親機２００よりコードレス電話子機１０１の内線番号を指定した個別内線発信要求が通知されると、主制御信号にて、指定されたコードレス電話子機、即ちコードレス電話子機１０１の呼び出しの報知を行う。そして、個別の呼び出し報知を受信したコードレス電話子機１０１は、リンガーを鳴らすなどして内線着信状態に遷移する。そして、着信先のコードレス電話子機１０１より内線着信の応答操作が行われると、着信先のコードレス電話子機１０１は、コードレス電話親機１００と無線リンクを確立し、内線着信応答を通知し、コードレス電話親機１００との無線リンクの送受信データを音声パスに接続し、内線通話状態に遷移する。コードレス電話親機１００は、内線着信応答を受信すると、コードレス電話子機１０１の無線リンクとコードレス電話親機２００との無線リンクの送受信データのパスを接続し、コードレス電話親機２００に内線着信応答を通知する。コードレス電話親機２００は、コードレス電話親機１００より内線着信応答を受信すると、発信元のコードレス電話子機２０１に内線着信応答を通知し、発信元のコードレス電話子機２０１との無線リンクとコードレス電話親機１００との無線リンクの送受信データを接続するようにパスの設定を行う。そして、コードレス電話親機２００より内線着信応答が通知された発信元のコードレス電話子機２０１は、リングバックトーンを停止し、コードレス電話親機２００との無線リンクの送受信データを音声パスに接続し、内線通話状態に遷移する。
【０２１６】
次に、コードレス電話親機２００に属するコードレス電話子機よりコードレス電話親機３００に属するコードレス電話子機への個別内線発信の動作の例として、コードレス電話子機２０１よりコードレス電話子機３０１を呼び出す例を説明する。コードレス電話子機２０１よりコードレス電話子機３０１への個別内線発信の操作が行われると、先ず発信元のコードレス電話子機２０１は、リングバックトーンをならすなどして内線発信中であることを使用者に通知し、コードレス電話親機２００と無線リンクを確立し、接続先のコードレス電話子機３０１の内線番号を指定した個別内線発信要求を行う。個別内線発信要求を受信したコードレス電話親機２００は、要求された接続先が自局の従属局として動作するコードレス電話子機の内線番号以外であった場合、コードレス電話親機１００と無線リンクを確立し、コードレス電話親機１００に、接続先のコードレス電話子機３０１の内線番号を指定した個別内線発信要求を通知する。コードレス電話親機１００は、コードレス
電話親機２００よりコードレス電話子機１０１の内線番号を指定した個別内線発信要求が通知されると、主制御信号にて、指定されたコードレス電話子機、即ちコードレス電話子機３０１の呼び出しの報知を行う。一方、主制御信号を受信しているコードレス電話親機２００、コードレス電話親機３００は、指定されたコードレス電話子機が自局のコードレス電話子機であった場合、制御信号で指定されたコードレス電話子機の呼び出しの報知を行う。即ち、コードレス電話子機２０１よりコードレス電話子機３０１への個別内線発信であれば、コードレス電話親機３００は、コードレス電話親機１００より報知されているコードレス電話子機３０１の呼び出し報知を受信すると、第２の副制御信号にてコードレス電話子機３０１の呼び出しを報知する。そして、個別の呼び出し報知を受信したコードレス電話子機３０１は、リンガーを鳴らすなどして内線着信状態に遷移する。そして、着信先のコードレス電話子機３０１より内線着信の応答操作が行われると、着信先のコードレス電話子機３０１は、コードレス電話親機３００と無線リンクを確立し、内線着信応答を通知し、コードレス電話親機３００との無線リンクの送受信データを音声パスに接続し、内線通話状態に遷移する。コードレス電話親機３００は、内線着信応答を受信すると、コードレス電話子機３０１の無線リンクとコードレス電話親機１００との無線リンクの送受信データのパスを接続し、コードレス電話親機１００に内線着信応答を通知する。そして、コードレス電話親機１００は、コードレス電話親機３００からの内線着信応答を受信すると、コードレス電話親機３００の無線リンクとコードレス電話親機２００との無線リンクの送受信データのパスを接続し、コードレス電話親機２００に内線着信応答を通知する。コードレス電話親機２００は、コードレス電話親機１００より内線着信応答を受信すると、発信元のコードレス電話子機２０１に内線着信応答を通知し、発信元のコードレス電話子機２０１との無線リンクとコードレス電話親機１００との無線リンクの送受信データを接続するようにパスの設定を行う。そして、コードレス電話親機２００より内線着信応答が通知された発信元のコードレス電話子機２０１は、リングバックトーンを停止し、コードレス電話親機２００との無線リンクの送受信データを音声パスに接続し、内線通話状態に遷移する。
【０２１７】
次に、呼び出し先を指定した個別内線発信の動作の別の接続制御の例について説明を行う。上記、個別内線発信の動作は、着信側で着信応答操作が行われた後、着信応答したコードレス電話子機が無線リンクを確立し、通話状態に遷移する接続制御の例を示したが、以下、着信側のコードレス電話親機やコードレス電話子機が個別の呼び出し報知を受信した際に、コードレス電話親機との無線リンクを確立するように動作する接続制御の例について説明を行う。又、以下の説明では、個別内線発信の場合、着信先が属するコードレス電話システムを識別する番号とそのコードレス電話システム内での内線番号によって無線通信システム１内の特定の無線通信装置を特定して個別内線発信を行う場合の動作例について説明する。
【０２１８】
先ず、番号形態について説明を行う。
【０２１９】
コードレス電話親機とコードレス電話子機から構成された各コードレス電話システムは、各々のコードレス電話システムを特定するため、異なるシステム番号が付与される。このシステム番号は、無線通信システム１内の各コードレス電話システムに１つずつある制御局（コードレス電話親機）を識別するための情報、即ち、制御局識別情報として利用され、例えば、コードレス電話親機の内線番号であってもよい。又、各コードレス電話システム内のコードレス電話子機は、各コードレス電話システム内で特定の従属局（コードレス電話子機）を特定するための情報、即ち、従属局識別情報を持っている。この従属局識別情報は、例えば、コードレス電話子機の内線番号であり、各コードレス電話システム内では単独で存在し、無線通信システム１内では同一のものが複数あってもよい。即ち、あるコードレス電話親機の従属局として動作するコードレス電話子機の従属局識別情報が、他のコードレス電話親機に属するコードレス電話子機の従属局識別情報と重複していても
よい。
【０２２０】
以下の説明では、図１５に示す無線通信システムのコードレス電話システム１０のコードレス電話親機１００の内線番号（制御局識別情報）を１０、コードレス電話子機１０１の内線番号（従属局識別情報）を１、コードレス電話子機１０２の内線番号（従属局識別情報）を２、以下、同様にコードレス電話子機１０Ｎまでの内線番号（従属局識別情報）をＮとし、コードレス電話システム２０のコードレス電話親機２００の内線番号（制御局識別情報）を２０、コードレス電話子機２０１の内線番号（従属局識別情報）を１、コードレス電話子機２０１の内線番号（従属局識別情報）を２、以下、同様にコードレス電話子機２０Ｍまでの内線番号（従属局識別情報）をＮとし、コードレス電話システム３０のコードレス電話親機３００の内線番号（制御局識別情報）を３０、コードレス電話子機３０１の内線番号（従属局識別情報）を１、コードレス電話子機３０２の内線番号（従属局識別情報）を２、以下、同様にコードレス電話子機３０Ｌまでの内線番号（従属局識別情報）をＮとした場合の動作例について説明を行う。
【０２２１】
先ず同一コードレス電話親機を待ち受けるコードレス電話システム内のコードレス電話子機間の個別内線発信動作について、コードレス電話子機１０１からコードレス電話子機１０２の個別内線発信動作を例に説明を行う。コードレス電話子機１０１よりコードレス電話子機１０２に個別内線発信を行う場合、使用者は、コードレス電話システム１０でコードレス電話子機１０２を特定するための内線番号を入力する。即ち、コードレス電話子機１０２への個別内線発信の場合、呼び出し先の無線通信装置の内線番号として“２”のみを指定することにより、同一コードレス電話システム内の内線番号２の無線通信装置、つまり、コードレス電話子機１０２を特定する。コードレス電話子機１０１より使用者が、内線番号“２”を指定して呼別内線発信の操作を行うと、コードレス電話子機１０１は、相手への無線リンク確立動作中である報知音（以下リンク確立報知音と記す）をならすなどして着信先であるコードレス電話子機１０２までの無線リンクの確立動作中であることを使用者に通知し、コードレス電話親機１００と無線リンクを確立し、接続先のコードレス電話子機１０２の内線番号"２“を指定した個別内線発信要求を行う。個別内線発信要求を受信したコードレス電話親機１００は、自局を指定する内線番号以外、即ち、内線番号が”１０“以外であった場合、要求された内線番号に従い、主制御信号にて、指定された内線番号の無線通信装置の呼び出し報知を行う。主制御信号を受信しているコードレス電話親機２００、コードレス電話親機３００は、指定された内線番号に自局の制御局識別情報が含まれていた場合、コードレス電話親機１００と無線リンクを確立するよう動作し、更に、従属局識別情報、即ち、そのコードレス電話親機に属するコードレス電話子機の内線番号が含まれていた場合、制御信号にて、指定された内線番号のコードレス電話子機の呼び出し報知を行うよう動作するが、コードレス電話子機１０１よりコードレス電話子機１０２への個別内線発信であれば、コードレス電話親機２００及びコードレス電話親機３００は、指定された内線番号に自局を示す内線番号（制御局識別情報）が含まれていないので、コードレス電話子機の呼び出し報知等の制御は起動されない。一方、個別の呼び出し報知を受信したコードレス電話子機１０２は、コードレス電話親機１００と無線リンクを確立するよう動作し、コードレス電話親機１００との無線リンクが確立すると個別内線呼び出しにたいする無線接続であることを通知する無線接続確認を通知し、リンガーを鳴らすなどして内線着信状態に遷移する。コードレス電話親機１００は、コードレス電話子機１０２より無線接続確認が通知されると発信もとのコードレス電話子機１０１に無線接続確認を通知し、コードレス電話子機１０１は、無線接続確認が通知されると、リンク確立報知音を停止し、着信先の相手での呼び出しが開始されたことを通知するリングバックトーンを鳴らし、使用者にコードレス電話子機２０１で呼び出しが開始されたことを通知する。そして、着信先のコードレス電話子機１０２より内線着信の応答操作が行われると、着信先のコードレス電話子機１０２は、コードレス電話親機１００に内線着信応答を通知し、コ��ドレス電話親機１００との無線リンクの送受信データを音声パスに接続し
、内線通話状態に遷移する。コードレス電話親機１００は、内線着信応答を受信すると、発信元のコードレス電話子機１０１に内線着信応答を通知し、発信元のコードレス電話子機１０１との無線リンクと着信先のコードレス電話子機１０２との無線リンクの送受信データを接続するようにパスの設定を行う。そして、コードレス電話親機１００より内線着信応答が通知された発信元のコードレス電話子機１０１は、リングバックトーンを停止し、コードレス電話親機１００との無線リンクの送受信データを音声パスに接続し、内線通話状態に遷移する。
【０２２２】
次に、コードレス電話子機１０１からコードレス電話親機２００への個別内線発信動作について説明を行う。コードレス電話子機１０１よりコードレス電話親機２００に個別内線発信を行う場合、使用者は、コードレス電話親機２００の属するコードレス電話システム２０を特定するためのコードレス電話親機２００の内線番号を入力する。即ち、コードレス電話親機２００への個別内線発信の場合、呼び出し先の無線通信装置の内線番号として“２０”を指定することにより、コードレス電話システム２０内の制御局として動作する無線通信装置、つまり、コードレス電話親機２００を特定する。コードレス電話子機１０１より使用者が、内線番号“２０”を指定して呼別内線発信の操作を行うと、コードレス電話子機１０１は、リンク確立報知音をならすなどして着信先であるコードレス電話親機２００までの無線リンクの確立動作中であることを使用者に通知し、コードレス電話親機１００と無線リンクを確立し、接続先のコードレス電話親機２００の内線番号"２０“を指定した個別内線発信要求を行う。個別内線発信要求を受信したコードレス電話親機１００は、自局を指定する内線番号以外、即ち、内線番号が”１０“以外であった場合、要求された内線番号に従い、主制御信号にて、指定された内線番号の無線通信装置の呼び出し報知を行う。自局の内線番号が指定された呼び出し報知を受信したコードレス電話親機２００は、コードレス電話親機１００と無線リンクを確立するよう動作し、コードレス電話親機１００との無線リンクが確立すると、無線接続確認を通知し、リンガーを鳴らすなどして内線着信状態に遷移する。コードレス電話親機１００は、コードレス電話親機２００より無線接続確認が通知されると発信もとのコードレス電話子機１０１に無線接続確認を通知し、コードレス電話子機１０１は、無線接続確認が通知されると、リンク確立報知音を停止し、着信先の相手での呼び出しが開始されたことを通知するリングバックトーンを鳴らし、使用者にコードレス電話子機２０１で呼び出しが開始されたことを通知する。そして、着信先のコードレス電話親機２００より内線着信の応答操作が行われると、着信先のコードレス電話親機２００は、コードレス電話親機１００に内線着信応答を通知し、コードレス電話親機１００との無線リンクの送受信データを音声パスに接続し、内線通話状態に遷移する。コードレス電話親機１００は、コードレス電話親機２００より内線着信応答を受信すると、発信元のコードレス電話子機１０１に内線着信応答を通知し、発信元のコードレス電話子機１０１との無線リンクとコードレス電話親機２００との無線リンクの送受信データを接続するようにパスの設定を行う。そして、コードレス電話親機１００より内線着信応答が通知された発信元のコードレス電話子機１０１は、リングバックトーンを停止し、コードレス電話親機１００との無線リンクの送受信データを音声パスに接続し、内線通話状態に遷移する。
【０２２３】
次に、コードレス電話子機１０１からコードレス電話子機２０１への個別内線発信動作について説明を行う。コードレス電話子機１０１よりコードレス電話子機２０１に個別内線発信を行う場合、使用者は、コードレス電話子機２０１の属するコードレス電話システム２０を特定するためのコードレス電話親機２００の内線番号と、コードレス電話システム２０でコードレス電話子機２０１を特定するための内線番号を入力する。即ち、コードレス電話子機２０１への個別内線発信の場合、呼び出し先の無線通信装置の内線番号として“２０１”を指定することにより、最初の２桁の“２０”でコードレス電話システム２０を特定し、３桁目の“１”でコードレス電話システム２０内の内線番号１の無線通信装置、つまり、コードレス電話子機２０１を特定する。コードレス電話子機１０１より使用
者が、内線番号“２０１”を指定して呼別内線発信の操作を行うと、コードレス電話子機１０１は、リンク確立報知音をならすなどして着信先であるコードレス電話子機２０１までの無線リンクの確立動作中であることを使用者に通知し、コードレス電話親機１００と無線リンクを確立し、接続先のコードレス電話子機２０１の内線番号"２０１“を指定した個別内線発信要求を行う。個別内線発信要求を受信したコードレス電話親機１００は、自局を指定する内線番号以外、即ち、内線番号が”１０“以外であった場合、要求された内線番号に従い、主制御信号にて、指定された内線番号の無線通信装置の呼び出し報知を行う。一方、主制御信号を受信しているコードレス電話親機２００、コードレス電話親機３００は、指定された内線番号に自局の制御局識別情報が含まれていた場合、コードレス電話親機１００と無線リンクを確立するよう動作し、更に、従属局識別情報、即ち、そのコードレス電話親機に属するコードレス電話子機の内線番号が含まれていた場合、制御信号にて、指定された内線番号のコードレス電話子機の呼び出し報知を行う。即ち、コードレス電話子機１０１よりコードレス電話子機２０１への個別内線発信であれば、コードレス電話親機２００は、コードレス電話親機１００より報知されているコードレス電話子機２０１の呼び出し報知を受信すると、コードレス電話親機１００と無線リンクを確立し、コードレス電話親機１００との無線リンクが確立すると、第１の副制御信号にてコードレス電話子機２０１の呼び出しの報知を開始する。個別の呼び出し報知を受信したコードレス電話子機２０１は、コードレス電話親機２００と無線リンクを確立するよう動作し、コードレス電話親機２００との無線リンクが確立すると個別内線呼び出しに対する無線接続であることを通知する無線接続確認を通知し、リンガーを鳴らすなどして内線着信状態に遷移する。コードレス電話親機２００は、コードレス電話子機２０１より無線接続確認が通知されると、先に確立したコードレス電話親機１００との無線リンク上で無線接続確認を通知する。コードレス電話親機１００は、コードレス電話親機２００より無線接続確認が通知されると発信もとのコードレス電話子機１０１に無線接続確認を通知し、コードレス電話子機１０１は、無線接続確認が通知されると、リンク確立報知音を停止し、着信先の相手での呼び出しが開始されたことを通知するリングバックトーンを鳴らし、使用者にコードレス電話子機２０１で呼び出しが開始されたことを通知する。そして、着信先のコードレス電話子機２０１より内線着信の応答操作が行われると、着信先のコードレス電話子機２０１は、コードレス電話親機２００に内線着信応答を通知し、コードレス電話親機２００との無線リンクの送受信データを音声パスに接続し、内線通話状態に遷移する。コードレス電話親機２００は、内線着信応答を受信すると、コードレス電話親機１００に内線着信応答を通知し、コードレス電話子機２０１の無線リンクとコードレス電話親機１００との無線リンクの送受信データのパスを接続する。コードレス電話親機１００は、コードレス電話親機２００より内線着信応答を受信すると、発信元のコードレス電話子機１０１に内線着��応答を通知し、発信元のコードレス電話子機１０１との無線リンクとコードレス電話親機２００との無線リンクの送受信データを接続するようにパスの設定を行う。そして、コードレス電話親機１００より内線着信応答が通知された発信元のコードレス電話子機１０１は、リングバックトーンを停止し、コードレス電話親機１００との無線リンクの送受信データを音声パスに接続し、内線通話状態に遷移する。
【０２２４】
次に、コードレス電話子機２０１からコードレス電話親機１００への個別内線発信動作について説明を行う。コードレス電話子機２０１よりコードレス電話親機１００に個別内線発信を行う場合、使用者は、コードレス電話親機１００の属するコードレス電話システム１０を特定するためのコードレス電話親機１００の内線番号を入力する。即ち、コードレス電話親機１００への個別内線発信の場合、呼び出し先の無線通信装置の内線番号として“１０”を指定することにより、コードレス電話システム１０内の制御局として動作する無線通信装置、つまり、コードレス電話親機１００を特定する。コードレス電話子機２０１より使用者が、内線番号“１０”を指定して呼別内線発信の操作を行うと、コードレス電話子機２０１は、リンク確立報知音をならすなどして着信先であるコードレス電話親機１００までの無線リンクの確立動作中であることを使用者に通知し、コードレス電話親
機２００と無線リンクを確立し、接続先のコードレス電話親機１００の内線番号"１０“を指定した個別内線発信要求を行う。主制御局（本例ではコードレス電話親機１００）の従属局として動作する制御局が、従属局より、他のコードレス電話システムに属するコードレス電話親機又はコードレス電話子機への個別内線発信要求を受信すると、主制御局と無線リンクを確立し、個別内線発信要求を通知するように動作する。即ち、コードレス電話親機２００は、コードレス電話子機２０１より自局の内線番号”２０“、又は、”１“、”２“…”Ｍ”の自局の従属局のコードレス電話子機の内線番号以外の内線番号を指定した個別内線発信要求を受信すると、コードレス電話親機１００と無線リンクを確立するように動作し、コードレス電話親機１００と無線リンク確立後、コードレス電話親機１００にコードレス電話子機２０１より要求された内線番号（本例では“１０”）の個別内線発信要求の発生を通知する。一方、コードレス電話親機１００は、コードレス電話親機２００より内線番号"１０“を指定した個別内線発信要求の発生が通知されると、通知された内線番号が自局を指定する内線番号であるため、個別内線呼び出しに対する無線接続であることを通知する無線接続確認をコードレス電話親機２００に通知し、リンガーを鳴らすなどして内線着信状態に遷移する。コードレス電話親機２００は、コードレス電話親機１００より無線接続確認が通知されると発信もとのコードレス電話子機２０１に無線接続確認を通知し、コードレス電話子機２０１は、無線接続確認が通知されると、リンク確立報知音を停止し、着信先の相手での呼び出しが開始されたことを通知するリングバックトーンを鳴らし、使用者にコードレス電話親機１００で呼び出しが開始されたことを通知する。そして、着信先のコードレス電話親機１００より内線着信の応答操作が行われると、着信先のコードレス電話親機１００は、コードレス電話親機２００に内線着信応答を通知し、コードレス電話親機２００との無線リンクの送受信データを音声パスに接続し、内線通話状態に遷移する。コードレス電話親機２００は、コードレス電話親機１００からの内線着信応答を受信すると、コードレス電話子機２０１に内線着信応答を通知し、コードレス電話子機２０１の無線リンクとコードレス電話親機１００との無線リンクの送受信データのパスを接続する。そして、コードレス電話親機２００より内線着信応答が通知された発信元のコードレス電話子機２０１は、リングバックトーンを停止し、コードレス電話親機２００との無線リンクの送受信データを音声パスに接続し、内線通話状態に遷移する。
【０２２５】
次に、コードレス電話子機２０１からコードレス電話子機１０１への個別内線発信動作について説明を行う。コードレス電話子機２０１よりコードレス電話子機１０１に個別内線発信を行う場合、コードレス電話子機１０１の属するコードレス電話システム１０を特定するためのコードレス電話親機１００の内線番号と、コードレス電話システム１０でコードレス電話子機１０１を特定するための内線番号を入力する。即ち、コードレス電話子機１０１への個別内線発信の場合、呼び出し先の無線通信装置の内線番号として“１０１”を指定することにより、最初の２桁の“１０”でコードレス電話システム１０を特定し、３桁目の“１”でコードレス電話システム１０内の内線番号１の無線通信装置、つまり、コードレス電話子機１０１を特定する。コードレス電話子機２０１より使用者が、内線番号“１０１”を指定して呼別内線発信の操作を行うと、コードレス電話子機２０１は、リンク確立報知音をならすなどして着信先であるコードレス電話子機１０１までの無線リンクの確立動作中であることを使用者に通知し、コードレス電話親機２００と無線リンクを確立し、接続先のコードレス電話子機１０１の内線番号"１０１“を指定した個別内線発信要求を行う。コードレス電話親機２００は、上記同様に、コードレス電話子機２０１より自局の内線番号”２０“、又は、”１“、”２“…”Ｍ”の自局の従属局のコードレス電話子機の内線番号以外の内線番号を指定した個別内線発信要求を受信すると、コードレス電話親機１００と無線リンクを確立するように動作し、コードレス電話親機１００と無線リンク確立後、コードレス電話親機１００にコードレス電話子機２０１より要求された内線番号（本例では“１０１”）の個別内線発信要求の発生を通知する。一方、コードレス電話親機１００は、コードレス電話親機２００より内線番号"１０１“を指定した個別内線発信要求の発生が通知されると、指定された内線番号が自局を指定する内線番号以
外であるため、要求された内線番号に従い、主制御信号にて、指定された内線番号の無線通信装置の呼び出し報知を行う。本例では、内線”１“のコードレス電話子機１０１の呼び出し報知を行う。そして、主制御信号を受信していたコードレス電話子機１０１は、コードレス電話親機１００からの個別内線発信要求による呼び出しを受信すると、コードレス電話親機１００の無線リンクを確立するように動作し、個別内線呼び出しに対する無線接続であることを通知する無線接続確認をコードレス電話親機１００に通知し、リンガーを鳴らすなどして内線着信状態に遷移する。コードレス電話親機１００は、コードレス電話子機１０１より無線接続確認が通知されると、コードレス電話親機２００に無線接続確認を通知する。コードレス電話親機２００は、コードレス電話親機１００より無線接続確認が通知されると発信もとのコードレス電話子機２０１に無線接続確認を通知し、コードレス電話子機２０１は、無線接続確認が通知されると、リンク確立報知音を停止し、着信先の相手での呼び出しが開始されたことを通知するリングバックトーンを鳴らし、使用者にコードレス電話子機１０１で呼び出しが開始されたことを通知する。そして、着信先のコードレス電話子機１０１より内線着信の応答操作が行われると、着信先のコードレス電話子機１０１は、コードレス電話親機１００に内線着信応答を通知し、コードレス電話親機１００との無線リンクの送受信データを音声パスに接続し、内線通話状態に遷移する。コードレス電話子機１０１より内線着信応答が通知されると、コードレス電話親機１００は、コードレス電話親機２００に内線着信応答を通知し、コードレス電話親機２００との無線リンクの送受信データとコードレス電話子機１０１との無線リンクの送受信データを接続する。コードレス電話親機２００は、コードレス電話親機１００からの内線着信応答を受信すると、コードレス電話子機２０１に内線着信応答を通知し、コードレス電話子機２０１の無線リンクとコードレス電話親機１００との無線リンクの送受信データのパスを接続する。そして、コードレス電話親機２００より内線着信応答が通知された発信元のコードレス電話子機２０１は、リングバックトーンを停止し、コードレス電話親機２００との無線リンクの送受信データを音声パスに接続し、内線通話状態に遷移する。
【０２２６】
次に、コードレス電話子機２０１からコードレス電話親機３００への個別内線発信動作について説明を行う。コードレス電話子機２０１よりコードレス電話親機３００に個別内線発信を行う場合、コードレス電話親機３００の属するコードレス電話システム３０を特定するためのコードレス電話親機３００の内線番号を入力する。即ち、コードレス電話親機３００への個別内線発信の場合、呼び出し先の無線通信装置の内線番号として“３０”を指定することにより、コードレス電話システム３０内の制御局として動作する無線通信装置、つまり、コードレス電話親機３００を特定する。コードレス電話子機２０１より使用者が、内線番号“３０”を指定して呼別内線発信の操作を行うと、コードレス電話子機２０１は、リンク確立報知音をならすなどして着信先であるコードレス電話親機３００までの無線リンクの確立動作中であることを使用者に通知し、コードレス電話親機２００と無線リンクを確立し、接続先のコードレス電話親機３００の内線番号"３０“を指定した個別内線発信要求を行う。コードレス電話親機２００は、上記同様に、コードレス電話子機２０１より自局の内線番号”２０“、又は、”１“、”２“…”Ｍ”の自局の従属局のコードレス電話子機の内線番号以外の内線番号を指定した個別内線発信要求を受信すると、コードレス電話親機１００と無線リンクを確立するように動作し、コードレス電話親機１００と無線リンク確立後、コードレス電話親機１００にコードレス電話子機２０１より要求された内線番号（本例では“３０”）の個別内線発信要求の発生を通知する。一方、コードレス電話親機１００は、コードレス電話親機２００より内線番号"３０“を指定した個別内線発信要求の発生が通知されると、指定された内線番号が自局を指定する内線番号以外であるため、要求された内線番号に従い、主制御信号にて、指定された内線番号の無線通信装置の呼び出し報知を行う。本例では、内線”３０“のコードレス電話親機３００の呼び出し報知を行う。そして、主制御信号を受信していたコードレス電話親機３００は、コードレス電話親機１００からの個別内線発信要求による呼び出しを受信すると、コードレス電話親機１００の無線リンクを確立するように動作し、個別内線呼び出しに対す
る無線接続であることを通知する無線接続確認をコードレス電話親機１００に通知し、リンガーを鳴らすなどして内線着信状態に遷移する。コードレス電話親機１００は、コードレス電話親機３００より無線接続確認が通知されると、コードレス電話親機２００に無線接続確認を通知する。コードレス電話親機２００は、コードレス電話親機１００より無線接続確認が通知されると発信もとのコードレス電話子機２０１に無線接続確認を通知し、コードレス電話子機２０１は、無線接続確認が通知されると、リンク確立報知音を停止し、着信先の相手での呼び出しが開始されたことを通知するリングバックトーンを鳴らし、使用者にコードレス電話親機３００で呼び出しが開始されたことを通知する。そして、着信先のコードレス電話親機３００より内線着信の応答操作が行われると、着信先のコードレス電話親機３００は、コードレス電話親機１００に内線着信応答を通知し、コードレス電話親機１００との無線リンクの送受信データを音声パスに接続し、内線通話状態に遷移する。コードレス電話親機３００より内線着信応答が通知されると、コードレス電話親機１００は、コードレス電話親機２００に内線着信応答を通知し、コードレス電話親機２００との無線リンクの送受信データとコードレス電話親機３００との無線リンクの送受信データを接続する。コードレス電話親機２００は、コードレス電話親機１００からの内線着信応答を受信すると、コードレス電話子機２０１に内線着信応答を通知し、コードレス電話子機２０１の無線リンクとコードレス電話親機１００との無線リンクの送受信データのパスを接続する。そして、コードレス電話親機２００より内線着信応答が通知された発信元のコードレス電話子機２０１は、リングバックトーンを停止し、コードレス電話親機２００との無線リンクの送受信データを音声パスに接続し、内線通話状態に遷移する。
【０２２７】
次に、コードレス電話子機２０１からコードレス電話子機３０１への個別内線発信動作について説明を行う。コードレス電話子機２０１よりコードレス電話子機３０１に個別内線発信を行う場合、コードレス電話子機３０１の属するコードレス電話システム３０を特定するためのコードレス電話親機３００の内線番号と、コードレス電話システム３０でコードレス電話子機３０１を特定するための内線番号を入力する。即ち、コードレス電話子機３０１への個別内線発信の場合、呼び出し先の無線通信装置の内線番号として“３０１”を指定することにより、最初の２桁の“３０”でコードレス電話システム１０を特定し、３桁目の“１”でコードレス電話システム３０内の内線番号１の無線通信装置、つまり、コードレス電話子機３０１を特定する。コードレス電話子機２０１より使用者が、内線番号“３０１”を指定して呼別内線発信の操作を行うと、コードレス電話子機２０１は、リンク確立報知音をならすなどして着信先であるコードレス電話子機３０１までの無線リンクの確立動作中であることを使用者に通知し、コードレス電話親機２００と無線リンクを確立し、接続先のコードレス電話子機３０１の内線番号"３０１“を指定した個別内線発信要求を行う。コードレス電話親機２００は、上記同様に、コードレス電話子機２０１より自局の内線番号”２０“、又は、”１“、”２“…”Ｍ”の自局の従属局のコードレス電話子機の内線番号以外の内線番号を指定した個別内線発信要求を受信すると、コードレス電話親機１００と無線リンクを確立するように動作し、コードレス電話親機１００と無線リンク確立後、コードレス電話親機１００にコードレス電話子機２０１より要求された内線番号（本例では“３０１”）の個別内線発信要求の発生を通知する。一方、コードレス電話親機１００は、コードレス電話親機２００より内線番号"３０１“を指定した個別内線発信要求の発生が通知されると、指定された内線番号が自局を指定する内線番号以外であるため、要求された内線番号に従い、主制御信号にて、指定された内線番号の無線通信装置の呼び出し報知を行う。本例では、内線”３０１“のコードレス電話子機３０１の呼び出し報知を行う。そして、主制御信号を受信していたコードレス電話親機３００は、コードレス電話親機１００からの内線”３０１“の個別内線発信要求による呼び出しを受信すると、内線番号の最初の２桁が自局のコードレス電話システム３０を示す”３０“であるため、自システム内への個別着信であることを認識し、コードレス電話親機１００と無線リンクを確立し、コードレス電話親機１００との無線リンク確立後、第２の副制御信号にて３桁目で指定された内線番号”１“の従属局の呼び出し報知、即ち、コードレス
電話子機３０１の呼び出し報知を開始する。個別の呼び出し報知を受信したコードレス電話子機３０１は、コードレス電話親機３００と無線リンクを確立するよう動作し、コードレス電話親機３００との無線リンクが確立すると個別内線呼び出しに対する無線接続であることを通知する無線接続確認を通知し、リンガーを鳴らすなどして内線着信状態に遷移する。コードレス電話親機３００は、コードレス電話子機３０１より無線接続確認が通知されると、先にコードレス電話親機１００と確立した無線リンク上でコードレス電話親機１００に無線接続確認を通知する。コードレス電話親機１００は、コードレス電話親機３００より無線接続確認が通知されると、コードレス電話親機２００に無線接続確認を通知する。コードレス電話親機２００は、コードレス電話親機１００より無線接続確認が通知されると発信もとのコードレス電話子機２０１に無線接続確認を通知し、コードレス電話子機２０１は、無線接続確認が通知されると、リンク確立報知音を停止し、着信先の相手での呼び出しが開始されたことを通知するリングバックトーンを鳴らし、使用者にコードレス電話子機３０１で呼び出しが開始されたことを通知する。そして、着信先のコードレス電話子機３０１より内線着信の応答操作が行われると、着信先のコードレス電話子機３０１は、コードレス電話親機３００に内線着信応答を通知し、コードレス電話親機３００との無線リンクの送受信データを音声パスに接続し、内線通話状態に遷移する。コードレス電話子機３０１より内線着信応答が通知されると、コードレス電話親機３００は、コードレス電話親機１００に内線着信応答を通知し、コードレス電話親機１００との無線リンクの送受信データとコードレス電話子機３０１との無線リンクの送受信データを接続する。コードレス電話親機１００は、コードレス電話親機３００より内線着信応答が通知されると、コードレス電話親機２００に内線着信応答を通知し、コードレス電話親機３００の無線リンクとコードレス電話親機１００との無線リンクの送受信データのパスを接続する。コードレス電話親機２００は、コードレス電話親機１００からの内線着信応答を受信すると、コードレス電話子機２０１に内線着信応答を通知し、コードレス電話子機２０１の無線リンクとコードレス電話親機１００との無線リンクの送受信データのパスを接続する。そして、コードレス電話親機２００より内線着信応答が通知された発信元のコードレス電話子機２０１は、リングバックトーンを停止し、コードレス電話親機２００との無線リンクの送受信データを音声パスに接続し、内線通話状態に遷移する。
【０２２８】
以上、実施の形態２の説明では、３つのコードレス電話システムで発生した外線着信や内線発信をコードレス電話システム間で通知する制御手順について説明を行ったが、実施の形態１で説明したよう、各無線通信装置間の通信に時分割多重通信を用い、親機２００、親機３００は、親機１００の主制御信号を受信しながら、他のスロットで第１の副制御信号、第２の副制御信号を送信し、親機１００の従属局として動作しながら、制御局としての動作を行うことにより、無線回路の複雑化を抑え、又、相互の無線干渉を低減した無線通信システムを構成することが可能となる。
【０２２９】
又、主制御局として動作する親機１００が従来のコードレス電話親機であっても、親機２００、親機３００を子機１０１、１０２…１０Ｎと同様に、親機１００の子機として登録することにより、無線通信システム１内の無線通信装置間の通話が可能となる。例えば、親機２００を内線番号“２０”、親機３００を内線番号“３０”の子機として親機１００に登録すれば、コードレス電話システム２０内の無線通信装置よりコードレス電話システム３０内の無線通信装置への内線呼び出しは、親機１００では、内線番号“２０”の従属局より内線番号“３０”の従属局への内線呼び出しとして処理され、コードレス電話システム２０内の無線通信装置とコードレス電話システム３０内の無線通信装置との内線呼び出し、通話が可能となる。
【０２３０】
以上、本発明の実施の形態について説明してきたが、本発明は前記実施の形態に限定されるものではない。
【０２３１】
本実施の形態１では、コードレス電話装置を主制御局、ドアホン装置を副制御局とした場合の例を示したが、コードレス電話装置を副制御局、ドアホン装置を主制御局としても良い。
【０２３２】
又、本実施の形態１では副制御局としてドアホン装置のドアホン親機を１台だけ備えたものであったが、実施の形態２のように副制御局は複数あってもよく、又、副制御局として動作する無線通信装置は、コードレス電話装置やドアホン装置等異なるサービスを提供する無線通信装置であってもよく、それぞれの無線通信システムで発生したサービスを他の無線通信システムで利用することが可能となる。
【０２３３】
又、本実施の形態では制御局は複数の従属局を有する例を示したが、従属局は１つであってもよい。更に、従属局を有しない制御局があってもよく、例えば、特に実施の形態１で述べた副制御局として動作する無線通信装置に従属局が１台も登録されていない場合、該当の副制御局として動作する無線通信装置は、主制御局との通信、即ち、主制御局の従属局としてのみ動作し、従属局のために制御信号を送信するといった制御局としての動作を停止してもよい。このように、従属局として動作しながら制御局として動作する制御局に、従属局が登録されていない場合、制御局としての動作を停止することにより、不要な制御信号の送信を行う必要が無くなり、無線干渉の発生の低減や、無線リソースの有効利用という効果を有することができる。
【産業上の利用可能性】
【０２３４】
本発明は、副制御局が制御局としての動作と従属局としての動作を行うことにより、コードレス電話、無線ドアホン、無線子機が相互に無線信号で接続され、無線干渉による通話品質の低下や無線リソースの不足を低減できるので、制御局と従属局とが時分割多重で通信を行うコードレス電話と無線ドアホンからなる無線通信システムに好適である。
【図面の簡単な説明】
【０２３５】
【図１】本発明の実施の形態１に係る無線通信システムの構成を説明する図
【図２】本発明の実施の形態１に係るドアホン装置の構成を説明する図
【図３】本発明の実施の形態１に係るコードレス電話親機の構成を説明する図
【図４】本発明の実施の形態１に係るドアホン子機の構成を説明する図
【図５】本発明の実施の形態１に係るコードレス電話子機の構成を説明する図
【図６】本発明の実施の形態に係る無線通信システムにおいて通信を行う際の送信スロット及び受信スロットの状態を説明する図
【図７】本発明の実施の形態１に係る無線通信システムにおいて通信を行う際の送信スロット及び受信スロットの状態を説明する図
【図８】本発明の実施の形態１に係る無線通信システムにおいて通信を行う際の送信スロット及び受信スロットの状態を説明する図
【図９】本発明の実施の形態１に係る無線通信システムにおいて通信を行う際の送信スロット及び受信スロットの状態を説明する図
【図１０】本発明の実施の形態１に係る無線通信システムにおいて通信を行う際の送信スロット及び受信スロットの状態を説明する図
【図１１】本発明の実施の形態１に係る無線通信システムにおいて通信を行う際の送信スロット及び受信スロットの状態を説明する図
【図１２】本発明の実施の形態１に係る無線通信システムにおいて通信を行う際の送信スロット及び受信スロットの状態を説明する図
【図１３】本発明の実施の形態１に係る無線通信システムにおいて通信を行う際の送信スロット及び受信スロットの状態を説明する図
【図１４】本発明の実施の形態１に係る無線通信システムにおいて通信を行う際の送信スロット及び受信スロットの状態を説明する図
【図１５】本発明の実施の形態２に係る無線通信システムの構成を説明する図
【図１６】パケットデータのフォーマットを説明する図
【符号の説明】
【０２３６】
１    無線通信システム
２    ドアホン装置
２ａ    玄関子機
２ｂ    ドアホン親機
３    コードレス電話親機
４    ドアホン子機
５    コードレス電話子機
６    電話回線
【図１】
2007142510.tif 000003
【図２】
2007142510.tif 000004
【図３】
2007142510.tif 000005
【図４】
2007142510.tif 000006
【図５】
2007142510.tif 000007
【図６】
2007142510.tif 000008
【図７】
2007142510.tif 000009
【図８】
2007142510.tif 000010
【図９】
2007142510.tif 000011
【図１０】
2007142510.tif 000012
【図１１】
2007142510.tif 000013
【図１２】
2007142510.tif 000014
【図１３】
2007142510.tif 000015
【図１４】
2007142510.tif 000016
【図１５】
2007142510.tif 000017
【図１６】
2007142510.tif 000018